(57)【要約】      （修正有）【課題】非免許帯域をサポートする無線システムにおいて端末（ＵＥ）がＣＳＩ（channel state information）を報告する方法を提供する。【解決手段】非免許帯域内で下りリンクバーストを受信する段階と、下りリンクバーストに対するＣＳＩ−ＲＳを測定する段階と、測定されたＣＳＩ−ＲＳのＣＱＩ値をＢＳに報告する段階と、を含む。ＵＥは、測定されたＣＳＩ−ＲＳのＣＱＩ値を報告するために、部分サブフレームのＣＱＩ値を除く下りリンクバーストの一般サブフレーム内で測定されたＣＱＩ値を計算し、部分サブフレームは、少なくとも一つのＯＦＤＭシンボルが占有されていないサブフレームであり、一般サブフレームは、すべてのＯＦＤＭシンボルが占有されているサブフレームである。【選択図】図２７
2020099063.tif 000002
【特許請求の範囲】
【請求項１】
非免許帯域をサポートする無線接続システムにおいてＵＥ（user equipment）がＣＳＩ（channel state information）を報告する方法であって、
前記非免許帯域内に設定された非免許帯域セル内で下りリンクバーストを受信する段階と、
前記下りリンクバーストに基づいて前記ＣＳＩを測定する段階と、
前記測定されたＣＳＩを報告する段階と、を含み、
前記下りリンクバーストは、少なくとも第１のＴＴＩ（transmission time interval）及び第２のＴＴＩにおいて受信され、
前記第１のＴＴＩは、ＯＦＤＭ（orthogonal frequency divisional multiplexing）シンボルの第１の個数として設定され、
前記第２のＴＴＩは、ＯＦＤＭシンボルの第２の個数として設定され、
前記第１の個数は、前記第２の個数より少なく、
前記第１のＴＴＩは、前記ＣＳＩのための有効でない時間リソースであるとみなされる、方法。
【請求項２】
前記第１のＴＴＩは、セルフキャリアスケジューリングでスケジュールされ、
前記第２のＴＴＩは、クロスキャリアスケジューリングでスケジュールされる、請求項１に記載の方法。
【請求項３】
前記ＣＳＩを報告するための要求を免許帯域セル内で受信する段階をさらに含み、
前記測定されたＣＳＩを送信する段階は、前記要求に応答して、前記測定されたＣＳＩを前記免許帯域セル内で送信する段階を含む、請求項１又は２に記載の方法。
【請求項４】
前記ＣＳＩを報告するための要求を前記非免許帯域セル内で受信する段階をさらに含み、
前記測定されたＣＳＩを送信する段階は、前記要求に応答して、前記測定されたＣＳＩを前記非免許帯域セル内で送信する段階を含む、請求項１又は２に記載の方法。
【請求項５】
前記測定されたＣＳＩを送信する段階は、前記測定されたＣＳＩを周期的に免許帯域セル内で送信する段階を含む、請求項１〜４のいずれか一項に記載の方法。
【請求項６】
前記有効でない時間リソースは、前記ＣＳＩのための参照リソースが割り当てられない時間リソースを意味する、請求項１〜５のいずれか一項に記載の方法。
【請求項７】
非免許帯域をサポートする無線接続システムにおいてＣＳＩ（channel state information）を報告するＵＥ（user equipment）であって、
メモリと、
前記メモリと連結された少なくとも一つのプロセッサと、を含み、
前記少なくとも一つのプロセッサは、
前記非免許帯域内に設定された非免許帯域セル内で下りリンクバーストを受信し、
前記下りリンクバーストに基づいて前記ＣＳＩを測定し、
前記測定されたＣＳＩを報告する、
ように設定され、
前記下りリンクバーストは、少なくとも第１のＴＴＩ（transmission time interval）及び第２のＴＴＩにおいて受信され、
前記第１のＴＴＩは、ＯＦＤＭ（orthogonal frequency divisional multiplexing）シンボルの第１の個数として設定され、
前記第２のＴＴＩは、ＯＦＤＭシンボルの第２の個数として設定され、
前記第１の個数は、前記第２の個数より少なく、
前記第１のＴＴＩは、前記ＣＳＩのための有効でない時間リソースであるとみなされる、ＵＥ。
【請求項８】
前記第１のＴＴＩは、セルフキャリアスケジューリングでスケジュールされ、
前記第２のＴＴＩは、クロスキャリアスケジューリングでスケジュールされる、請求項７に記載のＵＥ。
【請求項９】
前記少なくとも一つのプロセッサは、
前記ＣＳＩを報告するための要求を免許帯域セル内で受信し、
前記要求に応答して、前記測定されたＣＳＩを前記免許帯域セル内で送信する、
ようにさらに設定される、請求項７又は８に記載のＵＥ。
【請求項１０】
前記少なくとも一つのプロセッサは、
前記ＣＳＩを報告するための要求を前記非免許帯域セル内で受信し、
前記要求に応答して、前記測定されたＣＳＩを前記非免許帯域セル内で送信する、
ようにさらに設定される、請求項７又は８に記載のＵＥ。
【請求項１１】
前記少なくとも一つのプロセッサは、前記測定されたＣＳＩを周期的に免許帯域セル内で送信するようにさらに設定される、請求項７〜１０のいずれか一項に記載のＵＥ。
【請求項１２】
前記有効でない時間リソースは、前記ＣＳＩのための参照リソースが割り当てられない時間リソースを意味する、請求項７〜１１のいずれか一項に記載のＵＥ。
【発明の詳細な説明】
【技術分野】
【０００１】
本発明は非免許帯域をサポート（支援）する無線接続システムに関するもので、部分サブフレーム（ｐＳＦ：ｐａｒｔｉａｌ  Ｓｕｂｆｒａｍｅ）を構成してスケジュールする方法及びこれをサポートする装置に関するものである。特に、本発明はｐＳＦの構成時にチャネル状態情報を報告する方法に関するものである。
【背景技術】
【０００２】
無線接続システムが音声やデータなどのような種々の通信サービスを提供するために広範囲に展開されている。一般に、無線接続システムは、使用可能なシステムリソース（帯域幅、送信電力など）を共有して多重ユーザとの通信をサポートできる多元接続（ｍｕｌｔｉｐｌｅ  ａｃｃｅｓｓ）システムである。多元接続システムの例には、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。
【発明の概要】
【発明が解決しようとする課題】
【０００３】
本発明の目的は、非免許帯域をサポートする無線接続システムにおいて非免許帯域で定義される部分サブフレーム（ｐＳＦ）を構成する方法を提供することである。
【０００４】
本発明の他の目的は、ｐＳＦが構成される場合、これに対する多様なスケジューリング方法を提供することである。例えば、クロスキャリアスケジューリング、セルフキャリアスケジューリング及びハイブリッドスケジューリング方法を提供する。
【０００５】
本発明のさらに他の目的は、ｐＳＦ運用のための基地局及び端末の動作方法を提供することである。
【０００６】
本発明のさらに他の目的は、クロスキャリアスケジューリングを適用するとき、スケジューリング方式を制限する方法を提供することである。
【０００７】
本発明のさらに他の目的は、非免許帯域セル（Ｕｎｌｉｃｅｎｓｅｄ  Ｃｅｌｌ）でＥＰＤＣＣＨを用いたセルフスケジューリングの際、ＥＲＥＧをインデックスする方法を提供することである。
【０００８】
本発明のさらに他の目的は、セルフキャリアスケジューリングを適用する場合、ＵセルにＥＰＤＣＣＨを構成して送信する方法及びこれをデコードする方法を提供することである。
【０００９】
本発明のさらに他の目的は、ｐＳＦに割り当てられるＤＭ−ＲＳパターンを提供することである。
【００１０】
本発明のさらに他の目的は、このような方法をサポートする装置を提供することである。
【００１１】
本発明で達成しようとする技術的目的は以上で言及した事項に制限されなく、言及しなかったさらに他の技術的課題は以下で説明する本発明の実施形態から本発明が属する技術分野で通常の知識を有する者によって考慮されることができる。
【課題を解決するための手段】
【００１２】
本発明は非免許帯域をサポートする無線接続システムに関するもので、部分サブフレーム（ｐＳＦ）を構成してスケジュールする方法及びこれをサポートする装置に関するものである。特に、本発明はｐＳＦ構成時にチャネル状態情報を報告する方法に関するものである。
【００１３】
本発明の一態様として、非免許帯域をサポートする無線接続システムにおいて端末がチャネル状態情報（ＣＳＩ）を報告する方法は、非免許帯域をサポートする非免許帯域セル（Ｕセル）に設定された下りリンクバーストを所定のサブフレームの分だけ受信する段階と、下りリンクバーストに対するＣＳＩを測定する段階と、測定したＣＳＩを基地局に報告する段階と、を含むことができる。この際、端末は、下りリンクバーストに部分サブフレーム（ｐＳＦ）が含まれる場合、ｐＳＦをＣＳＩ測定のための有効な下りリンクサブフレームと見なさず、ｐＳＦは一般サブフレームより小さい大きさに構成されることができる。
【００１４】
本発明の他の態様として、非免許帯域をサポートする無線接続システムにおいてチャネル状態情報（ＣＳＩ）を報告する端末は、受信機と、送信機と、ＣＳＩ報告をサポートするために構成されたプロセッサと、を含むことができる。この際、プロセッサは、受信機を制御して非免許帯域をサポートする非免許帯域セル（Ｕセル）に設定された下りリンクバーストの所定数のサブフレームを受信し、下りリンクバーストに対するＣＳＩを測定し、送信機を制御して測定したＣＳＩを基地局に報告するように構成され、プロセッサは、下りリンクバーストに部分サブフレーム（ｐＳＦ）が含まれる場合、ｐＳＦをＣＳＩ測定のための有効な下りリンクサブフレームと見なさず、ｐＳＦは一般サブフレームより小さい大きさに構成されることができる。
【００１５】
ｐＳＦに対してはセルフキャリアスケジューリング方式でスケジュールされ、下りリンクバーストに含まれた一般サブフレームはクロスキャリアスケジューリング方式でスケジュールされることができる。
【００１６】
ＣＳＩ報告は基地局が免許帯域に構成されるプライマリーセル（Ｐセル）を介して要請した場合に遂行され、ＣＳＩはＰセルを介して報告されることができる。
【００１７】
ＣＳＩ報告は基地局がＵセルを介して要請した場合に遂行され、ＣＳＩはＵセルを介して報告されることができる。
【００１８】
ＣＳＩ報告は免許帯域に構成されるＰセルを介して周期的に遂行されることができる。
【００１９】
仮に、ｐＳＦが有効なサブフレームと見なされない場合、ｐＳＦにはＣＳＩを測定するための参照リソースが割り当てられず、端末は、ＣＳＩ測定時、下りリンク（ＤＬ）バーストに含まれた完全なサブフレームに対してのみＣＳＩを測定するように構成されることができる。
【００２０】
上述した本発明の態様は、本発明の好適な実施形態の一部に過ぎず、本願発明の技術的特徴が反映された様々な実施形態が、当該技術の分野における通常の知識を有する者にとって、以下に詳述する本発明の詳細な説明に基づいて導出され、理解されるであろう。
【発明の効果】
【００２１】
本発明の実施例によると、次のような効果がある。
【００２２】
一つ目、クロスキャリアスケジューリング、セルフキャリアスケジューリング及びハイブリッドスケジューリングなどの多様なスケジューリング方式を提供することにより、ＬＡＡ端末に適応的に無線リソースをスケジュールすることができる。
【００２３】
二つ目、ｐＳＦ運用のための基地局及び端末の動作方法を提供することにより、ＬＡＡのＵセル上で発生し得るリソース浪費を防止することができる。
【００２４】
三つ目、クロスキャリアスケジューリングを適用するとき、ｐＳＦで端末に適用するスケジューリング方式を制限することによってＰＤＣＣＨなどの制御リソースの浪費を防止することができる。
【００２５】
四つめ、セルフキャリアスケジューリングを適用する場合、ＵセルにＥＰＤＣＣＨを構成して送信する方法及びこれをデコードする方法を提供することができる。ｐＳＦの場合、正常なＳＦではないので、既存のリソース割当て方式がそのまま使われにくい。特に、ＥＰＤＣＣＨを送信するためには既存の方式を補わなければならない。したがって、本発明では、ｐＳＦが構成されるリソース上のリソース要素に対して新たにＥＲＥＧインデックシングを遂行し、ＥＲＥＧ個数を所定値に固定し、結合レベルを上げることにより、ＥＰＤＣＣＨを効率的で安定的にマッピングすることができる。
【００２６】
五つ目、ｐＳＦに割り当てられるＤＭ−ＲＳパターンを提供することにより、端末がｐＳＦでもチャネル推定を行ってデータデコーディング性能を高めることができる。
【００２７】
本発明の実施形態から得られる効果は、以上で言及した効果に制限されず、言及していない他の効果は、以下の本発明の実施形態に関する記載から、本発明の属する技術の分野における通常の知識を有する者にとって明確に導出され理解されるであろう。すなわち、本発明を実施することによる意図しなかった効果も、本発明の実施形態から、当該技術の分野における通常の知識を有する者によって導出可能である。
【図面の簡単な説明】
【００２８】
本発明に関する理解を助けるために詳細な説明の一部として含まれる添付の図面は、本発明に関する様々な実施形態を提供する。また、添付の図面は、詳細な説明と共に本発明の実施形態を説明するために用いられる。
【図１】物理チャネル及びこれらを用いた信号送信方法を説明するための図である。
【図２】無線フレームの構造の一例を示す図である。
【図３】下りリンクスロットに対するリソースグリッド（ｒｅｓｏｕｒｃｅ  ｇｒｉｄ）を例示する図である。
【図４】上りリンクサブフレームの構造の一例を示す図である。
【図５】下りリンクサブフレームの構造の一例を示す図である。
【図６】コンポーネントキャリア（ＣＣ）及びＬＴＥ−Ａシステムで使用されるキャリアアグリゲーションの一例を示す図である。
【図７】クロスキャリアスケジューリングによるＬＴＥ−Ａシステムのサブフレームの構造を示す図である。
【図８】クロスキャリアスケジューリングによるサービングセル構成の一例を示す図である。
【図９】ＣＡ環境で動作するＣｏＭＰシステムの概念図である。
【図１０】本発明の実施例で使用可能なセル特定参照信号（ＣＲＳ：Ｃｅｌｌ  ｓｐｅｃｉｆｉｃ  Ｒｅｆｅｒｅｎｃｅ  Ｓｉｇｎａｌ）が割り当てられたサブフレームの一例を示す図である。
【図１１】本発明の実施例で使用可能なＣＳＩ−ＲＳがアンテナポートの個数によって割り当てられたサブフレームの一例を示す図である。
【図１２】ＬＴＥ／ＬＴＥ−Ａシステムで使われるレガシーＰＤＣＣＨ（Ｌｅｇａｃｙ  ＰＤＣＣＨ）、ＰＤＳＣＨ及びＥ−ＰＤＣＣＨが多重化される一例を示す図である。
【図１３】ＬＴＥ−ＵシステムでサポートするＣＡ環境の一例を示す図である。
【図１４】ＴｘＯＰ区間を設定する方法の一つを示す図である。
【図１５】部分サブフレームの一例を説明するための図である。
【図１６】非免許帯域でＷｉＦｉ  ＡＰが無線チャネルを占有する場合、基地局がプレスケジューリングを遂行するための条件の一つを説明するための図である。
【図１７】ｐＳＦを説明するための図の一つである。
【図１８】プレスケジューリング法の一つを説明するための図である。
【図１９】セル特定ＲＳが配置される形態の一つを説明するための図である。
【図２０】フローティングサブフレームで下りリンク物理チャネルを送信する方法を説明するための図である。
【図２１】フローティングＴＴＩが構成されるとき、開始位置を制限する方法を説明するための図である。
【図２２】ＤＬバーストの最後のフローティングＴＴＩの長さを設定する方法の一つを説明するための図である。
【図２３】ＰＳｔａｒｔでＤＭ−ＲＳ及びＥＰＤＣＣＨを構成する方法を説明するための図である。
【図２４】ＤＭ−ＲＳパターン別にＥＰＤＣＣＨを構成する方法を説明するための図である。
【図２５】クロスキャリアスケジューリングが構成された場合、端末がデコードするサブフレームを制限する方法を説明するための図である。
【図２６】４．２節で説明したセルフスケジューリング方式を端末と基地局間のシグナリングの観点で説明するための図である。
【図２７】ｐＳＦが構成される場合、ＣＳＩを測定及び報告する方法を説明するための図である。
【図２８】ここで説明する装置は図１〜図２７で説明した方法を実装することができる手段である。
【発明を実施するための形態】
【００２９】
本発明は非免許帯域をサポートする無線接続システムに関するもので、部分サブフレーム（ｐａｒｔｉａｌ  Ｓｕｂｆｒａｍｅ）を構成してスケジュールする方法及びこれをサポートする装置を提案する。
【００３０】
以下の実施例は、本発明の構成要素と特徴を所定の形態で結合したものである。各構成要素又は特徴は、別の明示的な言及がない限り、選択的なものとして考慮することができる。各構成要素又は特徴は、他の構成要素や特徴と結合しない形態で実施することができる。また、一部の構成要素及び／又は特徴を結合して本発明の実施例を構成することもできる。本発明の実施例で説明する動作の順序は変更してもよい。ある実施例の一部の構成や特徴は他の実施例に含まれてもよく、又は他の実施例の対応する構成又は特徴に取り替えられてもよい。
【００３１】
図面に関する説明において、本発明の要旨を曖昧にさせうる手順又は段階などは記述を省略し、当業者のレベルで理解できるような手順又は段階も記述を省略した。
【００３２】
明細書全般にわたり、ある部分がある構成要素を“含む（ｃｏｍｐｒｉｓｉｎｇ又はｉｎｃｌｕｄｉｎｇ）”というとき、これは特に反対する記載がない限り他の構成要素を排除するものではなくて他の構成要素をさらに含むことができることを意味する。また、明細書に記載した“…部”、“…機”、“モジュール”などの用語は少なくとも一つの機能又は動作を処理する単位を意味し、これはハードウェア又はソフトウェアあるいはハードウェア及びソフトウェアの結合で実装されることができる。また、“一（ａ又はａｎ）”、“一つ（ｏｎｅ）”、“その（ｔｈｅ）”及び類似関連語は本発明を記述する文脈において（特に、以下の請求項の文脈で）本明細書に他に指示されるか文脈によって明らかに反駁されることがない限り、単数及び複数のいずれも含む意味として使われることができる。
【００３３】
本明細書で、本発明の実施例は、基地局と移動局との間のデータ送受信関係を中心に説明した。ここで、基地局は移動局と直接通信を行うネットワークの終端ノード（ｔｅｒｍｉｎａｌ  ｎｏｄｅ）としての意味を有する。本文書で基地局によって行われるとした特定動作は、場合によっては、基地局の上位ノード（ｕｐｐｅｒ  ｎｏｄｅ）によって行われてもよい。
【００３４】
すなわち、基地局を含む複数のネットワークノード（ｎｅｔｗｏｒｋ  ｎｏｄｅｓ）からなるネットワークで移動局との通信のために行われる様々な動作は、基地局又は基地局以外の他のネットワークノードによって行われてもよい。ここで、「基地局」は、固定局（ｆｉｘｅｄ  ｓｔａｔｉｏｎ）、Ｎｏｄｅ  Ｂ、ｅＮｏｄｅ  Ｂ（ｅＮＢ）、発展した基地局（ＡＢＳ：Ａｄｖａｎｃｅｄ  Ｂａｓｅ  Ｓｔａｔｉｏｎ）又はアクセスポイント（ａｃｃｅｓｓ  ｐｏｉｎｔ）などの用語に代えてもよい。
【００３５】
また、本発明の実施例でいう「端末（Ｔｅｒｍｉｎａｌ）」は、ユーザ機器（ＵＥ：Ｕｓｅｒ  Ｅｑｕｉｐｍｅｎｔ）、移動局（ＭＳ：Ｍｏｂｉｌｅ  Ｓｔａｔｉｏｎ）、加入者端末（ＳＳ：Ｓｕｂｓｃｒｉｂｅｒ  Ｓｔａｔｉｏｎ）、移動加入者端末（ＭＳＳ：Ｍｏｂｉｌｅ  Ｓｕｂｓｃｒｉｂｅｒ  Ｓｔａｔｉｏｎ）、移動端末（Ｍｏｂｉｌｅ  Ｔｅｒｍｉｎａｌ）、又は発展した移動端末（ＡＭＳ：Ａｄｖａｎｃｅｄ  Ｍｏｂｉｌｅ  Ｓｔａｔｉｏｎ）などの用語に代えてもよい。
【００３６】
また、送信端は、データサービス又は音声サービスを提供する固定及び／又は移動ノードを意味し、受信端は、データサービス又は音声サービスを受信する固定及び／又は移動ノードを意味する。そのため、上りリンクでは、移動局を送信端とし、基地局を受信端とすることができる。同様に、下りリンクでは、移動局を受信端とし、基地局を送信端とすることができる。
【００３７】
本発明の実施例は、無線接続システムであるＩＥＥＥ  ８０２．ｘｘシステム、３ＧＰＰ（３ｒｄ  Ｇｅｎｅｒａｔｉｏｎ  Ｐａｒｔｎｅｒｓｈｉｐ  Ｐｒｏｊｅｃｔ）システム、３ＧＰＰ  ＬＴＥシステム及び３ＧＰＰ２システムのうち少なくとも一つに開示された標準文書によって裏付けることができ、特に、本発明の実施例は、３ＧＰＰ  ＴＳ  ３６．２１１、３ＧＰＰ  ＴＳ  ３６．２１２、３ＧＰＰ  ＴＳ  ３６．２１３、３ＧＰＰ  ＴＳ  ３６．３２１及び３ＧＰＰ  ＴＳ  ３６．３３１の文書によって裏付けることができる。すなわち、本発明の実施例において説明していない自明な段階又は部分は、上記の文書を参照して説明することができる。また、本文書で開示している用語はいずれも上記の標準文書によって説明することができる。
【００３８】
以下、本発明に係る好適な実施の形態を、添付の図面を参照して詳しく説明する。添付の図面と共に以下に開示される詳細な説明は、本発明の例示的な実施の形態を説明するためのもので、本発明が実施されうる唯一の実施の形態を示すためのものではない。
【００３９】
また、本発明の実施例で使われる特定用語は、本発明の理解を助けるために提供されたもので、このような特定用語の使用は、本発明の技術的思想を逸脱しない範囲で他の形態に変更してもよい。
【００４０】
例えば、伝送機会区間（ＴｘＯＰ：Ｔｒａｎｓｍｉｓｓｉｏｎ  Ｏｐｐｏｒｔｕｎｉｔｙ  Ｐｅｒｉｏｄ）という用語は伝送区間又はＲＲＰ（Ｒｅｓｅｒｖｅｄ  Ｒｅｓｏｕｒｃｅ  Ｐｅｒｉｏｄ）という用語と等しい意味として使われることができる。また、ＬＢＴ（Ｌｉｓｔｅｎ  Ｂｅｆｏｒｅ  Ｔａｌｋ）過程はチャネル状態がアイドル（遊休）であるかを判断するためのキャリアセンシング過程と同一の目的で遂行することができる。
【００４１】
以下では本発明の実施形態を使える無線接続システムの一例として３ＧＰＰ  ＬＴＥ／ＬＴＥ−Ａシステムについて説明する。
【００４２】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような様々な無線接続システムに適用することができる。
【００４３】
ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって実現することができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術によって実現することができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などのような無線技術によって実現することができる。
【００４４】
ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ  ＬＴＥ（Ｌｏｎｇ  Ｔｅｒｍ  Ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であって、下りリンクでＯＦＤＭＡを採用し、上りリンクでＳＣ−ＦＤＭＡを採用する。ＬＴＥ−Ａ（Ａｄｖａｎｃｅｄ）システムは、３ＧＰＰ  ＬＴＥシステムの改良されたシステムである。本発明の技術的特徴に関する説明を明確にするために、本発明の実施例を３ＧＰＰ  ＬＴＥ／ＬＴＥ−Ａシステムを中心に説明するが、ＩＥＥＥ  ８０２．１６ｅ／ｍシステムなどに適用してもよい。
【００４５】
１．  ３ＧＰＰ  ＬＴＥ／ＬＴＥ＿Ａシステム
【００４６】
無線接続システムにおいて、端末は下りリンク（ＤＬ：Ｄｏｗｎｌｉｎｋ）を介して基地局から情報を受信し、上りリンク（ＵＬ：Ｕｐｌｉｎｋ）を介して基地局に情報を送信する。基地局と端末が送受信する情報は、一般データ情報及び様々な制御情報を含み、これらが送受信する情報の種類／用途によって様々な物理チャネルが存在する。
【００４７】
１．１  システム一般
【００４８】
図１は、本発明の実施例で使用できる物理チャネル及びこれらを用いた信号送信方法を説明するための図である。
【００４９】
電源が消えた状態で再び電源がついたり、新しくセルに進入したりした端末は、Ｓ１１段階で基地局と同期を取るなどの初期セル探索（Ｉｎｉｔｉａｌ  ｃｅｌｌ  ｓｅａｒｃｈ）作業を行う。そのために、端末は基地局から１次同期チャネル（Ｐ−ＳＣＨ：Ｐｒｉｍａｒｙ  Ｓｙｎｃｈｒｏｎｉｚａｔｉｏｎ  Ｃｈａｎｎｅｌ）及び２次同期チャネル（Ｓ−ＳＣＨ：Ｓｅｃｏｎｄａｒｙ  Ｓｙｎｃｈｒｏｎｉｚａｔｉｏｎ  Ｃｈａｎｎｅｌ）を受信して基地局と同期を取り、セルＩＤなどの情報を取得する。
【００５０】
その後、端末は、基地局から物理放送チャネル（ＰＢＣＨ：Ｐｈｙｓｉｃａｌ  Ｂｒｏａｄｃａｓｔ  Ｃｈａｎｎｅｌ）信号を受信してセル内放送情報を取得することができる。
【００５１】
一方、端末は、初期セル探索段階で下りリンク参照信号（ＤＬ  ＲＳ：Ｄｏｗｎｌｉｎｋ  Ｒｅｆｅｒｅｎｃｅ  Ｓｉｇｎａｌ）を受信して下りリンクチャネル状態を確認することができる。
【００５２】
初期セル探索を終えた端末は、Ｓ１２段階で、物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）、及び物理下りリンク制御チャネル情報に基づく物理下りリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）を受信し、より具体的なシステム情報を取得することができる。
【００５３】
その後、端末は、基地局への接続を完了するために、段階Ｓ１３乃至段階Ｓ１６のようなランダムアクセス過程（Ｒａｎｄｏｍ  Ａｃｃｅｓｓ  Ｐｒｏｃｅｄｕｒｅ）を行うことができる。そのために、端末は、物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）を介してプリアンブル（ｐｒｅａｍｂｌｅ）を送信し（Ｓ１３）、物理下りリンク制御チャネル及びこれに対応する物理下りリンク共有チャネルを介してプリアンブルに対する応答メッセージを受信することができる（Ｓ１４）。競合ベースのランダムアクセスでは、端末は、さらなる物理ランダムアクセスチャネル信号の送信（Ｓ１５）、及び物理下りリンク制御チャネル信号及びこれに対応する物理下りリンク共有チャネル信号の受信（Ｓ１６）のような衝突解決手順（Ｃｏｎｔｅｎｔｉｏｎ  Ｒｅｓｏｌｕｔｉｏｎ  Ｐｒｏｃｅｄｕｒｅ）を行うことができる。
【００５４】
上述したような手順を行った端末は、その後、一般的な上りリンク／下りリンク信号送信手順として、物理下りリンク制御チャネル信号及び／又は物理下りリンク共有チャネル信号の受信（Ｓ１７）、及び物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）信号及び／又は物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）信号の送信（Ｓ１８）を行うことができる。
【００５５】
端末が基地局に送信する制御情報を総称して、上りリンク制御情報（ＵＣＩ：Ｕｐｌｉｎｋ  Ｃｏｎｔｒｏｌ  Ｉｎｆｏｒｍａｔｉｏｎ）という。ＵＣＩは、ＨＡＲＱ−ＡＣＫ／ＮＡＣＫ（Ｈｙｂｒｉｄ  Ａｕｔｏｍａｔｉｃ  Ｒｅｐｅａｔ  ａｎｄ  ｒｅＱｕｅｓｔ  Ａｃｋｎｏｗｌｅｄｇｅｍｅｎｔ／Ｎｅｇａｔｉｖｅ−ＡＣＫ）、ＳＲ（Ｓｃｈｅｄｕｌｉｎｇ  Ｒｅｑｕｅｓｔ）、ＣＱＩ（Ｃｈａｎｎｅｌ  Ｑｕａｌｉｔｙ  Ｉｎｄｉｃａｔｉｏｎ）、ＰＭＩ（Ｐｒｅｃｏｄｉｎｇ  Ｍａｔｒｉｘ  Ｉｎｄｉｃａｔｉｏｎ）、ＲＩ（Ｒａｎｋ  Ｉｎｄｉｃａｔｉｏｎ）情報などを含む。
【００５６】
ＬＴＥシステムにおいて、ＵＣＩは、一般的にＰＵＣＣＨを介して周期的に送信するが、制御情報とトラフィックデータが同時に送信されるべき場合にはＰＵＳＣＨを介して送信してもよい。また、ネットワークの要求／指示に応じてＰＵＳＣＨを介してＵＣＩを非周期的に送信してもよい。
【００５７】
図２には、本発明の実施例で用いられる無線フレームの構造を示す。
【００５８】
図２（ａ）は、タイプ１フレーム構造（ｆｒａｍｅ  ｓｔｒｕｃｔｕｒｅ  ｔｙｐｅ  １）を示す。タイプ１フレーム構造は、全二重（ｆｕｌｌ  ｄｕｐｌｅｘ）ＦＤＤ（Ｆｒｅｑｕｅｎｃｙ  Ｄｉｖｉｓｉｏｎ  Ｄｕｐｌｅｘ）システムと半二重（ｈａｌｆ  ｄｕｐｌｅｘ）ＦＤＤシステムの両方に適用することができる。
【００５９】
１無線フレーム（ｒａｄｉｏ  ｆｒａｍｅ）は、
2020099063.tif 000003
の長さを有し、
2020099063.tif 000004
の均等な長さを有し、０から１９までのインデックスが与えられた２０個のスロットで構成される。１サブフレームは、２個の連続したスロットと定義され、ｉ番目のサブフレームは、２ｉ及び２ｉ＋１に該当するスロットで構成される。すなわち、無線フレーム（ｒａｄｉｏ  ｆｒａｍｅ）は、１０個のサブフレーム（ｓｕｂｆｒａｍｅ）で構成される。１サブフレームを送信するのにかかる時間をＴＴＩ（ｔｒａｎｓｍｉｓｓｉｏｎ  ｔｉｍｅ  ｉｎｔｅｒｖａｌ）という。ここで、Ｔｓはサンプリング時間を表し、Ｔｓ＝１／（１５ｋＨｚ×２０４８）＝３．２５５２×１０−８（約３３ｎｓ）と表示される。スロットは、時間領域で複数のＯＦＤＭシンボル又はＳＣ−ＦＤＭＡシンボルを含み、周波数領域で複数のリソースブロック（Ｒｅｓｏｕｒｃｅ  Ｂｌｏｃｋ）を含む。
【００６０】
１スロットは、時間領域で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含む。３ＧＰＰ  ＬＴＥは、下りリンクでＯＦＤＭＡを使うので、ＯＦＤＭシンボルは１シンボル区間（ｓｙｍｂｏｌ  ｐｅｒｉｏｄ）を表現するためのものである。ＯＦＤＭシンボルは、１つのＳＣ−ＦＤＭＡシンボル又はシンボル区間ということができる。リソースブロック（ｒｅｓｏｕｒｃｅ  ｂｌｏｃｋ）は、リソース割当て単位であって、１スロットで複数の連続した副搬送波（ｓｕｂｃａｒｒｉｅｒ）を含む。
【００６１】
全二重ＦＤＤシステムでは、各１０ｍｓ区間で１０個のサブフレームを下りリンク送信と上りリンク送信のために同時に利用することができる。このとき、上りリンク送信と下りリンク送信は周波数領域で区別される。一方、半二重ＦＤＤシステムでは、端末は送信と受信を同時に行うことができない。
【００６２】
上述した無線フレームの構造は一つの例示に過ぎず、無線フレームに含まれるサブフレームの数、サブフレームに含まれるスロットの数、又はスロットに含まれるＯＦＤＭシンボルの数は様々に変更されてもよい。
【００６３】
図２（ｂ）には、タイプ２フレーム構造（ｆｒａｍｅ  ｓｔｒｕｃｔｕｒｅ  ｔｙｐｅ  ２）を示す。タイプ２フレーム構造はＴＤＤシステムに適用される。１無線フレームは、
2020099063.tif 000005
の長さを有し、
2020099063.tif 000006
の長さを有する２個のハーフフレーム（ｈａｌｆ−ｆｒａｍｅ）で構成される。各ハーフフレームは、
2020099063.tif 000007
の長さを有する５個のサブフレームで構成される。ｉ番目のサブフレームは、２ｉ及び２ｉ＋１に該当する各
2020099063.tif 000008
の長さを有する２個のスロットで構成される。ここで、Ｔｓは、サンプリング時間を表し、Ｔｓ＝１／（１５ｋＨｚ×２０４８）＝３．２５５２×１０−８（約３３ｎｓ）で表示される。
【００６４】
タイプ２フレームは、ＤｗＰＴＳ（Ｄｏｗｎｌｉｎｋ  Ｐｉｌｏｔ  Ｔｉｍｅ  Ｓｌｏｔ）、保護区間（ＧＰ：Ｇｕａｒｄ  Ｐｅｒｉｏｄ）、ＵｐＰＴＳ（Ｕｐｌｉｎｋ  Ｐｉｌｏｔ  Ｔｉｍｅ  Ｓｌｏｔ）の３つのフィールドで構成される特別サブフレームを含む。ここで、ＤｗＰＴＳは、端末での初期セル探索、同期化又はチャネル推定に用いられる。ＵｐＰＴＳは、基地局でのチャネル推定と端末の上り送信同期を取るために用いられる。保護区間は、上りリンクと下りリンクとの間において下りリンク信号の多重経路遅延によって上りリンクで生じる干渉を除去するための区間である。
【００６５】
下記の表１に、特別フレームの構成（ＤｗＰＴＳ／ＧＰ／ＵｐＰＴＳの長さ）を示す。
【００６６】
【表１】
2020099063.tif 000009
【００６７】
図３は、本発明の実施例で使用できる下りリンクスロットのリソースグリッド（ｒｅｓｏｕｒｃｅ  ｇｒｉｄ）を例示する図である。
【００６８】
図３を参照すると、１つの下りリンクスロットは、時間領域で複数のＯＦＤＭシンボルを含む。ここで、１つの下りリンクスロットは、７個のＯＦＤＭシンボルを含み、１つのリソースブロックは周波数領域で１２個の副搬送波を含むとするが、これに限定されるものではない。
【００６９】
リソースグリッド上で各要素（ｅｌｅｍｅｎｔ）をリソース要素（ｒｅｓｏｕｒｃｅ  ｅｌｅｍｅｎｔ）とし、１つのリソースブロックは１２×７個のリソース要素を含む。下りリンクスロットに含まれるリソースブロックの数ＮＤＬは、下りリンク送信帯域幅（ｂａｎｄｗｉｄｔｈ）に依存する。上りリンクスロットの構造は、下りリンクスロットの構造と同一であってもよい。
【００７０】
図４は、本発明の実施例で使用できる上りリンクサブフレームの構造を示す。
【００７１】
図４を参照すると、上りリンクサブフレームは、周波数領域で制御領域とデータ領域とに区別される。制御領域には、上りリンク制御情報を運ぶＰＵＣＣＨが割り当てられる。データ領域には、ユーザデータを運ぶＰＵＳＣＨが割り当てられる。単一搬送波特性を維持するために、一つの端末はＰＵＣＣＨとＰＵＳＣＨを同時に送信しない。一つの端末に対するＰＵＣＣＨにはサブフレーム内にＲＢ対が割り当てられる。ＲＢ対に属するＲＢは、２個のスロットのそれぞれで異なる副搬送波を占める。これを、ＰＵＣＣＨに割り当てられたＲＢ対はスロットの境界（ｓｌｏｔ  ｂｏｕｎｄａｒｙ）で周波数ホッピング（跳躍）（ｆｒｅｑｕｅｎｃｙ  ｈｏｐｐｉｎｇ）するという。
【００７２】
図５には、本発明の実施例で使用できる下りリンクサブフレームの構造を示す。
【００７３】
図５を参照すると、サブフレームにおける第一のスロットでＯＦＤＭシンボルインデックス０から最大３個のＯＦＤＭシンボルが、制御チャネルが割り当てられる制御領域（ｃｏｎｔｒｏｌ  ｒｅｇｉｏｎ）であり、残りのＯＦＤＭシンボルが、ＰＤＳＣＨが割り当てられるデータ領域（ｄａｔａ  ｒｅｇｉｏｎ）である。３ＧＰＰ  ＬＴＥで用いられる下りリンク制御チャネルの例には、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）などがある。
【００７４】
ＰＣＦＩＣＨは、サブフレームにおける最初のＯＦＤＭシンボルで送信され、サブフレーム内に制御チャネルの送信のために使われるＯＦＤＭシンボルの数（すなわち、制御領域のサイズ）に関する情報を運ぶ。ＰＨＩＣＨは、上りリンクに対する応答チャネルであって、ＨＡＲＱ（Ｈｙｂｒｉｄ  Ａｕｔｏｍａｔｉｃ  Ｒｅｐｅａｔ  Ｒｅｑｕｅｓｔ）に対するＡＣＫ（Ａｃｋｎｏｗｌｅｄｇｅｍｅｎｔ）／ＮＡＣＫ（Ｎｅｇａｔｉｖｅ−Ａｃｋｎｏｗｌｅｄｇｅｍｅｎｔ）信号を運ぶ。ＰＤＣＣＨを介して送信される制御情報を下りリンク制御情報（ＤＣＩ：ｄｏｗｎｌｉｎｋ  ｃｏｎｔｒｏｌ  ｉｎｆｏｒｍａｔｉｏｎ）という。下りリンク制御情報は、上りリンクリソース割当て情報、下りリンクリソース割当て情報、又は任意の端末グループに対する上りリンク送信（Ｔｘ）電力制御命令を含む。
【００７５】
１．２  ＰＤＣＣＨ（Ｐｈｙｓｉｃａｌ  Ｄｏｗｎｌｉｎｋ  Ｃｏｎｔｒｏｌ  Ｃｈａｎｎｅｌ）
【００７６】
１．２．１  ＰＤＣＣＨ一般
【００７７】
ＰＤＣＣＨは、ＤＬ−ＳＣＨ（Ｄｏｗｎｌｉｎｋ  Ｓｈａｒｅｄ  Ｃｈａｎｎｅｌ）のリソース割当て及び送信フォーマット（すなわち、下りリンクグラント（ＤＬ−Ｇｒａｎｔ））、ＵＬ−ＳＣＨ（Ｕｐｌｉｎｋ  Ｓｈａｒｅｄ  Ｃｈａｎｎｅｌ）のリソース割当て情報（すなわち、上りリンクグラント（ＵＬ−Ｇｒａｎｔ））、ＰＣＨ（Ｐａｇｉｎｇ  Ｃｈａｎｎｅｌ）におけるページング（ｐａｇｉｎｇ）情報、ＤＬ−ＳＣＨにおけるシステム情報、ＰＤＳＣＨで送信されるランダムアクセス応答（ｒａｎｄｏｍ  ａｃｃｅｓｓ  ｒｅｓｐｏｎｓｅ）のような上位レイヤ（ｕｐｐｅｒ−ｌａｙｅｒ）制御メッセージに対するリソース割当て、任意の端末グループ内の個別端末に対する送信電力制御命令の集合、ＶｏＩＰ（Ｖｏｉｃｅ  ｏｖｅｒ  ＩＰ）活性化の有無に関する情報などを運ぶことができる。
【００７８】
複数のＰＤＣＣＨが制御領域内で送信されてもよく、端末は複数のＰＤＣＣＨをモニタすることができる。ＰＤＣＣＨは、１つ又は複数の連続したＣＣＥ（ｃｏｎｔｒｏｌ  ｃｈａｎｎｅｌ  ｅｌｅｍｅｎｔｓ）の集合（ａｇｇｒｅｇａｔｉｏｎ）で構成される。１つ又は複数の連続したＣＣＥの集合で構成されたＰＤＣＣＨは、サブブロックインターリービング（ｓｕｂｂｌｏｃｋ  ｉｎｔｅｒｌｅａｖｉｎｇ）を経た後、制御領域を通して送信することができる。ＣＣＥは、無線チャネルの状態による符号化率をＰＤＣＣＨに提供するために使われる論理的割当て単位である。ＣＣＥは、複数のリソース要素グループ（ＲＥＧ：ｒｅｓｏｕｒｃｅ  ｅｌｅｍｅｎｔ  ｇｒｏｕｐ）に対応する。ＣＣＥの数とＣＣＥによって提供される符号化率との関係によってＰＤＣＣＨのフォーマット及び可能なＰＤＣＣＨのビット数が決定される。
【００７９】
１．２．２  ＰＤＣＣＨ構造
【００８０】
複数の端末に対する多重化された複数のＰＤＣＣＨが制御領域内で送信されてもよい。ＰＤＣＣＨは１つ又は２つ以上の連続したＣＣＥの集合（ＣＣＥ  ａｇｇｒｅｇａｔｉｏｎ）で構成される。ＣＣＥは、４個のリソース要素で構成されたＲＥＧの９個のセットに対応する単位のことを指す。各ＲＥＧには４個のＱＰＳＫ（Ｑｕａｄｒａｔｕｒｅ  Ｐｈａｓｅ  Ｓｈｉｆｔ  Ｋｅｙｉｎｇ）シンボルがマップされる。参照信号（ＲＳ：Ｒｅｆｅｒｅｎｃｅ  Ｓｉｇｎａｌ）によって占有されたリソース要素はＲＥＧに含まれない。すなわち、ＯＦＤＭシンボル内でのＲＥＧの総数は、セル特定参照信号が存在するか否かによって異なってくることがある。４個のリソース要素を１つのグループにマップするＲＥＧの概念は、他の下りリンク制御チャネル（例えば、ＰＣＦＩＣＨ又はＰＨＩＣＨ）にも適用することができる。ＰＣＦＩＣＨ又はＰＨＩＣＨに割り当てられないＲＥＧを
2020099063.tif 000010
とすれば、システムで利用可能なＣＣＥの個数は
2020099063.tif 000011
であり、各ＣＣＥは０から
2020099063.tif 000012
までのインデックスを有する。
【００８１】
端末のデコーティングプロセスを単純化するために、ｎ個のＣＣＥを含むＰＤＣＣＨフォーマットは、ｎの倍数と同じインデックスを有するＣＣＥから始まってもよい。すなわち、ＣＣＥインデックスがｉである場合、
2020099063.tif 000013
を満たすＣＣＥから始まってもよい。
【００８２】
基地局は１つのＰＤＣＣＨ信号を構成するために｛１，２，４，８｝個のＣＣＥを使うことができ、ここで、｛１，２，４，８｝をＣＣＥ集合レベル（ａｇｇｒｅｇａｔｉｏｎ  ｌｅｖｅｌ）と呼ぶ。特定ＰＤＣＣＨの送信のために使われるＣＣＥの個数はチャネル状態によって基地局で決定される。例えば、良好な下りリンクチャネル状態（基地局に近接している場合）を有する端末のためのＰＤＣＣＨは、１つのＣＣＥだけで十分でありうる。一方、よくないチャネル状態（セル境界にある場合）を有する端末の場合は、８個のＣＣＥが十分な堅牢さ（ｒｏｂｕｓｔｎｅｓｓ）のために要求されることがある。しかも、ＰＤＣＣＨの電力レベルも、チャネル状態にマッチして調節されてもよい。
【００８３】
下記の表２にＰＤＣＣＨフォーマットを示す。ＣＣＥ集合レベルによって、表２のように４つのＰＤＣＣＨフォーマットがサポートされる。
【００８４】
【表２】
2020099063.tif 000014
【００８５】
端末ごとにＣＣＥ集合レベルが異なる理由は、ＰＤＣＣＨに載せられる制御情報のフォーマット又はＭＣＳ（Ｍｏｄｕｌａｔｉｏｎ  ａｎｄ  Ｃｏｄｉｎｇ  Ｓｃｈｅｍｅ）レベルが異なるためである。ＭＣＳレベルは、データコーディングに用いられるコードレート（ｃｏｄｅ  ｒａｔｅ）と変調次数（変調序列、ｍｏｄｕｌａｔｉｏｎ  ｏｒｄｅｒ）を意味する。適応的なＭＣＳレベルはリンク適応（ｌｉｎｋ  ａｄａｐｔａｔｉｏｎ）のために用いられる。一般に、制御情報を送信する制御チャネルでは３〜４個程度のＭＣＳレベルを考慮することができる。
【００８６】
制御情報のフォーマットを説明すると、ＰＤＣＣＨを介して送信される制御情報を下りリンク制御情報（ＤＣＩ）という。ＤＣＩフォーマットによってＰＤＣＣＨペイロード（ｐａｙｌｏａｄ）に載せられる情報の構成が異なることがある。ＰＤＣＣＨペイロードは、情報ビット（ｉｎｆｏｒｍａｔｉｏｎ  ｂｉｔ）を意味する。下記の表３は、ＤＣＩフォーマットによるＤＣＩを示すものである。
【００８７】
【表３】
2020099063.tif 000015
【００８８】
表３を参照すると、ＤＣＩフォーマットには、ＰＵＳＣＨスケジューリングのためのフォーマット０、１つのＰＤＳＣＨコードワードのスケジューリングのためのフォーマット１、１つのＰＤＳＣＨコードワードの簡単な（ｃｏｍｐａｃｔ）スケジューリングのためのフォーマット１Ａ、ＤＬ−ＳＣＨの非常に簡単なスケジューリングのためのフォーマット１Ｃ、閉ループ（Ｃｌｏｓｅｄ−ｌｏｏｐ）空間多重化（ｓｐａｔｉａｌ  ｍｕｌｔｉｐｌｅｘｉｎｇ）モードでのＰＤＳＣＨスケジューリングのためのフォーマット２、開ループ（Ｏｐｅｎ−ｌｏｏｐ）空間多重化モードでのＰＤＳＣＨスケジューリングのためのフォーマット２Ａ、上りリンクチャネルのためのＴＰＣ（Ｔｒａｎｓｍｉｓｓｉｏｎ  Ｐｏｗｅｒ  Ｃｏｎｔｒｏｌ）命令の送信のためのフォーマット３及び３Ａがある。ＤＣＩフォーマット１Ａは、端末にいずれの送信モードが設定されてもＰＤＳＣＨスケジューリングのために用いることができる。
【００８９】
ＤＣＩフォーマットによってＰＤＣＣＨペイロード長が変わることがある。また、ＰＤＣＣＨペイロードの種類とそれによる長さは、簡単な（ｃｏｍｐａｃｔ）スケジューリングであるか否か、又は端末に設定された送信モード（ｔｒａｎｓｍｉｓｓｉｏｎ  ｍｏｄｅ）などによって異なってもよい。
【００９０】
送信モードは、端末がＰＤＳＣＨを介した下りリンクデータを受信するように設定（ｃｏｎｆｉｇｕｒａｔｉｏｎ）することができる。例えば、ＰＤＳＣＨを介した下りリンクデータには、端末にスケジュールされたデータ（ｓｃｈｅｄｕｌｅｄ  ｄａｔａ）、ページング、ランダムアクセス応答、又はＢＣＣＨを介したブロードキャスト情報などがある。ＰＤＳＣＨを介した下りリンクデータは、ＰＤＣＣＨを介してシグナルされるＤＣＩフォーマットと関係がある。送信モードは、上位層シグナリング（例えば、ＲＲＣ（Ｒａｄｉｏ  Ｒｅｓｏｕｒｃｅ  Ｃｏｎｔｒｏｌ）シグナリング）によって端末に半静的に（ｓｅｍｉ−ｓｔａｔｉｃａｌｌｙ）設定することができる。送信モードは、シングルアンテナ送信（Ｓｉｎｇｌｅ  ａｎｔｅｎｎａ  ｔｒａｎｓｍｉｓｓｉｏｎ）又はマルチアンテナ（Ｍｕｌｔｉ−ａｎｔｅｎｎａ）送信に区別できる。
【００９１】
端末は、上位層シグナリングによって半静的（ｓｅｍｉ−ｓｔａｔｉｃ）に送信モードが設定される。例えば、マルチアンテナ送信には、送信ダイバーシティ（Ｔｒａｎｓｍｉｔ  ｄｉｖｅｒｓｉｔｙ）、開ループ（Ｏｐｅｎ−ｌｏｏｐ）又は閉ループ（Ｃｌｏｓｅｄ−ｌｏｏｐ）空間多重化（Ｓｐａｔｉａｌ  ｍｕｌｔｉｐｌｅｘｉｎｇ）、ＭＵ−ＭＩＭＯ（Ｍｕｌｔｉ−ｕｓｅｒ−Ｍｕｌｔｉｐｌｅ  Ｉｎｐｕｔ  Ｍｕｌｔｉｐｌｅ  Ｏｕｔｐｕｔ）、及びビーム形成（Ｂｅａｍｆｏｒｍｉｎｇ）などがある。送信ダイバーシティは、多重送信アンテナで同一のデータを送信して送信信頼度を高める技術である。空間多重化は、多重送信アンテナで互いに異なるデータを同時に送信し、システムの帯域幅を増加させることなく高速のデータを送信できる技術である。ビーム形成は、多重アンテナでチャネル状態による加重値を与えて信号のＳＩＮＲ（Ｓｉｇｎａｌ  ｔｏ  Ｉｎｔｅｒｆｅｒｅｎｃｅ  ｐｌｕｓ  Ｎｏｉｓｅ  Ｒａｔｉｏ）を増加させる技術である。
【００９２】
ＤＣＩフォーマットは、端末に設定された送信モードに依存する。端末が自身に設定された送信モードによってモニタする参照（Ｒｅｆｅｒｅｎｃｅ）ＤＣＩフォーマットがある。次の通り、端末に設定される送信モードは１０個の送信モードを有することができる。
【００９３】
（１）送信モード１：単一アンテナポート；ポート０
（２）送信モード２：送信ダイバーシティ（Ｔｒａｎｓｍｉｔ  Ｄｉｖｅｒｓｉｔｙ）
（３）送信モード３：開ループ空間多重化（Ｏｐｅｎ−ｌｏｏｐ  Ｓｐａｔｉａｌ  Ｍｕｌｔｉｐｌｅｘｉｎｇ）
（４）送信モード４：閉ループ空間多重化（Ｃｌｏｓｅｄ−ｌｏｏｐ  Ｓｐａｔｉａｌ  Ｍｕｌｔｉｐｌｅｘｉｎｇ）
（５）送信モード５：多重ユーザＭＩＭＯ
（６）送信モード６：閉ループランク＝１プリコーディング
（７）送信モード７：コードブックに基づかない、単一レイヤ送信をサポートするプリコーディング
（８）送信モード８：コードブックに基づかない、２個までのレイヤをサポートするプリコーディング
（９）送信モード９：コードブックに基づかない、８個までのレイヤをサポートするプリコーディング
（１０）送信モード１０：コードブックに基づかない、ＣｏＭＰのために用いられる、８個までのレイヤをサポートするプリコーディング
【００９４】
１．２．３  ＰＤＣＣＨ送信
【００９５】
基地局は、端末に送信しようとするＤＣＩによってＰＤＣＣＨフォーマットを決定し、制御情報にＣＲＣ（Ｃｙｃｌｉｃ  Ｒｅｄｕｎｄａｎｃｙ  Ｃｈｅｃｋ）を付加する。ＣＲＣにはＰＤＣＣＨの所有者（ｏｗｎｅｒ）や用途によって固有の識別子（例えば、ＲＮＴＩ（Ｒａｄｉｏ  Ｎｅｔｗｏｒｋ  Ｔｅｍｐｏｒａｒｙ  Ｉｄｅｎｔｉｆｉｅｒ））をマスクする。特定の端末のためのＰＤＣＣＨであれば、端末固有の識別子（例えば、Ｃ−ＲＮＴＩ（Ｃｅｌｌ−ＲＮＴＩ））をＣＲＣにマスクすることができる。若しくは、ページングメッセージのためのＰＤＣＣＨであれば、ページング指示識別子（例えば、Ｐ−ＲＮＴＩ（Ｐａｇｉｎｇ−ＲＮＴＩ））をＣＲＣにマスクすることができる。システム情報、より具体的にシステム情報ブロック（ｓｙｓｔｅｍ  ｉｎｆｏｒｍａｔｉｏｎ  ｂｌｏｃｋ、ＳＩＢ）のためのＰＤＣＣＨであれば、システム情報識別子（例えば、ＳＩ−ＲＮＴＩ（ｓｙｓｔｅｍ  ｉｎｆｏｒｍａｔｉｏｎ  ＲＮＴＩ））をＣＲＣにマスクすることができる。端末のランダムアクセスプリアンブルの送信に対する応答であるランダムアクセス応答を示すために、ＲＡ−ＲＮＴＩ（ｒａｎｄｏｍ  ａｃｃｅｓｓ−ＲＮＴＩ）をＣＲＣにマスクすることができる。
【００９６】
続いて、基地局は、ＣＲＣの付加された制御情報にチャネルコーディングを行って符号化されたデータ（ｃｏｄｅｄ  ｄａｔａ）を生成する。このとき、ＭＣＳレベルによるコードレートでチャネルコーディングを行うことができる。基地局は、ＰＤＣＣＨフォーマットに割り当てられたＣＣＥ集合レベルによる送信率マッチング（ｒａｔｅ  ｍａｔｃｈｉｎｇ）を行い、符号化されたデータを変調して変調シンボルを生成する。この時、ＭＣＳレベルによる変調次数を用いることができる。１つのＰＤＣＣＨを構成する変調シンボルは、ＣＣＥ集合レベルが１、２、４、８のいずれか一つであってもよい。その後、基地局は、変調シンボルを物理的なリソース要素にマップ（ＣＣＥ  ｔｏ  ＲＥ  ｍａｐｐｉｎｇ）する。
【００９７】
１．２．４  ブラインドデコーディング（ＢＳ：Ｂｌｉｎｄ  Ｄｅｃｏｄｉｎｇ）
【００９８】
一つのサブフレーム内で複数のＰＤＣＣＨが送信されてもよい。すなわち、一つのサブフレームの制御領域は、インデックス０〜
2020099063.tif 000016
を有する複数のＣＣＥで構成される。ここで、
2020099063.tif 000017
は、ｋ番目のサブフレームの制御領域内におけるＣＣＥの総数を意味する。端末は、サブフレームごとに複数のＰＤＣＣＨをモニタする。ここで、モニタリングとは、端末がモニタされるＰＤＣＣＨフォーマットによってＰＤＣＣＨのそれぞれのデコーディングを試みることをいう。
【００９９】
基地局は、端末にサブフレーム内に割り当てられた制御領域で該当ＰＤＣＣＨがどこに位置するのかに関する情報を提供しない。端末は基地局から送信された制御チャネルを受信するために自身のＰＤＣＣＨがどの位置でどのＣＣＥ集合レベルやＤＣＩフォーマットで送信されるのかを把握できず、端末は、サブフレーム内でＰＤＣＣＨ候補（ｃａｎｄｉｄａｔｅ）の集合をモニタして自身のＰＤＣＣＨを探す。これをブラインドデコーディング（ＢＤ）という。ブラインドデコーディングとは、端末がＣＲＣ部分に自身の端末識別子（ＵＥ  ＩＤ）をデマスク（Ｄｅ−Ｍａｓｋｉｎｇ）した後、ＣＲＣ誤りを検討し、当該ＰＤＣＣＨが自身の制御チャネルであるか否かを確認する方法をいう。
【０１００】
活性モード（ａｃｔｉｖｅ  ｍｏｄｅ）で、端末は自身に送信されるデータを受信するために各サブフレームのＰＤＣＣＨをモニタする。ＤＲＸモードで、端末は各ＤＲＸ周期のモニタリング区間で起床（ｗａｋｅ  ｕｐ）し、モニタリング区間に該当するサブフレームでＰＤＣＣＨをモニタする。ＰＤＣＣＨのモニタリングが行われるサブフレームをｎｏｎ−ＤＲＸサブフレームという。
【０１０１】
端末は、自身に送信されるＰＤＣＣＨを受信するためには、ｎｏｎ−ＤＲＸサブフレームの制御領域に存在する全てのＣＣＥに対してブラインドデコーディングを行わなければならない。端末は、いずれのＰＤＣＣＨフォーマットが送信されるのかを把握できないことから、各ｎｏｎ−ＤＲＸサブフレーム内でＰＤＣＣＨのブラインドデコーディングに成功するまで、可能なＣＣＥ集団レベルでＰＤＣＣＨを全てデコードしなければならない。端末は、自身のためのＰＤＣＣＨがいくつのＣＣＥを用いるのかを把握できず、ＰＤＣＣＨのブラインドデコーディングに成功するまで、可能な全てのＣＣＥ集団レベルで検出を試みなければならない。
【０１０２】
ＬＴＥシステムでは端末のブラインドデコーディングのためにサーチスペース（ＳＳ：Ｓｅａｒｃｈ  Ｓｐａｃｅ）概念を定義する。サーチスペースは、端末がモニタするためのＰＤＣＣＨ候補セットを意味し、各ＰＤＣＣＨフォーマットによって異なるサイズを有することができる。サーチスペースは、共用サーチスペース（ＣＳＳ：Ｃｏｍｍｏｎ  Ｓｅａｒｃｈ  Ｓｐａｃｅ）及び端末特定サーチスペース（ＵＳＳ：ＵＥ−ｓｐｅｃｉｆｉｃ／Ｄｅｄｉｃａｔｅｄ  Ｓｅａｒｃｈ  Ｓｐａｃｅ）を含むことができる。
【０１０３】
共用サーチスペースの場合、全ての端末が共用サーチスペースのサイズを認知できるが、端末特定サーチスペースは、端末ごとに個別に設定することができる。したがって、端末は、ＰＤＣＣＨをデコードするために、端末特定サーチスペース及び共用サーチスペースを全てモニタしなければならなく、したがって、１サブフレームで最大４４回のブラインドデコーディング（ＢＤ）を行うことになる。ここには、異なるＣＲＣ値（例えば、Ｃ−ＲＮＴＩ、Ｐ−ＲＮＴＩ、ＳＩ−ＲＮＴＩ、ＲＡ−ＲＮＴＩ）によって行うブラインドデコーディングは含まれない。
【０１０４】
サーチスペースの制約によって、基地局が、与えられたサブフレーム内でＰＤＣＣＨを送信しようとする端末の全てにＰＤＣＣＨを送信するためのＣＣＥリソースが確保されない場合が発生しうる。なぜなら、ＣＣＥ位置が割り当てられて残ったリソースは、特定端末のサーチスペース内に含まれないことがあるためである。次のサブフレームでも続き得るこのような障壁を最小化するために、端末特定ホッピング（ｈｏｐｐｉｎｇ）シーケンスを端末特定サーチスペースの始点に適用することができる。
【０１０５】
表４は、共用サーチスペースと端末特定サーチスペースのサイズを示す。
【０１０６】
【表４】
2020099063.tif 000018
【０１０７】
ブラインドデコーディングを試みる回数による端末の負荷を軽減するために、端末は、定義された全てのＤＣＩフォーマットによるサーチを同時に行うわけではない。具体的に、端末は、端末特定サーチスペースで常にＤＣＩフォーマット０及び１Ａに対するサーチを行う。この時、ＤＣＩフォーマット０と１Ａは同じサイズを有するが、端末は、ＰＤＣＣＨに含まれたＤＣＩフォーマット０と１Ａを区別するために用いられるフラグ（ｆｌａｇ  ｆｏｒ  ｆｏｒｍａｔ  ０／ｆｏｒｍａｔ  １Ａ  ｄｉｆｆｅｒｅｎｔｉａｔｉｏｎ）を用いてＤＣＩフォーマットを区別することができる。また、端末にＤＣＩフォーマット０とＤＣＩフォーマット１Ａに加えて他のＤＣＩフォーマットが要求されてもよいが、その一例としてＤＣＩフォーマット１、１Ｂ、２がある。
【０１０８】
共用サーチスペースで、端末はＤＣＩフォーマット１Ａと１Ｃをサーチすることができる。また、端末はＤＣＩフォーマット３又は３Ａをサーチするように設定されてもよく、ＤＣＩフォーマット３と３Ａは、ＤＣＩフォーマット０と１Ａと同じサイズを有するが、端末は、端末特定識別子以外の識別子によってスクランブルされたＣＲＣを用いてＤＣＩフォーマットを区別することができる。
【０１０９】
サーチスペース
2020099063.tif 000019
は、集合レベル
2020099063.tif 000020
によるＰＤＣＣＨ候補セットを意味する。サーチスペースのＰＤＣＣＨ候補セット
2020099063.tif 000021
によるＣＣＥは、次式１によって決定することができる。
【０１１０】
［式１］
【数１】
2020099063.tif 000022
【０１１１】
ここで、
2020099063.tif 000023
は、サーチスペースでモニタするためのＣＣＥ集合レベルＬによるＰＤＣＣＨ候補の個数を表し、
2020099063.tif 000024
である。
2020099063.tif 000025
は、ＰＤＣＣＨにおいて各ＰＤＣＣＨ候補で個別ＣＣＥを指定するインデックスであり、
2020099063.tif 000026
である。
2020099063.tif 000027
であり、
2020099063.tif 000028
は、無線フレーム内でのスロットインデックスを表す。
【０１１２】
上述したように、端末は、ＰＤＣＣＨをデコードするために端末特定サーチスペース及び共用サーチスペースの両方をモニタする。ここで、共用サーチスペース（ＣＳＳ）は、｛４，８｝の集合レベルを有するＰＤＣＣＨをサポートし、端末特定サーチスペース（ＵＳＳ）は、｛１，２，４，８｝の集合レベルを有するＰＤＣＣＨをサポートする。表５は、端末によってモニタされるＰＤＣＣＨ候補を表す。
【０１１３】
【表５】
2020099063.tif 000029
【０１１４】
式１を参照すると、共用サーチスペースの場合、２個の集合レベル、Ｌ＝４及びＬ＝８に対して
2020099063.tif 000030
は０に設定される。一方、端末特定サーチスペースの場合、集合レベルＬに対して
2020099063.tif 000031
は式２のように定義される。
【０１１５】
［式２］
【数２】
2020099063.tif 000032
【０１１６】
ここで、
2020099063.tif 000033
であり、
2020099063.tif 000034
はＲＮＴＩ値を表す。また、
2020099063.tif 000035
であり、
2020099063.tif 000036
である。
【０１１７】
２．キャリアアグリゲーション（ＣＡ：Ｃａｒｒｉｅｒ  Ａｇｇｒｅｇａｔｉｏｎ、キャリア併合）環境
【０１１８】
２．１  ＣＡ一般
【０１１９】
３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；Ｒｅｌ−８又はＲｅｌ−９）システム（以下、ＬＴＥシステム）は、単一コンポーネントキャリア（ＣＣ：Ｃｏｍｐｏｎｅｎｔ  Ｃａｒｒｉｅｒ）を複数の帯域に分割して使う多重搬送波変調（ＭＣＭ：Ｍｕｌｔｉ−Ｃａｒｒｉｅｒ  Ｍｏｄｕｌａｔｉｏｎ）方式を用いる。しかし、３ＧＰＰ  ＬＴＥ−Ａｄｖａｎｃｅｄシステム（以下、ＬＴＥ−Ａシステム）では、ＬＴＥシステムに比べて広帯域のシステム帯域幅をサポートするために、一つ以上のコンポーネントキャリアを結合して使うキャリアアグリゲーション（ＣＡ：Ｃａｒｒｉｅｒ  Ａｇｇｒｅｇａｔｉｏｎ）のような方法を用いることができる。キャリアアグリゲーションは、搬送波集成、搬送波整合、マルチコンポーネントキャリア環境（Ｍｕｌｔｉ−ＣＣ）、又はマルチキャリア環境と呼ぶこともできる。
【０１２０】
本発明でマルチキャリアはキャリアの併合（又は、搬送波集成）を意味し、この場合、キャリアの併合は、隣接した（ｃｏｎｔｉｇｕｏｕｓ）キャリア間の併合だけでなく、隣接しない（ｎｏｎ−ｃｏｎｔｉｇｕｏｕｓ）キャリア間の併合も意味する。また、下りリンクと上りリンクにおいて集成されるコンポーネントキャリアの数を異なるように設定してもよい。下りリンクコンポーネントキャリア（以下、「ＤＬ  ＣＣ」という。）の数と上りリンクコンポーネントキャリア（以下、「ＵＬ  ＣＣ」という。）の数とが一致する場合を対称的（ｓｙｍｍｅｔｒｉｃ）併合といい、両者の数が異なる場合を非対称的（ａｓｙｍｍｅｔｒｉｃ）併合という。このようなキャリアアグリゲーションは、搬送波集成、帯域幅集成（ｂａｎｄｗｉｄｔｈ  ａｇｇｒｅｇａｔｉｏｎ）、スペクトル集成（ｓｐｅｃｔｒｕｍ  ａｇｇｒｅｇａｔｉｏｎ）などのような用語に言い換えてもよい。
【０１２１】
２つ以上のコンポーネントキャリアが結合して構成されるキャリアアグリゲーションは、ＬＴＥ−Ａシステムでは１００ＭＨｚ帯域幅までサポートすることを目標とする。目標帯域よりも小さい帯域幅を有する１個以上のキャリアを結合するとき、結合するキャリアの帯域幅は、既存のＩＭＴシステムとの互換性（ｂａｃｋｗａｒｄ  ｃｏｍｐａｔｉｂｉｌｉｔｙ）維持のために、既存のシステムで使う帯域幅に制限することができる。
【０１２２】
例えば、既存の３ＧＰＰ  ＬＴＥシステムでは、｛１．４，３，５，１０，１５，２０｝ＭＨｚ帯域幅をサポートし、３ＧＰＰ  ＬＴＥ−ａｄｖａｎｃｅｄシステム（すなわち、ＬＴＥ−Ａ）では、既存のシステムとの互換のために、それらの帯域幅のみを用いて２０ＭＨｚよりも大きい帯域幅をサポートするようにすることができる。また、本発明で用いられるキャリアアグリゲーションシステムは、既存のシステムで用いる帯域幅にかかわらず、新しい帯域幅を定義してキャリアアグリゲーションをサポートするようにすることもできる。
【０１２３】
また、このようなキャリアアグリゲーションは、イントラバンドＣＡ（Ｉｎｔｒａ−ｂａｎｄ  ＣＡ）とインターバンドＣＡ（Ｉｎｔｅｒ−ｂａｎｄ  ＣＡ）とに区別できる。イントラバンドキャリアアグリゲーションとは、複数のＤＬ  ＣＣ及び／又はＵＬ  ＣＣが周波数上で隣接するか近接して位置することを意味する。言い換えると、ＤＬ  ＣＣ及び／又はＵＬ  ＣＣのキャリア周波数が同じバンド内に位置することを意味できる。一方、周波数領域において遠く離れている環境をインターバンドＣＡ（Ｉｎｔｅｒ−Ｂａｎｄ  ＣＡ）と呼ぶことができる。言い換えると、複数のＤＬ  ＣＣ及び／又はＵＬ  ＣＣのキャリア周波数が、互いに異なるバンドに位置することを意味できる。この場合、端末は、キャリアアグリゲーション環境における通信を行うために、複数のＲＦ（ｒａｄｉｏ  ｆｒｅｑｕｅｎｃｙ）端を使うことができる。
【０１２４】
ＬＴＥ−Ａシステムは、無線リソースを管理するためにセル（ｃｅｌｌ）の概念を用いる。上述したキャリアアグリゲーション環境は、多重セル（ｍｕｌｔｉｐｌｅ  ｃｅｌｌｓ）環境と呼ぶことができる。セルは、下りリンクリソース（ＤＬ  ＣＣ）及び上りリンクリソース（ＵＬ  ＣＣ）の組合せと定義されるが、上りリンクリソースは必須要素ではない。このため、セルは、下りリンクリソース単独、又は下りリンクリソース及び上りリンクリソースの両者で構成することができる。
【０１２５】
例えば、特定端末が、１個の設定されたサービングセル（ｃｏｎｆｉｇｕｒｅｄ  ｓｅｒｖｉｎｇ  ｃｅｌｌ）を有する場合、１個のＤＬ  ＣＣと１個のＵＬ  ＣＣを有することができる。しかし、特定端末が２個以上の設定されたサービングセルを有する場合には、セルの数だけのＤＬ  ＣＣを有し、ＵＬ  ＣＣの数はそれと同数又は小さい数であってもよい。若しくは、これと逆にＤＬ  ＣＣとＵＬ  ＣＣが構成されてもよい。すなわち、特定端末が複数の設定されたサービングセルを有する場合、ＤＬ  ＣＣの数よりもＵＬ  ＣＣが多いキャリアアグリゲーション環境がサポートされてもよい。
【０１２６】
また、キャリアアグリゲーション（ＣＡ）は、それぞれのキャリア周波数（セルの中心周波数）が異なる２つ以上のセルの併合と理解されてもよい。キャリアアグリゲーションでいう「セル（Ｃｅｌｌ）」は、周波数の観点で説明されるものであり、一般的に使われる、基地局のカバーする地理的領域としての「セル」とは区別されなければならない。以下、上述したイントラバンドキャリアアグリゲーションをイントラバンド多重セルといい、インターバンドキャリアアグリゲーションをインターバンド多重セルという。
【０１２７】
ＬＴＥ−Ａシステムで用いられるセルは、プライマリセル（ＰＣｅｌｌ：Ｐｒｉｍａｒｙ  Ｃｅｌｌ）及びセカンダリセル（ＳＣｅｌｌ：Ｓｅｃｏｎｄａｒｙ  Ｃｅｌｌ）を含む。ＰセルとＳセルはサービングセル（Ｓｅｒｖｉｎｇ  Ｃｅｌｌ）として用いることができる。ＲＲＣ＿ＣＯＮＮＥＣＴＥＤ状態にあるが、キャリアアグリゲーションが設定されていないか又はキャリアアグリゲーションをサポートしない端末の場合、Ｐセルのみで構成されたサービングセルが１つのみ存在する。一方、ＲＲＣ＿ＣＯＮＮＥＣＴＥＤ状態であるとともに、キャリアアグリゲーションが設定されている端末の場合、一つ以上のサービングセルが存在してもよく、全体のサービングセルにはＰセルと一つ以上のＳセルが含まれる。
【０１２８】
サービングセル（ＰセルとＳセル）は、ＲＲＣパラメータを用いて設定することができる。ＰｈｙｓＣｅｌｌＩｄは、セルの物理層識別子であって、０から５０３までの整数値を有する。ＳＣｅｌｌＩｎｄｅｘは、Ｓセルを識別するために使われる簡略な（ｓｈｏｒｔ）識別子であって、１から７までの整数値を有する。ＳｅｒｖＣｅｌｌＩｎｄｅｘは、サービングセル（Ｐセル又はＳセル）を識別するために使われる簡略な（ｓｈｏｒｔ）識別子であって、０から７までの整数値を有する。０値はＰセルに適用され、ＳＣｅｌｌＩｎｄｅｘはＳセルに適用するためにあらかじめ与えられる。すなわち、ＳｅｒｖＣｅｌｌＩｎｄｅｘにおいて最も小さいセルＩＤ（又はセルインデックス）を有するセルがＰセルとなる。
【０１２９】
Ｐセルはプライマリ周波数（又は、ｐｒｉｍａｒｙ  ＣＣ）上で動作するセルを意味する。端末が初期接続設定（ｉｎｉｔｉａｌ  ｃｏｎｎｅｃｔｉｏｎ  ｅｓｔａｂｌｉｓｈｍｅｎｔ）過程を行うか、接続再設定過程を行うために用いられてもよく、ハンドオーバー過程で指示されたセルのことを指してもよい。また、Ｐセルは、キャリアアグリゲーション環境で設定されたサービングセルのうち、制御関連通信の中心となるセルを意味する。すなわち、端末は、自身のＰセルでのみＰＵＣＣＨの割当てを受けて送信することができ、システム情報を取得するか、モニタリング手順を変更する時にＰセルのみを用いることができる。Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）は、キャリアアグリゲーション環境をサポートする端末に対して、移動性制御情報（ｍｏｂｉｌｉｔｙＣｏｎｔｒｏｌＩｎｆｏ）を含む上位層のＲＲＣ接続再設定（ＲＲＣＣｏｎｎｅｃｔｉｏｎＲｅｃｏｎｆｉｇｕｔａｉｏｎ）メッセージを用いてハンドオーバー手順のためにＰセルのみを変更することもできる。
【０１３０】
Ｓセルはセカンダリ周波数（又は、Ｓｅｃｏｎｄａｒｙ  ＣＣ）上で動作するセルを意味できる。特定端末にＰセルは１一つのみ割り当てられ、Ｓセルは１つ以上割り当てられてもよい。Ｓセルは、ＲＲＣ接続設定がなされた後に構成可能であり、追加の無線リソースを提供するために用いることができる。キャリアアグリゲーション環境で設定されたサービングセルにおいてＰセル以外のセル、すなわち、ＳセルにはＰＵＣＣＨが存在しない。
【０１３１】
Ｅ−ＵＴＲＡＮは、Ｓセルをキャリアアグリゲーション環境をサポートする端末に追加する時、ＲＲＣ＿ＣＯＮＮＥＣＴＥＤ状態にある関連したセルの動作に関する全てのシステム情報を特定シグナル（ｄｅｄｉｃａｔｅｄ  ｓｉｇｎａｌ）を用いて提供することができる。システム情報の変更は、関連したＳセルの解除及び追加によって制御することができ、このとき、上位層のＲＲＣ接続再設定（ＲＲＣＣｏｎｎｅｃｔｉｏｎＲｅｃｏｎｆｉｇｕｔａｉｏｎ）メッセージを用いることができる。Ｅ−ＵＴＲＡＮは、関連したＳセル内でブロードキャストするよりは、端末別に異なるパラメータを有する特定シグナリング（ｄｅｄｉｃａｔｅｄ  ｓｉｇｎａｌｉｎｇ）をすればよい。
【０１３２】
初期セキュリティ活性化過程が始まった後に、Ｅ−ＵＴＲＡＮは、接続設定過程で初期に構成されるＰセルに加えて一つ以上のＳセルを含むネットワークを構成することができる。キャリアアグリゲーション環境でＰセル及びＳセルはそれぞれのコンポーネントキャリアとして動作することができる。以下の実施例では、プライマリコンポーネントキャリア（ＰＣＣ）はＰセルと同じ意味で使われ、セカンダリコンポーネントキャリア（ＳＣＣ）はＳセルと同じ意味で使われてもよい。
【０１３３】
図６は、本発明の実施例で用いられるコンポーネントキャリア（ＣＣ）、及びＬＴＥ＿Ａシステムで用いられるキャリアアグリゲーションの一例を示す図である。
【０１３４】
図６（ａ）は、ＬＴＥシステムで用いられる単一キャリア構造を示す。コンポーネントキャリアにはＤＬ  ＣＣとＵＬ  ＣＣがある。一つのコンポーネントキャリアは２０ＭＨｚの周波数範囲を有することができる。
【０１３５】
図６（ｂ）は、ＬＴＥ＿Ａシステムで用いられるキャリアアグリゲーション構造を示す。図６（ｂ）では、２０ＭＨｚの周波数サイズを有する３個のコンポーネントキャリアが結合された場合を示している。ＤＬ  ＣＣとＵＬ  ＣＣがそれぞれ３個ずつあるが、ＤＬ  ＣＣとＵＬ  ＣＣの個数に制限があるわけではない。キャリアアグリゲーションの場合、端末は３個のＣＣを同時にモニタすることができ、下りリンク信号／データを受信することができ、上りリンク信号／データを送信することができる。
【０１３６】
仮に、特定セルでＮ個のＤＬ  ＣＣが管理される場合には、ネットワークは、端末にＭ（Ｍ≦Ｎ）個のＤＬ  ＣＣを割り当てることができる。この時、端末はＭ個の制限されたＤＬ  ＣＣのみをモニタしてＤＬ信号を受信することができる。また、ネットワークはＬ（Ｌ≦Ｍ≦Ｎ）個のＤＬ  ＣＣに優先順位を与えて主なＤＬ  ＣＣを端末に割り当てることもでき、この場合、ＵＥはＬ個のＤＬ  ＣＣは必ずモニタしなければならない。この方式は上りリンク送信に同様に適用されてもよい。
【０１３７】
下りリンクリソースの搬送波周波数（又はＤＬ  ＣＣ）と上りリンクリソースの搬送波周波数（又は、ＵＬ  ＣＣ）とのリンケージ（ｌｉｎｋａｇｅ）は、ＲＲＣメッセージのような上位層メッセージやシステム情報で示すことができる。例えば、ＳＩＢ２（Ｓｙｓｔｅｍ  Ｉｎｆｏｒｍａｔｉｏｎ  Ｂｌｏｃｋ  Ｔｙｐｅ２）によって定義されるリンケージによってＤＬリソースとＵＬリソースとの組合せを構成することができる。具体的に、リンケージは、ＵＬグラントを運ぶＰＤＣＣＨが送信されるＤＬ  ＣＣと該ＵＬグラントを用いるＵＬ  ＣＣとのマッピング関係を意味することができ、ＨＡＲＱのためのデータが送信されるＤＬ  ＣＣ（又はＵＬ  ＣＣ）とＨＡＲＱ  ＡＣＫ／ＮＡＣＫ信号が送信されるＵＬ  ＣＣ（又はＤＬ  ＣＣ）とのマッピング関係を意味することもできる。
【０１３８】
２．２  クロスキャリアスケジューリング（Ｃｒｏｓｓ  Ｃａｒｒｉｅｒ  Ｓｃｈｅｄｕｌｉｎｇ）
【０１３９】
キャリアアグリゲーションシステムには、キャリア（又は搬送波）又はサービングセル（Ｓｅｒｖｉｎｇ  Ｃｅｌｌ）に対するスケジューリング観点で、自己スケジューリング（Ｓｅｌｆ−Ｓｃｈｅｄｕｌｉｎｇ）方法及びクロスキャリアスケジューリング（Ｃｒｏｓｓ  Ｃａｒｒｉｅｒ  Ｓｃｈｅｄｕｌｉｎｇ）方法がある。クロスキャリアスケジューリングは、クロスコンポーネントキャリアスケジューリング（Ｃｒｏｓｓ  Ｃｏｍｐｏｎｅｎｔ  Ｃａｒｒｉｅｒ  Ｓｃｈｅｄｕｌｉｎｇ）又はクロスセルスケジューリング（Ｃｒｏｓｓ  Ｃｅｌｌ  Ｓｃｈｅｄｕｌｉｎｇ）と呼ぶこともできる。
【０１４０】
自己スケジューリングは、ＰＤＣＣＨ（ＤＬグラント）とＰＤＳＣＨが同一ＤＬ  ＣＣで送信されるか、又はＤＬ  ＣＣで送信されたＰＤＣＣＨ（ＵＬグラント）によって送信されるＰＵＳＣＨが、ＵＬグラントを受信したＤＬ  ＣＣとリンクされているＵＬ  ＣＣで送信されることを意味する。
【０１４１】
クロスキャリアスケジューリングは、ＰＤＣＣＨ（ＤＬグラント）とＰＤＳＣＨがそれぞれ異なるＤＬ  ＣＣで送信されるか、又はＤＬ  ＣＣで送信されたＰＤＣＣＨ（ＵＬグラント）によって送信されるＰＵＳＣＨが、ＵＬグラントを受信したＤＬ  ＣＣとリンクされているＵＬ  ＣＣ以外のＵＬ  ＣＣで送信されることを意味する。
【０１４２】
クロスキャリアスケジューリングは、端末特定（ＵＥ−ｓｐｅｃｉｆｉｃ）に活性化又は非活性化することができ、上位層シグナリング（例えば、ＲＲＣシグナリング）を用いて半静的（ｓｅｍｉ−ｓｔａｔｉｃ）に各端末に対して知らせることができる。
【０１４３】
クロスキャリアスケジューリングが活性化された場合、ＰＤＣＣＨには、該ＰＤＣＣＨが示すＰＤＳＣＨ／ＰＵＳＣＨがどのＤＬ／ＵＬ  ＣＣで送信されるのかを知らせるキャリア指示子フィールド（ＣＩＦ：Ｃａｒｒｉｅｒ  Ｉｎｄｉｃａｔｏｒ  Ｆｉｅｌｄ）が必要である。例えば、ＰＤＣＣＨは、ＰＤＳＣＨリソース又はＰＵＳＣＨリソースをＣＩＦを用いて複数のコンポーネントキャリアの一つに割り当てることができる。すなわち、ＤＬ  ＣＣ上のＰＤＣＣＨが多重集成されたＤＬ／ＵＬ  ＣＣのうちの一つにＰＤＳＣＨ又はＰＵＳＣＨリソースを割り当てる場合にＣＩＦが設定される。この場合、ＬＴＥ  Ｒｅｌｅａｓｅ−８のＤＣＩフォーマットはＣＩＦによって拡張されてもよい。このとき、設定されたＣＩＦは、３ビットフィールドに固定されてもよく、設定されたＣＩＦの位置はＤＣＩフォーマットサイズに関係なく固定されてもよい。また、ＬＴＥ  Ｒｅｌｅａｓｅ−８のＰＤＣＣＨ構造（同一のコーディング及び同一のＣＣＥベースのリソースマッピング）を再使用してもよい。
【０１４４】
一方、ＤＬ  ＣＣ上のＰＤＣＣＨが同ＤＬ  ＣＣ上のＰＤＳＣＨリソースを割り当てるか、単一リンクされたＵＬ  ＣＣ上のＰＵＳＣＨリソースを割り当てる場合には、ＣＩＦが設定されない。この場合、ＬＴＥ  Ｒｅｌｅａｓｅ−８と同じＰＤＣＣＨ構造（同一のコーディング及び同一のＣＣＥベースのリソースマッピング）とＤＣＩフォーマットが用いられてもよい。
【０１４５】
クロスキャリアスケジューリングが可能な場合、端末はＣＣ別送信モード及び／又は帯域幅によってモニタリングＣＣの制御領域で複数のＤＣＩに対するＰＤＣＣＨをモニタする必要がある。このため、これをサポートできる検索空間の構成とＰＤＣＣＨモニタリングが必要である。
【０１４６】
キャリアアグリゲーションシステムにおいて、端末ＤＬ  ＣＣ集合は、端末がＰＤＳＣＨを受信するようにスケジュールされたＤＬ  ＣＣの集合を指し、端末ＵＬ  ＣＣ集合は、端末がＰＵＳＣＨを送信するようにスケジュールされたＵＬ  ＣＣの集合を指す。また、ＰＤＣＣＨモニタリング集合（ｍｏｎｉｔｏｒｉｎｇ  ｓｅｔ）は、ＰＤＣＣＨモニタリングを行う少なくとも一つのＤＬ  ＣＣの集合を意味する。ＰＤＣＣＨモニタリング集合は、端末ＤＬ  ＣＣ集合と同一であってもよく、端末ＤＬ  ＣＣ集合の副集合（ｓｕｂｓｅｔ）であってもよい。ＰＤＣＣＨモニタリング集合は、端末ＤＬ  ＣＣ集合におけるＤＬ  ＣＣの少なくとも一つを含むことができる。若しくは、ＰＤＣＣＨモニタリング集合は、端末ＤＬ  ＣＣ集合とは別個に定義されてもよい。ＰＤＣＣＨモニタリング集合に含まれるＤＬ  ＣＣは、リンクされたＵＬ  ＣＣに対する自己スケジューリング（ｓｅｌｆ−ｓｃｈｅｄｕｌｉｎｇ）は常に可能なように設定することができる。このような、端末ＤＬ  ＣＣ集合、端末ＵＬ  ＣＣ集合及びＰＤＣＣＨモニタリング集合は、端末特定（ＵＥ−ｓｐｅｃｉｆｉｃ）、端末グループ特定（ＵＥ  ｇｒｏｕｐ−ｓｐｅｃｉｆｉｃ）又はセル特定（Ｃｅｌｌ−ｓｐｅｃｉｆｉｃ）に設定することができる。
【０１４７】
クロスキャリアスケジューリングが非活性化された場合には、ＰＤＣＣＨモニタリング集合が常に端末ＤＬ  ＣＣ集合と同一であるということを意味し、このような場合にはＰＤＣＣＨモニタリング集合に対する別のシグナリングのような指示が必要でない。しかし、クロスキャリアスケジューリングが活性化された場合には、ＰＤＣＣＨモニタリング集合が端末ＤＬ  ＣＣ集合内で定義されることが好ましい。すなわち、端末に対してＰＤＳＣＨ又はＰＵＳＣＨをスケジュールするために、基地局はＰＤＣＣＨモニタリング集合のみを介してＰＤＣＣＨを送信する。
【０１４８】
図７は、本発明の実施例で用いられるクロスキャリアスケジューリングによるＬＴＥ−Ａシステムのサブフレーム構造を示す図である。
【０１４９】
図７を参照すると、ＬＴＥ−Ａ端末のためのＤＬサブフレームは、３個の下りリンクコンポーネントキャリア（ＤＬ  ＣＣ）が結合されており、ＤＬ  ＣＣ  「Ａ」はＰＤＣＣＨモニタリングＤＬ  ＣＣとして設定された場合を示す。ＣＩＦが使用されない場合、各ＤＬ  ＣＣはＣＩＦ無しで自身のＰＤＳＣＨをスケジュールするＰＤＣＣＨを送信することができる。一方、ＣＩＦが上位層シグナリングによって使用される場合には、一つのＤＬ  ＣＣ  「Ａ」のみがＣＩＦを用いて自身のＰＤＳＣＨ又は他のＣＣのＰＤＳＣＨをスケジュールするＰＤＣＣＨを送信することができる。この時、ＰＤＣＣＨモニタリングＤＬ  ＣＣとして設定されていないＤＬ  ＣＣ  「Ｂ」及び「Ｃ」はＰＤＣＣＨを送信しない。
【０１５０】
図８は、本発明の実施例で用いられるクロスキャリアスケジューリングによるサービングセル構成の一例を示す図である。
【０１５１】
キャリアアグリゲーション（ＣＡ）をサポートする無線接続システムでは基地局及び／又は端末を一つ以上のサービングセルで構成することができる。図８で、基地局は、Ａセル、Ｂセル、Ｃセル及びＤセルの全４個のサービングセルをサポートすることができ、端末ＡはＡセル、Ｂセル及びＣセルで構成され、端末ＢはＢセル、Ｃセル及びＤセルで構成され、端末ＣはＢセルで構成された場合を仮定する。ここで、各端末に構成されたセルのうち少なくとも一つをＰセルとして設定することができる。この時、Ｐセルは常に活性化された状態であり、Ｓセルは基地局及び／又は端末によって活性化又は非活性化されてもよい。
【０１５２】
図８で、構成されたセルは、基地局のセルのうち、端末からの測定報告（ｍｅａｓｕｒｅｍｅｎｔ  ｒｅｐｏｒｔ）メッセージに基づいてＣＡにセル追加が可能なセルであって、端末別に設定可能である。構成されたセルは、ＰＤＳＣＨ信号の送信に対するＡＣＫ／ＮＡＣＫメッセージの送信のためのリソースをあらかじめ予約しておく。活性化されたセル（Ａｃｔｉｖａｔｅｄ  ｃｅｌｌ）は、構成されたセルのうち、実際にＰＤＳＣＨ信号及び／又はＰＵＳＣＨ信号を送信するように設定されたセルであり、ＣＳＩ報告及びＳＲＳ（Ｓｏｕｎｄｉｎｇ  Ｒｅｆｅｒｅｎｃｅ  Ｓｉｇｎａｌ）送信を行う。非活性化されたセル（Ｄｅ−Ａｃｔｉｖａｔｅｄ  ｃｅｌｌ）は、基地局の命令又はタイマー動作によってＰＤＳＣＨ／ＰＵＳＣＨ信号の送受信を行わないように構成されるセルであって、ＣＳＩ報告及びＳＲＳ送信も中断される。
【０１５３】
２．３  ＣＡ環境に基づくＣｏＭＰ動作
【０１５４】
以下では本発明の実施形態に適用可能な協力的多重ポイント（ＣｏＭＰ：Ｃｏｏｐｅｒａｔｉｖｅ  Ｍｕｌｔｉ−Ｐｏｉｎｔ）伝送動作について説明する。
【０１５５】
ＬＴＥ−ＡシステムにおいてＬＴＥでのＣＡ（ｃａｒｒｉｅｒ  ａｇｇｒｅｇａｔｉｏｎ）機能を用いてＣｏＭＰ伝送を実現することができる。図９はＣＡ環境で動作するＣｏＭＰシステムの概念図である。
【０１５６】
図９で、Ｐセルとして動作するキャリアとＳセルとして動作するキャリアは周波数軸に同じ周波数帯域を使うことができ、地理的に離れた二つのｅＮＢにそれぞれ割り当てられた場合を仮定する。この際、ＵＥ１のサービングｅＮＢをＰセルとして割り当て、多くの干渉を与える隣接セルをＳセルとして割り当てることができる。すなわち、一つの端末に対してＰセルの基地局とＳセルの基地局が互いにＪＴ（Ｊｏｉｎｔ  Ｔｒａｎｓｍｉｓｓｉｏｎ）、ＣＳ／ＣＢ及び動的セル選択（Ｄｙｎａｍｉｃ  ｃｅｌｌ  ｓｅｌｅｃｔｉｏｎ）などの多様なＤＬ／ＵＬ  ＣｏＭＰ動作を遂行することができる。
【０１５７】
図９は一つの端末（例えば、ＵＥ１）に対して二つのｅＮＢが管理するセルをそれぞれＰセルとＳセルとして結合する場合に対する例を示す。ただし、他の例として３個以上のセルが結合することができる。例えば、三つ以上のセルの一部セルは同じ一周波数帯域で一つの端末に対してＣｏＭＰ動作を遂行し、他のセルは他の周波数帯域で単純ＣＡ動作を遂行するように構成されることも可能である。この際、Ｐセルは必ずしもＣｏＭＰ動作に参加する必要はない。
【０１５８】
２．４  参照信号（ＲＳ：Ｒｅｆｅｒｅｎｃｅ  Ｓｉｇｎａｌ）
【０１５９】
以下では本発明の実施例で使用可能な参照信号について説明する。
【０１６０】
図１０は本発明の実施例で使用可能なセル特定参照信号（ＣＲＳ：Ｃｅｌｌ  ｓｐｅｃｉｆｉｃ  Ｒｅｆｅｒｅｎｃｅ  Ｓｉｇｎａｌ）が割り当てられたサブフレームの一例を示す図である。
【０１６１】
図１０はシステムで４個のアンテナをサポートする場合にＣＲＳの割当て構造を示す。３ＧＰＰ  ＬＴＥ／ＬＴＥ−ＡシステムでＣＲＳはデコーディング及びチャネル状態測定の目的で使われる。したがって、ＣＲＳはＰＤＳＣＨ伝送をサポートするセル（ｃｅｌｌ）内の全ての下りリンクサブフレームで全下りリンク帯域幅にわたって送信され、基地局（ｅＮＢ）に構成された全てのアンテナポートから送信される。
【０１６２】
具体的に、ＣＲＳシーケンスはスロットｎｓでアンテナポートｐのための参照シンボルとして使われる複素変調シンボル（ｃｏｍｐｌｅｘ−ｖａｌｕｅｄ  ｍｏｄｕｌａｔｉｏｎ  ｓｙｍｂｏｌｓ）にマッピングされる。
【０１６３】
ＵＥはＣＲＳを用いてＣＳＩを測定することができ、ＣＲＳを用いてＣＲＳを含むサブフレームでＰＤＳＣＨを介して受信された下りリンクデータ信号をデコードすることができる。すなわち、ｅＮＢは全てのＲＢで各ＲＢ内の一定位置にＣＲＳを送信し、ＵＥは前記ＣＲＳに基づいてチャネル推定を遂行した後にＰＤＳＣＨを検出した。例えば、ＵＥはＣＲＳ  ＲＥで受信された信号を測定する。ＵＥはＣＲＳ  ＲＥ別受信エネルギーとＰＤＳＣＨがマッピングされたＲＥ別受信エネルギーの比を用いてＰＤＳＣＨがマッピングされたＲＥからＰＤＳＣＨ信号を検出することができる。
【０１６４】
このように、ＣＲＳに基づいてＰＤＳＣＨ信号が送信される場合、ｅＮＢは全てのＲＢに対してＣＲＳを送信しなければならないため、不必要なＲＳオーバーヘッドが発生することになる。このような問題点を解決するために、３ＧＰＰ  ＬＴＥ−ＡシステムではＣＲＳの外にＵＥ−特定ＲＳ（以下、ＵＥ−ＲＳ）及びチャネル状態情報参照信号（ＣＳＩ−ＲＳ：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）をさらに定義する。ＵＥ−ＲＳは復調のために使われ、ＣＳＩ−ＲＳはチャネル状態情報を獲得するために（ｄｅｒｉｖｅ）使われる。
【０１６５】
ＵＥ−ＲＳ及びＣＲＳは復調のために使われるので、用途の側面で復調用ＲＳであると言える。すなわち、ＵＥ−ＲＳはＤＭ−ＲＳ（ＤｅＭｏｄｕｌａｔｉｏｎ  Ｒｅｆｅｒｅｎｃｅ  Ｓｉｇｎａｌ）の一種と見なすことができる。また、ＣＳＩ−ＲＳ及びＣＲＳはチャネル測定あるいはチャネル推定に使われるので、用途の側面ではチャネル状態測定用ＲＳであると言える。
【０１６６】
図１１は本発明の実施例で使用可能なＣＳＩ−ＲＳがアンテナポートの個数によって割り当てられたサブフレームの一例を示す図である。
【０１６７】
ＣＳＩ−ＲＳは復調の目的ではなく無線チャネルの状態測定のために３ＧＰＰ  ＬＴＥ−Ａシステムで導入した下りリンク参照信号である。３ＧＰＰ  ＬＴＥ−ＡシステムはＣＳＩ−ＲＳ伝送のために複数のＣＳＩ−ＲＳ設定を定義している。ＣＳＩ−ＲＳ伝送が構成されたサブフレームでＣＳＩ−ＲＳシーケンスはアンテナポートｐ上の参照シンボルとして使われる複素変調シンボルによってマッピングされる。
【０１６８】
図１１（ａ）はＣＳＩ−ＲＳ構成の中で２個のＣＳＩ−ＲＳポートによるＣＳＩ−ＲＳ伝送に利用可能な２０種のＣＳＩ−ＲＳ構成０〜１９を示したものであり、図１１（ｂ）はＣＳＩ−ＲＳ構成の中で４個のＣＳＩ−ＲＳポートによって利用可能な１０種のＣＳＩ−ＲＳ構成０〜９を示したものであり、図１１（ｃ）はＣＳＩ−ＲＳ構成の中で８個のＣＳＩ−ＲＳポートによって利用可能な５種のＣＳＩ−ＲＳ構成０〜４を示したものである。
【０１６９】
ここで、ＣＳＩ−ＲＳポートはＣＳＩ−ＲＳ伝送のために設定されたアンテナポートを意味する。ＣＳＩ−ＲＳポートの個数によってＣＳＩ−ＲＳ構成が変わるので、ＣＳＩ−ＲＳ構成番号が違うと言ってもＣＳＩ−ＲＳ伝送のために構成されたアンテナポートの個数が違えば違うＣＳＩ−ＲＳ構成となる。
【０１７０】
一方、ＣＳＩ−ＲＳはサブフレームごとに送信されるように構成されたＣＲＳとは違い、多数のサブフレームに相当する所定の伝送周期ごとに送信されるように設定される。したがって、ＣＳＩ−ＲＳ構成はリソースブロック対内でＣＳＩ−ＲＳが占有するＲＥの位置だけではなくＣＳＩ−ＲＳが設定されるサブフレームによっても変わる。
【０１７１】
また、ＣＳＩ−ＲＳ構成番号が同じであってもＣＳＩ−ＲＳ伝送のためのサブフレームが違えばＣＳＩ−ＲＳ構成も違うと言える。例えば、ＣＳＩ−ＲＳ伝送周期（ＴＣＳＩ−ＲＳ）が違うかあるいは一無線フレーム内でＣＳＩ−ＲＳ伝送が構成された最初のサブフレーム（ΔＣＳＩ−ＲＳ）が違えばＣＳＩ−ＲＳ構成が違うと言える。
【０１７２】
以下では、（１）ＣＳＩ−ＲＳ構成番号が付与されたＣＳＩ−ＲＳ構成と、（２）ＣＳＩ−ＲＳ構成番号、ＣＳＩ−ＲＳポートの個数及び／又はＣＳＩ−ＲＳが構成されたサブフレームによって変わるＣＳＩ−ＲＳ構成を区分するために、後者（２）の構成をＣＳＩ−ＲＳリソース構成（ＣＳＩ−ＲＳ  ｒｅｓｏｕｒｃｅ  ｃｏｎｆｉｇｕｒａｔｉｏｎ）という。前者（１）の設定はＣＳＩ−ＲＳ構成又はＣＳＩ−ＲＳパターンともいう。
【０１７３】
ｅＮＢは、ＵＥにＣＳＩ−ＲＳリソース構成を知らせるとき、ＣＳＩ−ＲＳの伝送のために使われるアンテナポートの個数、ＣＳＩ−ＲＳパターン、ＣＳＩ−ＲＳサブフレーム構成（ＣＳＩ−ＲＳ  ｓｕｂｆｒａｍｅ  ｃｏｎｆｉｇｕｒａｔｉｏｎ）ＩＣＳＩ−ＲＳ、ＣＳＩフィードバックのための参照ＰＤＳＣＨ伝送電力に関するＵＥ仮定（ＵＥ  ａｓｓｕｍｐｔｉｏｎ  ｏｎ  ｒｅｆｅｒｅｎｃｅ  ＰＤＳＣＨ  ｔｒａｎｓｍｉｔｔｅｄ  ｐｏｗｅｒ  ｆｏｒ  ＣＳＩ  ｆｅｅｄｂａｃｋ）Ｐｃ、ゼロパワーＣＳＩ−ＲＳ構成リスト、ゼロパワーＣＳＩ−ＲＳサブフレーム構成などに関する情報を知らせることができる。
【０１７４】
ＣＳＩ−ＲＳサブフレーム構成インデックスＩＣＳＩ−ＲＳはＣＳＩ−ＲＳの存在（ｏｃｃｕｒｒｅｎｃｅ）に対するサブフレーム構成周期ＴＣＳＩ−ＲＳ及びサブフレームオフセットΔＣＳＩ−ＲＳを特定するための情報である。次の表４はＴＣＳＩ−ＲＳ及びΔＣＳＩ−ＲＳによるＣＳＩ−ＲＳサブフレーム構成インデックスＩＣＳＩ−ＲＳを例示したものである。
【０１７５】
【表６】
2020099063.tif 000037
【０１７６】
この際、次の式３を満たすサブフレームがＣＳＩ−ＲＳを含むサブフレームとなる。
【０１７７】
［式３］
【数３】
2020099063.tif 000038
【０１７８】
３ＧＰＰ  ＬＴＥ−Ａシステム以後に定義された伝送モード（例えば、伝送モード９あるいはその外に新たに定義される伝送モード）に設定されたＵＥはＣＳＩ−ＲＳを用いてチャネル測定を遂行し、ＵＥ−ＲＳを用いてＰＤＳＣＨを復号することができる。
【０１７９】
３ＧＰＰ  ＬＴＥ−Ａシステム以後に定義された伝送モード（例えば、伝送モード９あるいはその外の新たに定義される伝送モード）に設定されたＵＥはＣＳＩ−ＲＳを用いてチャネル測定を遂行し、ＵＥ−ＲＳを用いてＰＤＳＣＨを復号することができる。
【０１８０】
２．５  Ｅｎｈａｎｃｅｄ  ＰＤＣＣＨ（ＥＰＤＣＣＨ）
【０１８１】
３ＧＰＰ  ＬＴＥ／ＬＴＥ−Ａシステムにおいて複数のコンポーネントキャリア（ＣＣ：Ｃｏｍｐｏｎｅｎｔ  Ｃａｒｒｉｅｒ＝（ｓｅｒｖｉｎｇ）ｃｅｌｌ）に対する結合状況でのクロスキャリアスケジューリング（ＣＣＳ：Ｃｒｏｓｓ  Ｃａｒｒｉｅｒ  Ｓｃｈｅｄｕｌｉｎｇ）動作を定義すると、一つのスケジュールされるＣＣ（すなわち、ｓｃｈｅｄｕｌｅｄ  ＣＣ）は他の一つのスケジューリングＣＣ（すなわち、ｓｃｈｅｄｕｌｉｎｇ  ＣＣ）からのみＤＬ／ＵＬスケジューリングを受けることができるように（すなわち、該当ｓｃｈｅｄｕｌｅｄ  ＣＣに対するＤＬ／ＵＬ  ｇｒａｎｔ  ＰＤＣＣＨを受信することができるように）前もって設定できる。この際、スケジューリングＣＣは基本的に自分に対するＤＬ／ＵＬスケジューリングを遂行することができる。言い換えれば、前記ＣＣＳ関係にあるスケジューリング／スケジュールされるＣＣをスケジュールするＰＤＣＣＨに対するサーチスペース（ＳＳ：Ｓｅａｒｃｈ  Ｓｐａｃｅ）は全てのスケジューリングＣＣの制御チャネル領域に存在することができる。
【０１８２】
一方、ＬＴＥシステムにおいて、ＦＤＤ  ＤＬキャリア又はＴＤＤ  ＤＬサブフレームは各サブフレームの最初のｎ個（ｎ＜＝４）のＯＦＤＭシンボルを各種制御情報伝送のための物理チャネルであるＰＤＣＣＨ、ＰＨＩＣＨ及びＰＣＦＩＣＨなどの伝送に使い、残りのＯＦＤＭシンボルをＰＤＳＣＨ伝送に使うように構成される。この際、各サブフレームで制御チャネル伝送に使うＯＦＤＭシンボルの個数はＰＣＦＩＣＨなどの物理チャネルを介して動的にあるいはＲＲＣシグナリングを介した半静的な方式で端末に伝達されることができる。
【０１８３】
一方、ＬＴＥ／ＬＴＥ−Ａシステムにおいては、ＤＬ／ＵＬスケジューリング及び各種制御情報を送信するための物理チャネルであるＰＤＣＣＨは制限されたＯＦＤＭシンボルを介して送信されるなどの限界があるので、ＯＦＤＭシンボルを介して送信されてＰＤＳＣＨから分離されたＰＤＣＣＨのような制御チャネルの代わりにＦＤＭ／ＴＤＭ方式でＰＤＳＣＨともっと自由に多重化する拡張されたＰＤＣＣＨ（すなわち、Ｅ−ＰＤＣＣＨ）を導入することができる。図１２はＬＴＥ／ＬＴＥ−Ａシステムで使われるレガシーＰＤＣＣＨ（Ｌｅｇａｃｙ  ＰＤＣＣＨ）、ＰＤＳＣＨ及びＥ−ＰＤＣＣＨが多重化する一例を示す図である。
【０１８４】
２．６  制限されたＣＳＩ測定
【０１８５】
無線ネットワークでセルの間に及ぶ干渉による影響を減らすために、ネットワーク個体間の協力動作を遂行することができる。例えば、セルＡがデータを送信する特定のサブフレームの間にセルＡ以外の他のセルは共用制御情報のみを送信し、データは送信しないように制限することで、セルＡでデータを受信している使用者に対する干渉を最小化することができる。
【０１８６】
このような方法によって、ネットワーク内にセル間の協力によって特定の瞬間にデータを送信するセルを除いた残りのセルで最小限の共用制御情報のみを送信することによってセル間に及ぶ干渉の影響を減らすことができる。
【０１８７】
このために、上位層で二つのＣＳＩ測定サブフレーム集合ＣＣＳＩ、０及びＣＣＳＩ、１を設定する場合、端末はリソース制限測定（ＲＲＭ：Ｒｅｓｏｕｒｃｅ−Ｒｅｓｔｒｉｃｔｅｄ  Ｍｅａｓｕｒｅｍｅｎｔ）動作を遂行することができる。この際、二つの測定サブフレーム集合に相当するＣＳＩ参照リソースは二つのサブフレーム集合の一つにのみ属すると仮定する。
【０１８８】
次の表７はＣＳＩサブフレーム集合（Ｓｕｂｆｒａｍｅ  Ｓｅｔ）を設定する上位層信号の一例を示す。
【０１８９】
【表７】
2020099063.tif 000039
【０１９０】
表７はＣＳＩサブフレーム集合を設定するために送信されるＣＱＩ報告構成（ＣＱＩ−Ｒｅｐｏｒｔ  Ｃｏｆｉｇ）メッセージの一例を示す。この際、ＣＱＩ報告構成メッセージには、非周期的ＣＱＩ報告（ｃｑｉ−ＲｅｐｏｒｔＡｐｅｒｉｏｄｉｃ−ｒ１０）ＩＥ、ｎｏｍＰＤＳＣＨ−ＲＳ−ＥＰＲＥ−Ｏｆｆｓｅｔ  ＩＥ、周期的ＣＱＩ報告（ｃｑｉ−ＲｅｐｏｒｔＰｅｒｉｏｄｃｉ−ｒ１０）ＩＥ、ＰＭＩ−ＲＩレポート（ｐｍｉ−ＲＩ−Ｒｅｐｏｒｔ−ｒ９）ＩＥ及びＣＳＩサブフレームパターン構成（ｃｓｉ−ｓｕｂｆｒａｍｅＰａｔｔｅｒｎＣｏｎｆｉｇ）ＩＥが含まれることができる。この際、ＣＳＩサブフレームパターン構成ＩＥはサブフレーム集合別に測定サブフレームパターンを示すＣＳＩ測定サブフレーム集合１情報（ｃｓｉ−ＭｅａｓＳｕｂｆｒａｍｅＳｅｔ１）ＩＥ及びＣＳＩ測定サブフレーム集合２情報（ｃｓｉ−ＭｅａｓＳｕｂｆｒａｍｅＳｅｔ２）ＩＥを含む。
【０１９１】
ここで、ＣＳＩ測定サブフレーム集合１（ｃｓｉ−ＭｅａｓＳｕｂｆｒａｍｅＳｅｔ１−ｒ１０）情報要素（ＩＥ：Ｉｎｆｏｒｍａｔｉｏｎ  Ｅｌｅｍｅｎｔ）及びＣＳＩ測定サブフレーム集合２（ｃｓｉ−ＭｅａｓＳｕｂｆｒａｍｅＳｅｔ２−ｒ１０）ＩＥは４０ビットのビットマップ情報として各サブフレーム集合に属するサブフレームについての情報を示す。また、非周期的ＣＱＩ報告（ＣＱＩ−ＲｅｐｏｒｔＡｐｅｒｉｏｄｉｃ−ｒ１０）ＩＥは端末に対する非周期的ＣＱＩ報告のための設定を遂行するためのＩＥであり、周期的ＣＱＩ報告（ＣＱＩ−ＲｅｐｏｒｔＰｅｒｉｏｄｉｃ−ｒ１０）ＩＥは周期的ＣＱＩ報告のための設定を遂行するＩＥである。
【０１９２】
ｎｏｍＰＤＳＣＨ−ＲＳ−ＥＰＲＥ−Ｏｆｆｓｅｔ  ＩＥは
2020099063.tif 000040
値を示す。この際、実際の値（Ａｃｔｕａｌ  Ｖａｌｕｅ）は
2020099063.tif 000041
値＊２［ｄＢ］に設定される。また、ＰＭＩ−ＲＩレポートＩＥはＰＭＩ／ＩＲ報告が構成されるか否かを示す。ＥＵＴＲＡＮは伝送モードがＴＭ８、９又は１０に設定された場合にのみＰＭＩ−ＲＩレポートＩＥを構成する。
【０１９３】
３．  ＬＴＥ−Ｕシステム
【０１９４】
３．１  ＬＴＥ−Ｕシステム構成
【０１９５】
以下では免許帯域（Ｌｉｃｅｎｓｅｄ  Ｂａｎｄ）であるＬＴＥ−Ａ帯域と非免許帯域（Ｕｎｌｉｃｅｎｓｅｄ  Ｂａｎｄ）の搬送波結合環境でデータを送受信する方法について説明する。本発明の実施形態において、ＬＴＥ−Ｕシステムはこのような免許帯域と非免許帯域のＣＡ状況をサポートするＬＴＥシステムを意味する。非免許帯域はワイファイ（ＷｉＦｉ）帯域又はブルートゥース（ＢＴ）帯域などを用いることができる。
【０１９６】
図１３はＬＴＥ−ＵシステムでサポートするＣＡ環境の一例を示す図である。
【０１９７】
以下では、説明の便宜のために、ＵＥが二つの要素搬送波（ＣＣ：Ｃｏｍｐｏｎｅｎｔ  Ｃａｒｒｉｅｒ）を用いて免許帯域と非免許帯域のそれぞれで無線通信を行うように設定された状況を仮定する。もちろん、ＵＥに三つ以上のＣＣが構成された場合にも以下で説明する方法を適用することができる。
【０１９８】
本発明の実施形態において、免許帯域の搬送波（ＬＣＣ：Ｌｉｃｅｎｓｅｄ  ＣＣ）は主要素搬送波（Ｐｒｉｍａｒｙ  ＣＣ：ＰＣＣ又はＰセルと呼ぶことができる）であり、非免許帯域の搬送波（Ｕｎｌｉｃｅｎｓｅｄ  ＣＣ：ＵＣＣ）は副要素搬送波（Ｓｅｃｏｎｄａｒｙ  ＣＣ：ＳＣＣ又はＳセルと呼ぶことができる）の場合を仮定する。ただし、本発明の実施形態は多数の免許帯域と多数の非免許帯域がキャリアアグリゲーション方式で用いられる状況にも拡張して適用することができる。また、本発明の提案方式は３ＧＰＰ  ＬＴＥシステムだけでなく他の特性のシステムにも拡張して適用可能である。
【０１９９】
図１３は一つの基地局で免許帯域と非免許帯域を共にサポートする場合を示した。すなわち、端末は免許帯域であるＰＣＣを介して制御情報及びデータを送受信することができ、また非免許帯域であるＳＣＣを介して制御情報及びデータを送受信することができる。しかし、図１２に示した状況は一例であり、一つの端末が多数の基地局と接続するＣＡ環境にも本発明の実施形態を適用することができる。
【０２００】
例えば、端末はマクロ基地局（Ｍ−ｅＮＢ：Ｍａｃｒｏ  ｅＮＢ）とＰセルを構成し、スモール基地局（Ｓ−ｅＮＢ：Ｓｍａｌｌ  ｅＮＢ）とＳセルを構成することができる。この際、マクロ基地局とスモール基地局はバックホール網を介して連結されてもよい。
【０２０１】
本発明の実施形態において、非免許帯域は競争に基づく任意接続方式で動作することができる。この際、非免許帯域をサポートするｅＮＢはデータ送受信前にまずキャリアセンシング（ＣＳ：Ｃａｒｒｉｅｒ  Ｓｅｎｓｉｎｇ）過程を遂行することができる。ＣＳ過程は該当帯域が他の個体によって占有されているかを判断する過程である。
【０２０２】
例えば、Ｓセルの基地局（ｅＮＢ）は現在チャネルを使っているビジー（ｂｕｓｙ）状態であるかあるいは使っていないアイドル（ｉｄｌｅ）状態であるかをチェックする。仮に、該当帯域がアイドル状態であると判断されれば、基地局は、クロスキャリアスケジューリング方式の場合、Ｐセルの（Ｅ）ＰＤＣＣＨを介して、又はセルフスケジューリング方式の場合、ＳセルのＰＤＣＣＨを介してスケジューリンググラント（ｓｃｈｅｄｕｌｉｎｇ  ｇｒａｎｔ）を端末に送信してリソースを割り当て、データ送受信を試みることができる。
【０２０３】
ＣＳ過程はＬＢＴ（Ｌｉｓｔｅｎ  Ｂｅｆｏｒｅ  Ｔａｌｋ）過程と同様にあるいは類似して遂行されることができる。ＬＢＴ過程は、Ｐセルの基地局がＵセル（非免許帯域で動作するセル）の現在状態がビジー状態であるかあるいはアイドル状態であるかをチェックする過程である。例えば、既に設定されたあるいは上位層信号によって設定されたＣＣＡ（Ｃｌｅａｒ  Ｃｈａｎｎｅｌ  Ａｓｓｅｓｓｍｅｎｔ）閾値が存在する場合、Ｕセルで該当ＣＣＡ閾値より高いエネルギーが検出されればビジー状態と判断され、そうでなければアイドル状態と判断される。Ｕセルがアイドル状態と判断される場合、Ｐセルの基地局はＰセルの（Ｅ）ＰＤＣＣＨを介して又はＵセルのＰＤＣＣＨを介してスケジューリンググラント（すなわち、ＤＣＩなど）を送信してＵセルに対するリソースをスケジューリングし、Ｕセルを介してデータ送受信を遂行することができる。
【０２０４】
この際、基地局はＭ個の連続したサブフレームで構成された伝送機会（ＴｘＯＰ：Ｔｒａｎｓｍｉｓｓｉｏｎ  ＯＰｐｏｒｔｕｎｉｔｙ）区間を設定することができる。ここで、Ｍ値及びＭ個のサブフレームの用途を前もって基地局が端末にＰセルを介した上位層シグナリングによって、あるいは物理制御チャネル又は物理データチャネルを介して知らせることができる。Ｍ個のサブフレームで構成されたＴｘＯＰ区間は予約されたリソース区間（ＲＲＰ：Ｒｅｓｅｒｖｅｄ  Ｒｅｓｏｕｒｃｅ  Ｐｅｒｉｏｄ）と呼ぶことができる。
【０２０５】
３．２  ＴｘＯＰ区間
【０２０６】
基地局はＴｘＯＰ区間の間に一つの端末とデータを送受信することもでき、多くの端末にそれぞれＮ個の連続したサブフレームで構成されたＴｘＯＰ区間を設定し、ＴＤＭ又はＦＤＭ方式でデータを送受信することもできる。この際、基地局はＴｘＯＰ区間の間に免許帯域であるＰセル及び非免許帯域であるＳセルを介してデータを送受信することができる。
【０２０７】
ただし、基地局が免許帯域であるＬＴＥ−Ａシステムのサブフレーム境界（ｓｕｂｆｒａｍｅ  ｂｏｕｎｄａｒｙ）に合わせてデータ伝送を行えば、非免許帯域であるＳセルのアイドル判断時点と実際データ伝送時点の間にタイミングギャップ（ｔｉｍｉｎｇ  ｇａｐ）が存在し得る。特に、Ｓセルは該当基地局と端末が独占的に使えない非免許帯域で、ＣＳに基づく競争によって用いなければならないので、このようなタイミングギャップの間に他のシステムが情報伝送を試みることもできる。
【０２０８】
したがって、基地局はＳセルでタイミングギャップの間に他のシステムが情報伝送を試みることを防止するために予約信号（ｒｅｓｅｒｖａｔｉｏｎ  ｓｉｇｎａｌ）を送信することもできる。ここで、予約信号はＳセルの該当リソース領域を自分のリソースとして予約しておくために送信する一種の“ｄｕｍｍｙ情報”あるいは“ＰＤＳＣＨの一部に対する複写本”を意味する。予約信号はタイミングギャップ（すなわち、Ｓセルのアイドル判断時点以後から実際の伝送時点まで）の間に送信されることができる。
【０２０９】
３．３  ＴｘＯＰ区間設定方法
【０２１０】
図１４はＴｘＯＰ区間を設定する方法の一つを示す図である。
【０２１１】
基地局はＰセルを介してＴｘＯＰ区間を前もって半静的な方式で設定することができる。例えば、基地局は上位層信号（例えば、ＲＲＣ信号）によってＴｘＯＰ区間を構成するサブフレームの個数Ｎの値と該当ＴｘＯＰ区間の用途についての構成情報を端末に送信することができる（Ｓ１４１０）。
【０２１２】
ただし、システム構成によってＳ１４１０段階は動的に遂行されることができる。このような場合、基地局はＴｘＯＰ区間についての構成情報をＰＤＣＣＨ又はＥ−ＰＤＣＣＨを介して端末に送信することができる。
【０２１３】
Ｓセルではキャリアセンシング（ＣＳ）過程を行って現在チャネル状態がアイドル状態であるかあるいはビジー状態であるかをチェックすることができる（Ｓ１４２０）。
【０２１４】
ＰセルとＳセルは互いに異なる基地局又は互いに同一である基地局が管理することができる。ただし、互いに異なる基地局が管理する場合には、バックホールを介してＳセルのチャネル状態についての情報がＰセルに伝達されることができる（Ｓ１４３０）。
【０２１５】
その後、ＴｘＯＰ区間に設定されたサブフレームで端末はＰセル及びＳセルを介してデータを送受信することができる。仮に、Ｓ１４１０段階で該当ＴｘＯＰの用途が下りリンクデータ伝送用に設定された場合、端末はＴｘＯＰ区間でＳセルを介してＤＬデータを受信することができ、ＴｘＯＰの用途が上りリンクデータ伝送用に設定された場合、端末はＳセルを介してＵＬデータを送信することができる（Ｓ１４４０）。
【０２１６】
本発明の実施例において、ＴｘＯＰ区間はＤＬ伝送バースト（ＤＬ  Ｔｘ  ｂｕｒｓｔ）、ＤＬバースト又はＲＲＰ区間と同一の意味として使える。ただし、ＤＬバースト又はＤＬ伝送バーストなどはチャネル占有のための予約信号を伝送する区間も含むことができる。
【０２１７】
４．  部分サブフレーム構成及びスケジューリング方法
【０２１８】
本発明の実施例は非免許帯域で動作するＬＴＥ−Ａシステムに関するものである。本発明の実施例において、このようなシステムをＬＡＡ（Ｌｉｃｅｎｓｅｄ  Ａｓｓｉｓｔｅｄ  Ａｃｃｅｓｓ）システムと呼ぶことにする。すなわち、ＬＡＡシステムではＬＴＥ／ＬＴＥ−Ａに対する基本的な動作をそのまま遂行するとともに非免許帯域でＬＴＥ端末とデータ送受信を行う方法を提供する。
【０２１９】
非免許帯域で競争に基づく接続方式で共存するＷｉＦｉシステム又はインターオペレート（ｉｎｔｅｒ−ｏｐｅｒａｔｅ）システムを考慮すると、Ｓセルのサブフレーム（ＳＦ：ＳｕｂＦｒａｍｅ）がＰセルのサブフレーム（ＳＦ）の境界に合わせて伝送の開始を許せば、ＬＴＥ−Ａシステムが他のシステムに過度にチャネル占有を譲歩することになることができる。したがって、ＬＡＡシステムでは、既存のＬＴＥ−Ａシステムとは違い、ＳＦ境界ではない時点で信号伝送の開始又は終了を許すことができる。この際、連続的な信号伝送区間をデータバースト（Ｄａｔａ  Ｂｕｒｓｔ）に定義することができる。データバーストは上述したＴｘＯＰ、ＲＲＰなどと同一の意味として使われることができる。
【０２２０】
以下では、ＳＦ境界ではない時点に信号伝送を開始するかあるいはＳＦ境界以前の時点で信号伝送が終了する場合、一つのサブフレーム（例えば、１ｍｓ）より小さい単位の部分ＳＦ（ｐＳＦ：ｐａｒｔｉａｌ  ＳＦ）を構成する方法について説明する。
【０２２１】
４．１  クロスキャリアスケジューリング
【０２２２】
ＬＴＥ−Ａシステムのキャリアアグリゲーション（ＣＡ）状況でセカンダリセル（ｓｅｃｏｎｄａｒｙ  ｃｅｌｌ）をスケジュールする方法は大別して二つに区分することができる。一つは特定のセルで他のセルに対してスケジューリングを行うクロスキャリアスケジューリング（ｃｒｏｓｓ−ｃａｒｒｉｅｒ  ｓｃｈｅｄｕｌｉｎｇ）方法であり、他の一つは該当セルで直接スケジュールするセルフスケジューリング（ｓｅｌｆ−ｓｃｈｅｄｕｌｉｎｇ）方法がある。以下では、クロスキャリアスケジューリング方法によるｐＳＦ設定方法及びこれによるＰＤＣＣＨ伝送及び動作方法について説明する。
【０２２３】
図１５は部分サブフレームの一例を説明するための図である。
【０２２４】
図１５で、Ｕセル（ＵＣｅｌｌ）はＰセルのＳＦ  ＃Ｎに対応する時点からキャリアセンシング過程（又は、ＣＣＡ過程、ＬＢＴ過程）を遂行するためのバックオフ（ｂａｃｋｏｆｆ）を始めてＳＦ  ＃Ｎ＋１の中間時点に予約信号（ｒｅｓｅｒｖａｔｉｏｎ  ｓｉｇｎａｌ）の伝送を開始し、前もって決定された時点からプリアンブル及び／又はＰＤＳＣＨ伝送を開始する場合である。
【０２２５】
この際、本発明の実施例において、Ｕセル上のＳＦ  ＃Ｎ＋１の時点のｐＳＦに対するスケジューリングをＰセル上のＳＦ  ＃Ｎ＋２の時点に遂行することができる。このように、ｐＳＦ開始時点より遅くクロスキャリアスケジューリングを行うことをポストスケジューリング（ｐｏｓｔ−ｓｃｈｅｄｕｌｉｎｇ）と呼ぶことができる。また、ｐＳＦ開始時点に先立ってＳＦ  ＃Ｎ＋１の時点にクロスキャリアスケジューリングを行うことをプレスケジューリング（ｐｒｅ−ｓｃｈｅｄｕｌｉｎｇ）と呼ぶことができる。
【０２２６】
本発明の実施例において、説明の便宜上、ＰセルのＳＦ  ＃Ｎと対応するＵセルのＳＦをＰセルのＳＦ番号と同様にＳＦ  ＃Ｎと呼ぶことにする。また、図１５を含めた他の図面でＴｘＯＰ区間（又は、ＲＲＰ区間、ＤＬバースト区間）の大きさは４ＳＦ（すなわち、４ｍｓ）で構成されることを仮定して説明する。もちろん、このようなＴｘＯＰ区間の大きさはチャネル環境及び／又はシステム要求事項によって変化することができる値である。
【０２２７】
以下では、プレスケジューリングを行う条件について説明する。
【０２２８】
４．１．１  プレスケジューリング条件
【０２２９】
（Ａ−１ａ）プレスケジューリングを行う一番簡単な方法として、ＳＦ  ＃Ｎ＋１の開始直前のＵセル上のＣＣＡ結果にかかわらず、基地局又は端末の送信すべきデータが存在すれば、いつもプレスケジューリングが遂行されることができる。しかし、チャネルがビジー（ｂｕｓｙ）であってＰＤＣＣＨを送信したＳＦで信号を送信することができない場合が発生すれば、該当ＰＤＣＣＨリソースが浪費されることができる。したがって、ｅＮＢが送信すべきデータがあっても該当ＳＦの間にデータを送信することができる確率が高い時に限ってＰＤＣＣＨを送信することが好ましく、以下ではこのような条件について説明する。
【０２３０】
（Ａ−１ｂ）ＳＦ  ＃Ｎ＋１開始直前のＣＣＡ結果がアイドル状態の場合にのみプレスケジューリングが遂行されるように許されることができる。
【０２３１】
非免許帯域に共存するシステムの特性上、特定の送信端がチャネルを占有すれば、よほど長い時間の間に連続して占有することができる。したがって、ＳＦ  ＃Ｎ＋１開始直前のＣＣＡ結果がビジーであれば、基地局は該当ＳＦの間に続けて信号を送信することができないこともある。仮に、ＳＦ  ＃Ｎ＋１の間にチャネルがずっとビジーであってＵセルで信号を送信することができなかったとすれば、ＳＦ  ＃Ｎ＋１でプレスケジューリングによるＰＤＣＣＨリソースは浪費されることができる。したがって、これを防止するために、ＳＦ  ＃Ｎ＋１開始直前のＣＣＡ結果がアイドル状態の場合にのみ基地局がプレスケジューリングを遂行するように許されることができる。
【０２３２】
仮に、ＳＦ  ＃Ｎ＋１開始直前のＣＣＡ結果がビジー状態であれば、該当ＳＦの間に基地局はＣＳを遂行しないこともできる。若しくは、ＳＦ  ＃Ｎ＋１直前にビジーであったがＣＳを遂行してからＳＦ  ＃Ｎ＋１の中間のアイドル区間によってバックオフ動作が終わったときは、基地局はＳＦを始めることができないから、予約信号を送信しなければならない。
【０２３３】
（Ａ−１ｃ）ＳＦ  ＃Ｎ＋１開始直前のＣＣＡ結果がアイドル状態でありながらＳＦ  ＃Ｎ＋１の間にバックオフ動作が終わることができるときにのみプレスケジューリングを遂行するように許すことができる。
【０２３４】
例えば、基地局がバックオフを行う場合、バックオフカウント値が‘Ｎ’であり、該当バックオフカウント値が‘０’になるまで必要な時間がＴ３ｍｓであると仮定する。仮に、Ｔ３ｍｓが１ｍｓより大きい値であれば、基地局はＳＦ  ＃Ｎ＋１の間にずっとチャネルがアイドル状態であると言ってもＳＦ伝送を始めることができないであろう。
【０２３５】
したがって、基地局はＳＦ  ＃Ｎ＋１開始直前のＣＣＡ結果がアイドル状態でありながらＴ３＜＝Ｘの条件を満たすとき、プレスケジューリングを遂行するように構成されることができる。この際、Ｘ＝１ｍｓであればＳＦ  ＃Ｎ＋１がいつもアイドル状態である場合を仮定してプレスケジューリングを行うものである。
【０２３６】
仮に、ＳＦ  ＃Ｎ＋１開始直前のＣＣＡ結果がビジー状態であるかＴ３＞Ｘであれば、基地局は該当ＳＦではプレスケジューリングを遂行しない。（Ａ−１ｂ）条件で記述したように、ＳＦ  ＃Ｎ＋１開始直前のＣＣＡ結果がビジー状態であれば、基地局は該当ＳＦの間にＣＳ及びバックオフ動作を遂行しないこともできる。
【０２３７】
若しくは、基地局はＳＦ  ＃Ｎ＋１直前にＵセルがビジー状態であったがＣＳを遂行してからＳＦ  ＃Ｎ＋１の中間のアイドル区間によってバックオフ動作が終わったときにはＳＦを始めることができないので、予約信号を送信することが好ましい。
【０２３８】
（Ａ−１ｄ）基地局はＳＦ  ＃Ｎ＋１開始直前のＣＣＡ結果にかかわらず、ＳＦ  ＃Ｎ＋１の間にバックオフ動作が終わることができる場合にのみプレスケジューリングが許されることができる。例えば、基地局は、（Ａ−１ｃ）条件と同様に、Ｔ３＜＝Ｘの条件を満たせばプレスケジューリングを遂行することができる。一方、Ｔ３＞Ｘであれば、基地局は該当ＳＦではプレスケジューリングを遂行しない。
【０２３９】
（Ａ−１ｅ）基地局はＳＦ  ＃Ｎ＋１開始直前のＣＣＡ結果がビジー状態であると言っても現在伝送中のノード（例えば、送信端）の伝送がいつ終わるかが分かれば、これを考慮してプレスケジューリングを遂行することができる。
【０２４０】
例えば、図１６のように現在伝送中の送信端がＷｉＦｉ  ＡＰであり、ＰセルでＷｉＦｉ信号を受信することができると仮定する。図１６は非免許帯域でＷｉＦｉ  ＡＰが無線チャネルを占有する場合、基地局がプレスケジューリングを遂行するための条件の一つを説明するための図である。
【０２４１】
図１６で、基地局がＷｉＦｉ信号をデコードすることができれば、Ｐセルの基地局は現在伝送中のＷｉＦｉデータがＳＦ  ＃Ｎ＋１の始めからＹｍｓ（０＜Ｙ＜１ｍｓ）後に終わることが分かる。この時、バックオフカウント値が０になるまで必要な時間がＴ３ｍｓであると仮定すれば、基地局はＹ＋Ｔ３＜Ｘの条件を満たす場合に限り、プレスケジューリングを遂行することができる。
【０２４２】
上述した（Ａ−１ａ）、（Ａ−１ｄ）の条件は、Ｕセルで他のシステム又は伝送端によってデータが伝送されつつあるＳＦでも適用することができる。例えば、図１７で、ＳＦ  ＃Ｎ＋４のように一つのＳＦ内に二つのｐＳＦが存在することができるからである。図１７はｐＳＦを説明するための図の一つである。
【０２４３】
また、（Ａ１−ｄ）条件の場合、基地局は、以前のＴｘＯＰ区間の間にＳＦ  ＃Ｎ＋４のｐＳＦで伝送が終わる場合、該当ＳＦ  ＃Ｎ＋４の間にバックオフ動作が完了することができるときにだけプレスケジューリングを遂行するように許されることができる。
【０２４４】
４．１．２  Ａ／Ｎ伝送方法
【０２４５】
以下では、プレスケジューリング時の受信確認信号（例えば、ＡＣＫ、ＮＡＣＫ信号）の伝送方法について説明する。例えば、図１５のようにＳＦ  ＃Ｎ＋１の時点にｅＮＢがＵセルに予約信号（及び／又はプリアンブル）及びＰＤＳＣＨを送信した場合を仮定する。
【０２４６】
仮に、ＵＥがＰセルからＰＤＣＣＨの受信に成功したが、Ｕセルでプリアンブル及び／又はＰＤＳＣＨ上の参照信号（ＲＳ：Ｒｅｆｅｒｅｎｃｅ  Ｓｉｇｎａｌ）検出に失敗した場合、端末は該当ＳＦでＵセルのチャネルがビジーであって送信された信号がないと判断することができる。したがって、端末はＰＤＳＣＨデコーディングを試みなくて該当ＳＦに対するバッファリングを遂行しないことができる。
【０２４７】
ＬＴＥ−ＡシステムのＣＡ状況で、端末がＰＤＣＣＨデコーディングに失敗するか、ＰＤＣＣＨデコーディングは成功したがＰＤＳＣＨデコーディングに失敗して該当ＰＤＳＣＨをバッファーに保存する二つの動作のみが存在した。端末は、前者の場合にＤＴＸ信号を、後者の場合にＮＡＣＫ信号をＡＣＫ／ＮＡＣＫリソースに送信することができた。この際、ＤＴＸはＡＣＫ／ＮＡＣＫを送信しないことを意味するかあるいはＡＣＫ／ＮＡＣＫ伝送における特定の状態（ｓｔａｔｅ）を意味する。
【０２４８】
言い替えれば、ＵＥがＡＣＫ／ＮＡＣＫを送信しないというのは、ｅＮＢがＵセル上で送信すべきデータがないとき、ＵＥのＡＣＫ／ＮＡＣＫ動作と同一であることを意味する。しかし、ＬＡＡ環境では、端末がＰＤＣＣＨの受信に成功したが、正常に受信することができなかったＰＤＳＣＨをバッファーにも保存しない新しい状態に対する考慮がさらに必要である。以下では、このような新しい状態に対する定義方法について説明する。
【０２４９】
（Ａ−２ａ）端末がＰＤＣＣＨの受信に成功したが、プリアンブル（及び／又はＰＤＳＣＨ上のＲＳ）検出に失敗した場合とプリアンブル（及び／又はＰＤＳＣＨ上のＲＳ）検出に成功したがＰＤＳＣＨデコーディングに失敗した場合、端末はＮＡＣＫ状態又はＤＴＸ状態であると見なすことができる。これについて後述する（Ａ−２ｂ）〜（Ａ−２ｅ）でより詳細に説明する。
【０２５０】
（Ａ−２ｂ）端末がＰＤＣＣＨの受信に成功したが、プリアンブル（及び／又はＰＤＳＣＨ上のＲＳ）検出に失敗した場合、端末はＮＡＣＫ信号を送信するように設定することができる。この場合、ｅＮＢは該当端末が少なくともＰＤＣＣＨの受信に成功したことが分かるが、関連のＰＤＳＣＨをＵＥがバッファーに保存したかは明らかに分からない。
【０２５１】
（Ａ−２ｃ）端末がＰＤＣＣＨの受信に成功したが、プリアンブル（及び／又はＰＤＳＣＨ上のＲＳ）検出に失敗した場合、端末はＤＴＸ信号を送信するように設定することができる。この場合、ｅＮＢはＵＥに関連したＰＤＳＣＨをバッファーに保存しなかったことが明らかに分かる。
【０２５２】
また、ｅＮＢがプレスケジューリングを遂行したがチャネルがビジーであって該当ＳＦでデータを送信しなかった場合にもＵＥはＡＣＫ／ＮＡＣＫ伝送を遂行しないように構成されることができる。
【０２５３】
このような場合、実際にＵセル上にＳＦを構成しなかったプレスケジューリングによるＡＣＫ／ＮＡＣＫオーバーヘッドを減らすことができる。しかし、基地局は、端末からＡ／Ｎ信号を受信することができなければ、ＰＤＣＣＨ検出失敗と誤認してＰＤＣＣＨ伝送電力を増加させるか、ＰＤＣＣＨ結合レベルを上げるなどの誤作動を遂行するおそれがある。
【０２５４】
（Ａ−２ｄ）基地局がＰセルでクロスキャリアスケジューリングを行う場合、Ｐセル−ＰＤＣＣＨ及びＵセル−ＰＤＣＣＨの結合レベルが同一である場合を仮定する。ＵＥがＵセル−ＰＤＣＣＨの受信に成功したとすれば、既存のＬＴＥ−ＡのＣＡ状況で該当ＵＥはＵセル−ＰＤＣＣＨのＡＲＩ（Ａ／Ｎ  Ｒｅｓｏｕｒｃｅ  Ｉｎｄｉｃａｔｏｒ）を用いてＡＣＫ／ＮＡＣＫ伝送を試みる。
【０２５５】
仮に、端末がＵセル−ＰＤＣＣＨの受信に成功してもプリアンブル（及び／又はＰＤＳＣＨ上のＲＳ）検出に失敗した場合、端末はＡＲＩを使わずにＰＵＣＣＨフォーマット１ａ／１ｂでフォールバックを遂行するように設定することができる。ｅＮＢは端末からＰＵＣＣＨフォーマット１ａ／１ｂを介してＡＣＫ／ＮＡＣＫを受信すれば、結合レベルが同一であるのでＰセル−ＰＤＣＣＨとＵセル−ＰＤＣＣＨの成功確率が類似しているという仮定の下に、端末がＵセル−ＰＤＣＣＨの受信に成功したがＵセルのプリアンブル（及び／又はＰＤＳＣＨ上のＲＳ）検出に成功することができなかったことを黙示的に解釈することができる。
【０２５６】
（Ａ−２ｅ）端末がＰＤＣＣＨの受信に成功したがプリアンブル（及び／又はＰＤＳＣＨ上のＲＳ）検出に失敗した場合、Ａ／Ｎ信号伝送の時、ＮＡＣＫ／ＤＴＸではない新しい状態を形成することにより、（Ａ−２ｂ）と（Ａ−２ｃ）で指摘した曖昧さ（ａｍｂｉｇｕｉｔｙ）を解決することができる。
【０２５７】
例えば、端末がＰＤＣＣＨの受信に成功したがプリアンブル（及び／又はＰＤＳＣＨ上のＲＳ）検出に失敗した場合の状態をＤＴＸ２に定義することができる。この際、ＤＴＸ２状態をＬＴＥ−ＡシステムのＡＣＫ／ＮＡＣＫ／ＤＴＸ状態と区別するように定義し、端末が基地局にフィードバックすることができる。
【０２５８】
本実施例の一態様において、システム上でＤＴＸ２を含むチャネル選択伝送テーブル（ｃｈａｎｎｅｌ  ｓｅｌｅｃｔｉｏｎ  ｔｒａｎｓｍｉｓｓｉｏｎ  ｔａｂｌｅ）を新たに構成することができる。
【０２５９】
本実施例の他の態様において、システム上でＡＣＫ＝１１、ＮＡＣＫ＝１０、ＤＴＸ＝００、ＤＴＸ２＝０１に区分して各伝送ブロック（ＴＢ）別に２ビットのＡＣＫ／ＮＡＣＫ情報を構成することができる。
【０２６０】
このような方式のように新たに定義されたＤＴＸ２の状態によって、端末がプリアンブル（及び／又はＰＤＳＣＨ上のＲＳ）検出に失敗した場合をｅＮＢが認知することができるようになれば、ＤＴＸ２状態をフィードバックされたｅＮＢは次に送信すべきプリアンブル（及び／又はＰＤＳＣＨ上のＲＳ）の検出確率を高めるために伝送電力を高めることができる。
【０２６１】
４．１．３  プレスケジューリング法
【０２６２】
プレスケジューリングの際、図１８のように基地局がＰセルを介してＳＦ  ＃Ｎ＋１の時点にＰＤＣＣＨを送信したが、ＳＦ  ＃Ｎ＋１の時点にバックオフ動作が完了しなくて基地局はＵセル上でＰＤＳＣＨを送信することができないことがあり得る。図１８はプレスケジューリング法の一つを説明するための図である。
【０２６３】
このような場合、端末がＳＦ  ＃Ｎ＋１上でプリアンブル（及び／又はＰＤＳＣＨ上のＲＳ）検出を遂行するに際して、プリアンブル（及び／又はＰＤＳＣＨ上のＲＳ）が存在しないが存在したと判断する間違った警報（ｆａｌｓｅ  ａｌａｒｍ）が発生し得る。これを防止するために、ＰＤＣＣＨを受信したＵＥはいつもプリアンブル（及び／又はＰＤＳＣＨ上のＲＳ）の存在有無にかかわらず、該当サブフレームでＰＤＳＣＨに対するバッファリングを遂行することができる。
【０２６４】
また、ｅＮＢはバックオフ動作が終わるまで同じＵＥにＰＤＣＣＨを多数回送信することができる。基地局が同じＵＥにＰＤＣＣＨを送信する度に新しいＰＤＳＣＨが送信される（すなわち、新しいパケット）を知らせるとすると、該当ＵＥはＰＤＣＣＨを受信する度にバッファリングを遂行し、新しいパケットであることを認知すれば、既にバッファリングを遂行したデータを削除（ｆｌｕｓｈｉｎｇ）することができる。
【０２６５】
例えば、図１８を参照すると、端末がＳＦ  ＃Ｎ＋１でＰＤＳＣＨに対するバッファリングを遂行したとしても、ＳＦ  ＃Ｎ＋２で新しいパケットを知らせるＰＤＣＣＨを受信し、さらに新しいＰＤＳＣＨ（すなわち、新しいパケット）を受信するはずであるので、端末はＳＦ  ＃Ｎ＋１でバッファリングしたデータを削除することができる。
【０２６６】
基地局がＳＦ  ＃Ｎ＋２で新しいパケットを送信する方法の一例として、ＳＦ  ＃Ｎ＋２で送信するＰＤＣＣＨに対してＳＦ  ＃Ｎ＋１のＰＤＣＣＨとＨＡＲＱプロセス番号（ＨＡＲＱ  ｐｒｏｃｅｓｓ  ｎｕｍｂｅｒ）を同様に構成し、ＮＤＩ（Ｎｅｗ  Ｄａｔａ  Ｉｎｄｉｃａｔｏｒ）をトグル（ｔｏｇｇｌｅ）させることができる。
【０２６７】
また、図１８のようにＳＦ  ＃Ｎ＋１の時点にＰＤＣＣＨを送信したが、バックオフ動作が終わらないため実際にｅＮＢがＵセル上でＰＤＳＣＨを送信することができないような場合、同じＵＥに同じＰＤＣＣＨを多数回送信するように構成することができる。
【０２６８】
以下では、このような場合にＰＤＣＣＨ上のリソース浪費を解決するための方法について説明する。
【０２６９】
特定のＵＥにＰＤＣＣＨを一度送信すれば、該当ＳＦにＰＤＳＣＨを送信することができずに次のＳＦにＰＤＳＣＨを送信するとしてもＰＤＣＣＨは繰り返して送信しないことがあり得る。例えば、図１８を参照すると、ＳＦ  ＃Ｎ＋１で送信したＰＤＣＣＨはＳＦ  ＃Ｎ＋２では送信しないこともある。ＳＦ  ＃Ｎ＋１でＰＤＣＣＨを受信したＵＥは該当ＳＦ  ＃Ｎ＋１でＰＤＳＣＨを受信しなければ、ＳＦ  ＃Ｎ＋２でもＳＦ  ＃Ｎ＋１で受信したＰＤＣＣＨ情報を同様に活用することができる。ＳＦ  ＃Ｎ＋１で受信したＰＤＣＣＨ情報は該当ＵＥがＰＤＳＣＨを介してデータを受信するまでずっと有効なものと見なすことができる。
【０２７０】
若しくは、ｅＮＢは任意のＳＦ  ＃Ｎ＋ｋの時点に該当ＵＥにＳＦ  ＃Ｎ＋１のＰＤＣＣＨ情報の代わりをする新しいＰＤＣＣＨ情報を送信することができる。この時、新しいＰＤＣＣＨ情報という事実はＤＣＩ情報（例えば、ｓｃｒａｍｂｌｉｎｇ  ｓｅｑｕｅｎｃｅ、ＣＲＣ  ｍａｓｋ、ｓｅａｒｃｈ  ｓｐａｃｅ、及び／又は新しいｉｎｄｉｃａｔｏｒなど）によって知らせることができる。
【０２７１】
若しくは、ＵＥは、ＳＦ  ＃Ｎ＋１に受信されたＰＤＣＣＨが一定の条件を満たせば、有効ではないものであると判断することができる。例えば、一定のＴｉｍｅｒ値（Ｔ１）を上位層シグナリングによって設定し、ＳＦ  ＃Ｎ＋１に受信したＰＤＣＣＨはＳＦ  ＃Ｎ＋１＋Ｔ１の時点からは有効ではないものと見なすことができる。
【０２７２】
上述したＰＤＳＣＨに対するＡＣＫ／ＮＡＣＫタイミング及びリソース設定方法に対して提案する。端末がＳＦ  ＃Ｎ＋１の時点にＰＤＣＣＨを受信したとしても、該当ＰＤＣＣＨ上のスケジューリング情報が活用された時点（すなわち、実際のＰＤＳＣＨ伝送時点）はＳＦ  ＃Ｎ＋１ではないＳＦ  ＃Ｎ＋ｍであると仮定する。この際、ＡＣＫ／ＮＡＣＫ伝送タイミングはＳＦ  ＃Ｎ＋ｍの時点を基準に送信されるように規定することができる。例えば、ＦＤＤシステムではＳＦ  ＃Ｎ＋ｍ＋４の時点で端末がＡＣＫ／ＮＡＣＫ信号を基地局に送信することができる。この時のＡＣＫ／ＮＡＣＫ伝送リソースはＳＦ  ＃Ｎ＋１の時点のＰＤＣＣＨのＣＣＥインデックスによって設定されたリソースであってもよい。若しくは、端末は上位層シグナリングによって前もって決定されたリソースを活用してＳＦ  ＃Ｎ＋ｍ＋４の時点にＡＣＫ／ＮＡＣＫ信号を送信することもできる。
【０２７３】
４．１．４  ＰＤＳＣＨ開始点設定方法
【０２７４】
以下では、クロスキャリアスケジューリングの場合、スケジューリングセルであるＵセルのＰＤＳＣＨ開始点設定について説明する。
【０２７５】
ＬＴＥ−Ａシステムにおいて（Ｅ）ＰＤＣＣＨに基づくクロスキャリアスケジューリングの場合、スケジュールされるＵセルの開始時点はスケジュールされるセルに設定されたＰＤＳＣＨ開始シンボルに従うように規定されることができる。この際、ＰＤＳＣＨ開始シンボルはＲＲＣシグナリングによって設定することができる。特に、部分サブフレーム（ｐＳＦ）のためのクロスキャリアスケジューリングの場合、特徴的に該当ＲＲＣシグナリングによるＰＤＳＣＨ開始シンボルは有効ではないものと見なすことができる。
【０２７６】
この際、ＰＤＳＣＨ開始時点はｐＳＦの開始位置によって決定されることができる。例えば、ＰＤＣＣＨ領域が上位層シグナリングによって二つのシンボルを含むことに前もって設定されていれば、端末はｐＳＦの開始位置から２シンボル以後にＰＤＳＣＨが始まると見なすことができる。
【０２７７】
クロスキャリアスケジューリングがＥ−ＰＤＣＣＨを介して行われる場合、ｐＳＦの長さに合わせてＥ−ＰＤＣＣＨの開始シンボルが決定されることができる。例えば、上位層シグナリングによってＥ−ＰＤＣＣＨの開始シンボルが４番目のＯＦＤＭシンボルに設定されているとしても、スケジュールされるセルであるＵセル上のｐＳＦの開始位置が７番目のＯＦＤＭシンボルの場合は、スケジューリングセルのＥ−ＰＤＣＣＨの開始シンボルを７番目のＯＦＤＭシンボルとして認識するようにすることができる。これにより、ＵＥは、スケジューリングセル上のバッファリングを遂行するに当たり、Ｕセル上のｐＳＦ開始時点からバッファリングを遂行するという利点がある。
【０２７８】
４．１．５  スケジューリング方式制限方法
【０２７９】
先に４．１節で説明した方法において（すなわち、ｐＳＦに対してクロスキャリアスケジューリングを遂行することにおいて）、プレスケジューリングはＵセル上で実際にどの時点にＣＣＡ動作（又はＣＳ動作、ＬＢＴ動作）が完了するかを予測することができないからＰＤＣＣＨ浪費の問題があり得て、ポストスケジューリングはＵＥバッファリングの側面で問題があり得る。したがって、ＬＡＡシステムでは、ｐＳＦに対してクロスキャリアスケジューリングは許されず、セルフスケジューリングのみ許されるように構成されることができる。
【０２８０】
仮に、基地局がｐＳＦ伝送時点にクロスキャリアスケジューリングを遂行しなければならなければ、該当ｐＳＦにＰＤＳＣＨは含まれないこともある。例えば、単にチャネルを占有するためのダミー信号（ｄｕｍｍｙ  ｓｉｇｎａｌ）で該当ｐＳＦが構成されることができる。
【０２８１】
若しくは、ｐＳＦは同期（ｓｙｎｃｈｒｏｎｉｚａｔｉｏｎ）、ＡＧＣ設定及び／又はセル識別（ｃｅｌｌ  ｉｄｅｎｔｉｆｉｃａｔｉｏｎ）の用途のためにのみ構成されることもできる。
【０２８２】
若しくは、端末にクロスキャリアスケジューリングが構成された場合、端末はｐＳＦを期待しないこともできる。この際、端末がｐＳＦを期待しないという意味は、端末がＰセルを介してスケジュールされるＵセルのＳＦがｐＳＦではなくて完全なＳＦであると仮定して該当ＳＦをデコードすることを意味する。
【０２８３】
このような場合、ｐＳＦは以下に後述するＰＳｔａｒｔの場合にのみ限定することができる。例えば、ＰＥｎｄの場合にはクロスキャリアスケジューリングを適用することができる。
【０２８４】
４．２  セルフスケジューリング
【０２８５】
以下では、セルフスケジューリング方法について説明する。Ｕセルに構成されるｐＳＦに対するセルフスケジューリングはＰＤＣＣＨ及び／又はＥ−ＰＤＣＣＨを介して遂行されることができる。以下で説明するセルフスケジューリング方式はＳＦ境界以前に始まるＰＳｔａｒｔ、及び完全なＳＦであるＦｕｌｌ  ＳＦ及び／又はＳＦ境界以前に終わるＰｅｎｄの両者に共に適用可能である。
【０２８６】
４．２．１  ＰＤＣＣＨを用いたセルフスケジューリング
【０２８７】
ＵセルにおいてＰＤＣＣＨの開始時点はＣＣＡ過程（又は、ＣＳ過程、ＬＢＴ過程）を完了した後、プリアンブル伝送が終わる時点に設定することができる。若しくは、ＰＤＣＣＨの開始時点はセル特定ＲＳ（ＣＲＳ：Ｃｅｌｌ−ｓｐｅｃｉｆｉｃ  ＲＳ）ポート０に対するシンボルの一つに設定することができる。図１９はセル特定ＲＳが配置される形態の一つを説明するための図である。図１９を参照すると、ＣＲＳポート０が割り当てられるシンボルは１ｓｔ、５ｔｈ、８ｔｈ及び１２ｔｈシンボルである。よって、ＰＤＣＣＨが送信される時点はＣＳＲポート０が割り当てられるシンボルの一つに設定することができる。
【０２８８】
この際、ＰＤＣＣＨの時間軸上の長さは上位層シグナリングによって前もって決定された値であってもよい。
【０２８９】
若しくは、ＰＤＣＣＨの時間軸上の長さはｐＳＦの長さによって前もって決定された値であってもよい。例えば、ｐＳＦの長さが１スロット（ｏｎｅ  ｓｌｏｔ）の長さより長ければ２ＯＦＤＭシンボルの間にＰＤＣＣＨが送信され、一つのスロットの長さより短ければ１ＯＦＤＭシンボルの間に送信されることができる。
【０２９０】
既存のＬＴＥ−ＡシステムにおいてＰＤＣＣＨの開始時点はＰＣＦＩＣＨ値によって決定される。仮に、Ｕセルに対してＰＣＦＩＣＨが存在しなければ、上位層シグナリングによって前もって設定された値によってＰＤＣＣＨの開始時点が決定されることができる。例えば、ＰＤＣＣＨの開始時点が５番目のシンボル（１ｓｔ  ｓｌｏｔ、ｌ＝４）であり、ＰＤＣＣＨの長さが１シンボルに前もって設定されていれば、ＰＤＳＣＨの開始時点は６番目のシンボル（１ｓｔ  ｓｌｏｔ、ｌ＝５）と見なされることができる。
【０２９１】
若しくは、ＵＣｅｌｌにＰＣＦＩＣＨが存在すれば、ｐＳＦのためのＰＣＦＩＣＨ値は既存のＳＦのＰＣＦＩＣＨと解釈を異にすることができる。例えば、ｐＳＦが５番目のシンボル（１ｓｔ  ｓｌｏｔ、ｌ＝４）で始まり、ＰＣＦＩＣＨ値が２であれば、端末は７番目（５＋２）のシンボルからＰＤＳＣＨが始まったと見なすことができる。
【０２９２】
若しくは、ＰＣＦＩＣＨが存在しないとき、ＰＤＣＣＨの時間軸上の長さは前もって設定した値であってもよい。また、ＴＸバースト上の一番目のＳＦがｐＳＦである場合にのみＰＣＦＩＣＨ（及びＰＨＩＣＨ）が存在しなくて前もって設定された値又は上位層信号（例えば、ＲＲＣ）によってＰＤＣＣＨの時間軸上の長さが設定されることができる。
【０２９３】
本発明の実施例において、端末はＵセル上に二つの制御領域があると見なし、ＰＤＣＣＨに対するブラインドデコーディング（ＢＤ）を遂行することができる。例えば、完全なサブフレームで端末は各サブフレームの一番目のシンボルから三番目のシンボルまでを制御領域として認識することができる。また、部分サブフレームでは二番目のスロットの一番目のシンボルから二番目のシンボルまでを制御領域として認識してＢＤを遂行することができる。
【０２９４】
４．２．１節に記述した方法はＰＳｔａｒｔであるｐＳＦに適用される。
【０２９５】
４．２．２  フローティングサブフレーム構造上の下りリンク物理チャネル
【０２９６】
図２０はフローティングサブフレームで下りリンク物理チャネルを送信する方法を説明するための図である。
【０２９７】
図２０に示したフローティングサブフレームは、ＵセルのＳＦの大きさがＰセルのＳＦの大きさと同一であるとともにＵセルのＳＦの開始及び終了時点がＰセルのＳＦ境界と一致しないように設定されるサブフレームを意味する。
【０２９８】
図２０を参照すると、基地局は、ＳＦ境界ではない時点にＬＢＴ動作が完了してもいつも１ｍｓ程度のＴＴＩを維持しながらＳＦを送信することができる。ＴＴＩの開始時点と終了時点がＰセルのサブフレーム境界と一致しないとしてもＵセルとＰセルの間に整列（ａｌｉｇｎ）されているサブフレーム境界は依然として有効であり、Ｕセル上の参照信号及びＰＤＣＣＨはＰセルタイミングを基準に構成されることができる。
【０２９９】
この際、ＴＴＩの開始時点がサブフレーム境界ではない場合、ＳＦ＃（ｎ＋１）上に存在するＰＤＣＣＨから該当ＴＴＩに対するスケジューリングを受信することができる。ＰＤＣＣＨの長さはＵセル上のＰＣＦＩＣＨによって決定されることもでき、上位層シグナリングによって前もって設定された値であってもよい。
【０３００】
この際、設定されたＰＤＣＣＨの長さが２ＯＦＤＭシンボル以上の場合に限り、ＴＴＩの開始点が限定されることができる。例えば、ＰＤＣＣＨの長さが２ＯＦＤＭシンボルの場合、ＳＦ  ＃Ｎの二番目のＯＦＤＭシンボルではＴＴＩが始まることができないように設定することができる。これは、仮に二番目のＯＦＤＭシンボルでＴＴＩが始まれば、ＳＦ  ＃Ｎの二番目のＯＦＤＭシンボルとＳＦ＃（ｎ＋１）の一番目のＯＦＤＭシンボルにＰＤＣＣＨが分けられて送信されることができ、このため、ＰＤＣＣＨのデコーディングの成功を保証しにくいことがあるからである。
【０３０１】
類似の例として、仮にＰＤＣＣＨの長さが３ＯＦＤＭシンボルの場合、ＳＦ  ＃Ｎの二番目及び三番目のＯＦＤＭシンボルではＴＴＩが始まることができないように設定することができる。
【０３０２】
図２０のようなフローティングＳＦの構造において、ＳＦ  ＃Ｎの前側の３個のＯＦＤＭシンボルをパンクチャリングした後、残りの部分にＰＤＳＣＨのＲＥをマッピングして送信し、パンクチャリングされた３個のＯＦＤＭシンボルをそのままＳＦ  ＃Ｎ＋１にマッピングして送信することができる。若しくは、ＴＴＩの開始時点を基準にＲＥマッピングを新たに始めるように設定することができる。
【０３０３】
４．２．３  Ｅ−ＰＤＣＣＨを用いたセルフスケジューリング
【０３０４】
ＬＴＥ−ＡシステムにおいてＥ−ＰＤＣＣＨの開始シンボルはＲＲＣシグナリングによって設定され、１〜４ＯＦＤＭシンボルの値を有する。
【０３０５】
しかし、チャネルのアイドル／ビジー状態によってＳＦの長さが変わるＬＡＡシステムのｐＳＦの場合には、プリアンブルの伝送が終わる地点から又はＰＤＳＣＨ上のＲＳ（例えば、ＣＲＳポート０に対するＲＳが割り当てられるシンボルの一つ）が始まる時点からＥ−ＰＤＣＣＨ開始位置を設定しておくことができる。言い替えれば、ＬＡＡシステムでは、ＲＲＣシグナリングによって設定されたＵセルに対するＥ−ＰＤＣＣＨ開始シンボルについての情報はｐＳＦに対して有効ではないものとして端末が見なすことができる。
【０３０６】
ただし、Ｅ−ＰＤＣＣＨを構成するＰＲＢの個数はＲＲＣシグナリングによって決定された値をそのまま維持することができる。
【０３０７】
若しくは、Ｅ−ＰＤＣＣＨを構成するＰＲＢの個数は既存のＲＲＣシグナリングとは別個にｐＳＦの長さによって前もって決定された値であってもよい。例えば、Ｅ−ＰＤＣＣＨを構成するＰＲＢの個数は、ｐＳＦを構成するＯＦＤＭシンボルの個数が７より小さければ８ＰＲＢに、７以上であれば４ＰＲＢに設定することができる。
【０３０８】
ＤＬバースト（又はＴｘＯＰ、ＲＲＰなど）が始まるＳＦの開始シンボル（ｓｔａｒｔｉｎｇ  ｓｙｍｂｏｌ）が変化するため、無線リソースを効率的に活用するためにＤＬバーストが終わるＳＦの終了シンボル（ｅｎｄｉｎｇ  ｓｙｍｂｏｌ）も変化するように設定することができる。仮に、終了シンボルの位置によってＥ−ＰＤＣＣＨの長さも変化すれば、Ｅ−ＰＤＣＣＨを介してセルフスケジューリングを受ける端末の実装複雑度が増加することができる。
【０３０９】
これを解決するために、全てのＥ−ＰＤＣＣＨの終了シンボルはＳＦ境界ではない特定のＯＦＤＭシンボルに設定することができる。例えば、ＤＬバーストが終わるＳＦの最小長が１１ＯＦＤＭシンボルに設定されていれば、Ｅ−ＰＤＣＣＨの終了シンボルはいつも１１番目のＯＦＤＭシンボルに設定することができる。この際、Ｅ−ＰＤＣＣＨの終了シンボルは既設定の値であっても、上位層信号によって設定された値であってもよい。
【０３１０】
ＵＥは、特定のＳＦがＤＬバースト上で始まるＳＦであるかあるいは終わるＳＦであるかが分からないこともある。すなわち、端末は全てのＳＦに対して始まるＳＦであると仮定してＥ−ＰＤＣＣＨに対する受信を試み、同時に終わるＳＦであると仮定してＥ−ＰＤＣＣＨに対する受信を試みることができる。この際、ＵＥが仮定することができるＥ−ＰＤＣＣＨ構成方法は次のようである。
【０３１１】
（１）第１のＥ−ＰＤＣＣＨ構成方法：Ｅ−ＰＤＣＣＨの開始シンボル及び終了シンボルが共に既存のＬＴＥ−Ａシステムの定義に従うＥ−ＰＤＣＣＨ。
【０３１２】
既存のＥ−ＰＤＣＣＨ開始シンボルは前もって決定されるかあるいはＲＲＣシグナリングによって設定され、シンボルインデックス１〜４の値を有する。すなわち、開始シンボルはシンボルインデックス１〜４ＯＦＤＭの一つであり得て、終了シンボルは最後のＯＦＤＭシンボルに設定することができる。この際、さらにＥ−ＰＤＣＣＨ開始シンボルはシンボルインデックス‘０’であるＯＦＤＭシンボルを含むことができる。
【０３１３】
（２）第２のＥ−ＰＤＣＣＨ構成方法：（１）の方法より後の開始シンボルで始まって（特徴的には、ＬＴＥ−Ａシステムで定義されず、ｐＳＦが始まるシンボル位置以後に始まって）ＬＴＥ−Ａシステムで定義される終了シンボルとして終わるＥ−ＰＤＣＣＨ。
【０３１４】
例えば、ｐＳＦの最初のＯＦＤＭシンボルが［０、４、７］番目のＯＦＤＭシンボルの一つであれば、一番後側の７番目（又は７番目のＯＦＤＭシンボルで始まるＰＤＣＣＨが終わるＯＦＤＭシンボル）で始まり終了ＯＦＤＭシンボルで終わるＥ−ＰＤＣＣＨを仮定することができる。この際、Ｅ−ＰＤＣＣＨ開始シンボルは前もってシステム上で定義されるかＲＲＣ信号によって端末に知られることができる。若しくは、可能なｐＳＦの最初のＯＦＤＭシンボルの集合がシグナリングされるとき、該当ＯＦＤＭシンボル集合内の最大のＯＦＤＭシンボル（又は最大のＯＦＤＭシンボルで始まるＰＤＣＣＨが終わるＯＦＤＭシンボル）にＥＰＤＣＣＨ開始シンボルが決定されることができる。
【０３１５】
（３）第３のＥ−ＰＤＣＣＨ構成方法：既存のＬＴＥ−Ａシステムで定義される開始シンボルで始まり（１）の方法の場合より前に終了シンボルとして終わる（すなわち、最後のＯＦＤＭシンボル以前のシンボルで終わる）Ｅ−ＰＤＣＣＨ。
【０３１６】
さらに、Ｅ−ＰＤＣＣＨ開始シンボルは‘０’番目のシンボルインデックスを含むことができる。ＥＰＤＣＣＨ終了シンボルは前述したようにＤＬバーストが終わるＳＦの最小長に設定することができる。例えば、ｐＳＦが［１０、１１、１２又は１４］番目のＯＦＤＭシンボルで終わることができれば、１０番目のＯＦＤＭシンボルがＥＰＤＣＣＨの終了シンボルに設定することができる。この際、ＥＰＤＣＣＨ終了シンボルは前もって決定されるかあるいはＲＲＣシグナリングによって端末に知られることができる。
【０３１７】
若しくは、ｐＳＦの終了ＯＦＤＭシンボル集合が端末にシグナリングされるとき、ＥＰＤＣＣＨ終了シンボルはＯＦＤＭシンボル集合内の最小ＯＦＤＭシンボルに決定されることができる。仮に、ＤＬバーストが終わるＳＦのために許された長さ（例えば、ＯＦＤＭシンボル長）の最小値が特定値（例えば、ＸＯＦＤＭシンボル）以下であれば、該当値以下の長さではＥＰＤＣＣＨの終了シンボルに設定することができないことがある。例えば、ＤＬバーストの終わるＳＦが［３、６、９、１０、１１、１２、１３又は１４］番目のＯＦＤＭシンボルで、Ｘ＝５である場合、Ｅ−ＰＤＣＣＨは３ＯＦＤＭシンボルのみで構成されることができない。
【０３１８】
また、残りの［６、９、１０、１１、１２、１３又は１４］番目のＯＦＤＭシンボルの中で最小値である６ＯＦＤＭシンボルがＥＰＤＣＣＨ終了シンボルに決定されることができる。
【０３１９】
また、ＥＰＤＣＣＨ終了シンボルで構成することができるＯＦＤＭシンボル個数の集合とＤＬバーストが終わるＳＦを構成するＯＦＤＭシンボル個数の集合が違う場合、ＤＬバーストの終了ＳＦのＯＦＤＭシンボルとＥＰＤＣＣＨ終了シンボルは違うことがあり得る。例えば、ＤＬバーストの最後のＳＦを構成するＯＦＤＭシンボルは［７、９、１０、１１、１２、１３又は１４］番目のＯＦＤＭシンボルの一つであり、ＥＰＤＣＣＨ終了シンボルで構成することができるＯＦＤＭシンボル個数の集合は［６、９、１０、１１、１２又は１４］番目のＯＦＤＭシンボルである場合、ＤＬバーストの中でｐＳＦのＥＰＤＣＣＨ終了シンボルは、ＥＰＤＣＣＨ終了シンボルで構成することができるＯＦＤＭシンボル個数集合の最小値である６番目のＯＦＤＭシンボルに決定されることができる。
【０３２０】
（４）第４のＥ−ＰＤＣＣＨ構成方法：ＥＰＤＣＣＨの開始シンボル及び終了シンボルのいずれもＬＴＥ−Ａシステムで定義されないＥ−ＰＤＣＣＨ。
【０３２１】
このようなＥ−ＰＤＣＣＨの場合、例えば、（２）で記述したＥ−ＰＤＣＣＨ開始シンボル決定方法及び（３）で記述したＥ−ＰＤＣＣＨ終了シンボル決定方法に従うことができる。
【０３２２】
ｐＳＦを含むＤＬバースト（又はＴｘＯＰ、ＲＲＰなど）に構成されることができるＥ−ＰＤＣＣＨをデコードするため、前述した四つのＥ−ＰＤＣＣＨを決定する方法を全て仮定して端末がＥ−ＰＤＣＣＨ受信を試みることは端末の複雑度を高めることができる。よって、上述した四つのＥ−ＰＤＣＣＨ構成方法の一部のみでＥ−ＰＤＣＣＨが構成されるように制限してＥ−ＰＤＣＣＨを設定することができる。これに対する具体的な実施例は次のようである。ＵＥは次の組合せの一つに属する全てのＥ−ＰＤＣＣＨに対する検出を試み、これからＳＦの長さが分かる。
【０３２３】
（Ａ）ＤＬバーストの最初のＳＦのみｐＳＦが許される場合：（１）の方式又は（１）及び（２）の方式のＥ−ＰＤＣＣＨが許されることができる。
【０３２４】
（Ｂ）ＤＬバーストの終了ＳＦにのみｐＳＦが許される場合：Ｅ−ＰＤＣＣＨ構成時、（３）の方式のみ許されることができる。
【０３２５】
（Ｃ）ＤＬバーストの最初のＳＦ及び終了ＳＦに対してｐＳＦが許される場合：Ｅ−ＰＤＣＣＨ構成時、（１）、（２）及び（３）の方式の組合せ、（１）及び（３）の方式の組合せ、（１）及び（４）の方式の組合せ、（２）及び（３）の方式の組合せ、（２）及び（４）の方式の組合せ、（３）及び（４）の方式の組合せ、（３）の方式のみ、又は（４）の方式のみが許されることができる。
【０３２６】
（Ｄ）前記提案したｐＳＦを構成するＥ−ＰＤＣＣＨの組合せのうち、（３）又は（４）の方式を含む組合せに対し（すなわち、最後のＯＦＤＭシンボル以前のシンボルで終わるＥ−ＰＤＣＣＨ及び終了ｐＳＦを受信する）ＵＥの動作は次のようである。
【０３２７】
最後のＯＦＤＭシンボル以前に終わるＥ−ＰＤＣＣＨを検出したＵＥは該当ＳＦを構成するＰＤＳＣＨがサブフレーム境界以前に終わることになることを認知することができる。仮に、Ｅ−ＰＤＣＣＨ終了シンボルは、前述したようにＤＬバーストが終わるＳＦの最小長に設定される場合、Ｅ−ＰＤＣＣＨ上に送信されるＤＣＩを介して指示された情報を活用して実際にＤＬバーストが終わるシンボルの位置が正確に分かる。
【０３２８】
例えば、［１０、１１、１２又は１４］番目のＯＦＤＭシンボルでＤＬバーストが終わることができれば、ＤＬバーストの終了ｐＳＦに構成されるＥ−ＰＤＣＣＨは１０番目のＯＦＤＭシンボルで終わるように設定することができる。端末が終了ｐＳＦを受信するＵＥはブラインドデコーディングによってＥＰＤＣＣＨが１０番目のＯＦＤＭシンボルで終わることを認知したとすれば、該当ＳＦのＰＤＳＣＨがサブフレームの境界以前に終わることが分かるが、［１０、１１、１２、又は１４］番目のＯＦＤＭシンボルの中でどのＯＦＤＭシンボルで終わるかはまだ正確に分からない。
【０３２９】
したがって、端末はＥ−ＰＤＣＣＨ上に送信されるＤＣＩに指示される情報を活用して実際にどのＯＦＤＭシンボルでＰＤＳＣＨが終わるかが分かる。この際、基地局はＥＰＤＣＣＨのＤＣＩによって指示されるＯＦＤＭシンボル情報をスクランブリングシーケンス、ＣＲＣマスク、サーチスペース及び／又は新しい指示子などを介して端末に知らせることができる。
【０３３０】
例えば、ＤＣＩフォーマットに２ビットの大きさの新しいフィールドが定義される場合、新しいフィールドの‘００’は１０番目のＯＦＤＭシンボル、‘０１’は１１番目のＯＦＤＭシンボル、‘１０’は１２番目のＯＦＤＭシンボルでＰＤＳＣＨが終わることを指示するように設定することができる。このような動作は（１）又は（２）のＥ−ＰＤＣＣＨ構成方式を含む組合せにおいてｐＳＦの開始ＯＦＤＭシンボルの候補が３個以上の場合も同様に適用することができる。
【０３３１】
４．２．３．１  ＥＲＥＧインデックシング法
【０３３２】
以下では、上述したＥ−ＰＤＣＣＨを用いてセルフスケジューリングを行う場合、Ｅ−ＰＤＣＣＨを構成するリソース要素のＥＲＥＧ（ｅｎｈａｎｃｅｄ  ＲＥＧ）インデックシングを行う方法について説明する。４．２．３．１節及び４．２．３．２節の方法はＰＳｔａｒｔであるｐＳＦに適用される。
【０３３３】
基地局は既存の完全なＳＦ（すなわち、Ｆｕｌｌ  ＳＦ）のＥ−ＰＤＣＣＨのような方法でＥＲＥＧのためのインデックシングをした後、ｐＳＦによって送信できなかったシンボルはパンクチャリングされたと仮定することができる。若しくは、ｐＳＦの実際の開始ＯＦＤＭシンボルから新たにＥＲＥＧインデックシングを遂行することもできる。
【０３３４】
仮に、ｐＳＦがスロット境界に合わせて構成され、特に該当ＳＦの二番目のスロット境界で始まるように制限される場合には、基地局は完全なＳＦでのように割り当てたＥＲＥＧに対するインデックシング後、一番目のスロットに含まれるＯＦＤＭシンボルをパンクチャリングして二番目のスロットにマッピングすることによってｐＳＦを構成することができる。
【０３３５】
この際、ＥＲＥＧは向上した制御チャネルのリソース要素に対するマッピングを定義するために使われる。完全なサブフレームに対して各物理リソースブロック対（ＰＲＢ  ｐａｉｒ）当たり０番目のＥＲＥＧから１５番目のＥＲＥＧまでの１６個のＥＲＥＧが存在することができる。一般ＣＰの場合はアンテナポートｐ＝｛１０７、１０８、１０９、１１０｝、又は拡張ＣＰの場合はアンテナポートｐ＝｛１０７、１０８｝に対してＤＭ−ＲＳを伴うリソース要素を除き、全てのリソース要素はＰＲＢ対上で周波数を優先して０から１５まで昇順に循環的にマッピングされ、以後には時間リソース上にマッピングされる。この時、該当ＰＲＢ対内で番号ｉを有する全てのリソース要素はＥＲＥＧ番号ｉを構成することができる。
【０３３６】
また、フレーム構造タイプ３に対し、仮に上位層パラメータ（例えば、ｓｕｂｆｒａｍｅＳｔａｒｔＰｏｓｉｔｉｏｎ）が‘ｓ０７’を指示し、下りリンク伝送がサブフレームの二番目のスロットで始まれば（すなわち、ｐＳＦが構成されれば）、このように説明したＥＲＥＧマッピング方式は該当サブフレームの一番目のスロットの代わりに二番目のスロットに適用することができる。
【０３３７】
この際、フレーム構造タイプ３はＬＡＡで使用する新しいフレーム構造を示し、上位層パラメータが指示する‘ｓ０７’は基地局がＴｘＯＰ区間（又はＤＬバースト、ＲＲＰ）を構成する一番目のＳＦがｐＳＦで構成されることを意味することができる。
【０３３８】
４．２．３．２  最小結合レベル設定
【０３３９】
以下ではｐＳＦのためのＥＰＤＣＣＨに対する最小結合レベルを設定する方法について説明する。
【０３４０】
最小結合レベルはＬＴＥ−Ａシステムの特別サブフレーム（ｓｐｅｃｉａｌ  ＳＦ）のために設定された値を再使用することができる。例えば、一般ＣＰの場合、特別ＳＦ構成（ｓｐｅｃｉａｌ  ＳＦ  ｃｏｎｆｉｇｕｒａｔｉｏｎ）３、４及び８の場合（すなわち、ｐＳＦを構成するシンボルの個数が１１個又は１２個）と特別ＳＦ構成１、２、６、７及び９の場合（すなわち、ｐＳＦを構成するシンボルの個数が７個、９個又は１０個の場合）を分けて最小結合レベルを設定することができる。
【０３４１】
仮に、ｐＳＦに対するＥＰＤＣＣＨの最小結合レベルは、特別ＳＦ構成上に定義されなかったシンボルの個数（例えば、Ｑ個）で構成されたｐＳＦの場合にはＱと最も近い長さ（又は、Ｑより小さい最大長又はＱより大きい最小長）のシンボルで構成された特別ＳＦ構成に対する設定方法に従うように定義することができる。これは拡張ＣＰの場合にも同じ規則を易しく拡張して適用することができる。
【０３４２】
４．２．３．３  ＥＰＤＣＣＨモニタリングサブフレーム
【０３４３】
現在のＬＴＥ−Ａシステムにおいて、Ｅ−ＰＤＣＣＨに対するモニタリングＳＦはセル単位でＲＲＣ層で端末にシグナリングされる。
【０３４４】
この際、端末はＵＣｅｌｌでＥＰＤＣＣＨモニタリングＳＦに対するＲＲＣシグナリングがＤＬバースト区間内でのみ有効であると見なすことができる。
【０３４５】
若しくは、全てのＵＣｅｌｌ（又は、特定ＵＣｅｌｌ）のためにはこのようなＲＲＣシグナリングを許さず、前もって定義されたＰＣｅｌｌ（又は他のＣｅｌｌ）上の構成を承継するように設定することができる。このような規則は、クロスキャリアスケジューリング（又は、セルフスケジューリング）によって定義されたＭＢＳＦＮ  ＳＦのためにも同様に適用可能である。
【０３４６】
４．２．３．４  ＺＰ−ＣＳＩ−ＲＳ設定方法
【０３４７】
ＬＴＥ−Ａシステムにおいて特定ＥＰＤＣＣＨ集合上のＺＰ−ＣＳＩ−ＲＳ設定はＲＲＣシグナリングによって遂行される。
【０３４８】
ＬＡＡシステムのＵセル上で不連続的に現れるＤＬバーストの特性上、ＺＰ−ＣＳＩ−ＲＳが周期的に設定されることは難しいことがあり得る。よって、端末はＵＣｅｌｌでＺＰ−ＣＳＩ−ＲＳ構成に対するシグナリングがＤＬバースト区間内でのみ有効であると見なすことができる。
【０３４９】
若しくは、端末は、Ｕセルで送信されるＥＰＤＣＣＨ集合に関連して非周期的ＺＰ−ＣＳＩ−ＲＳ構成が導入される場合、ＲＲＣシグナリングによって設定されたＥＰＤＣＣＨ集合上のＺＰ−ＣＳＩ−ＲＳは有効でないと見なすことができる。
【０３５０】
ＬＴＥ−Ａシステムで使われるＥＰＤＣＣＨはＺＰ−ＣＳＩ−ＲＳが存在するＲＥに対してレートマッチング（ｒａｔｅ−ｍａｔｃｈｉｎｇ）が遂行される。このような場合は、ＲＲＣシグナリングによって設定されたＺＰ−ＣＳＩ−ＲＳが存在するＲＥに対してはレートマッチングが遂行されないこともある。
【０３５１】
また、非周期的ＺＰ−ＣＳＩ−ＲＳ構成上のＺＰ−ＣＳＩ−ＲＳＲＥに対してレートマッチングが遂行されるように規定されることができる。
【０３５２】
４．２．３．５  ＰＤＳＣＨ開始位置
【０３５３】
ＬＴＥ−Ａシステムでは、ＥＰＤＣＣＨを介してセルフスケジューリングが遂行されるとき、ＰＤＳＣＨの開始シンボルは上位層シグナリングによって設定されたＥＰＤＣＣＨの開始シンボルと同様に設定される。本発明の実施例において、ＤＬバースト（又は、ＴｘＯＰなど）の最初のＳＦの開始時点は４番目のＯＦＤＭシンボルで、ＵＣｅｌｌ上のスケジューリングはＥＰＤＣＣＨを介してセルフスケジュールされるように設定することができる。この際、ＵＥはＤＬバーストの最初のＳＦのＰＤＳＣＨ開始シンボルは４番目のＯＦＤＭシンボルとして認識し、ＤＬバーストの残りのＳＦでのＰＤＳＣＨ開始シンボルは設定されたＥＰＤＣＣＨ開始シンボルと違うものとして認識することができる。例えば、ＤＬバーストの最初のＳＦ以外のＳＦでＰＤＳＣＨの開始シンボルは１番目のＯＦＤＭシンボルに前もって定義されるかあるいは上位層シグナリングによって設定されることができる。
【０３５４】
次の表８はＰＤＳＣＨ開始時点を設定する方法の一つを説明するためのものである。
【０３５５】
【表８】
2020099063.tif 000042
【０３５６】
４．２．３．６  一つのＥＣＣＥを構成するＥＲＥＧ個数
【０３５７】
ＬＴＥ−Ａシステムにおいては、Ｅ−ＰＤＣＣＨを送信することができるＯＦＤＭシンボルの個数（又は、ＲＥ個数）が少ない一部の特別サブフレーム構成（ｓｐｅｃｉａｌ  ｓｕｂｆｒａｍｅ  ｃｏｎｆｉｇｕｒａｔｉｏｎ）１、２、６、７又は９に対して向上した制御チャネル要素（ＥＣＣＥ：Ｅｎｈａｎｃｅｄ  Ｃｏｎｔｒｏｌ  Ｃｈａｎｎｅｌ  Ｅｌｅｍｅｎｔ）を構成する向上したリソース要素グループ（ＥＲＥＧ：Ｅｎｈａｎｃｅｄ  ｒｅｓｏｕｒｃｅ  Ｅｌｅｍｅｎｔ  Ｇｒｏｕｐ）の個数が４ではなくて２倍である８に設定される。これについての詳細な内容は３ＧＰＰ  ＴＳ  ３６．２１３規格文書の９．１．４節の内容を参照することができる。
【０３５８】
ＬＡＡシステムでは、部分サブフレーム（ｐＳＦ）伝送によってＥ−ＰＤＣＣＨを送信することができるＯＦＤＭシンボルの個数（又は、ＲＥ個数）が減る場合にも類似の動作を遂行するように設定することができる。例えば、ｐＳＦを構成するＯＦＤＭシンボルの個数が１１個以上であれば一つのＥＣＣＥを構成するＥＲＥＧ個数を４個に設定し、１１個未満であればＥＣＣＥを構成するＥＲＥＧの個数を８個に設定することができる。
【０３５９】
一つのＥＣＣＥを構成するＥＲＥＧの個数を設定する方法はＰＳｔａｒｔに適用される。
【０３６０】
４．２．３．７  Ｅ−ＰＤＣＣＨデコーディング候補個数
【０３６１】
ＬＴＥ−Ａシステムでは、Ｅ−ＰＤＣＣＨで送信するＤＣＩの大きさに比べてサブフレーム内でＥ−ＰＤＣＣＨ伝送のために使用可能なＲＥの個数が少ない場合（Ｃａｓｅ１）、又はＥＣＣＥを構成するＥＲＥＧの個数が８であって全てのＥＣＣＥの個数が少なくなる場合（Ｃａｓｅ２）に特定のサブフレームでＥＰＤＣＣＨデコーディング候補個数が変わることができる。Ｃａｓｅ１又はＣａｓｅ２が適用される場合についての詳細な説明は３ＧＰＰ  ＴＳ  ３６．２１３規格文書の９．１．４節の内容を参照することができる。
【０３６２】
ＬＡＡシステムにおいて、ｐＳＦを構成するＯＦＤＭシンボルの個数が特定の個数（例えば、既設定の又は上位層シグナリングされた値）以下になれば上述したＣａｓｅ１が適用されるように設定することができる。
【０３６３】
若しくは、４．２．３．５節で説明したように特定の条件を満たせば、一つのＥＣＣＥを構成するＥＲＥＧ個数をいつも８個に固定させる場合にはＣａｓｅ２が適用されるように設定することができる。
【０３６４】
ＬＴＥ−Ａシステムにおいて、一般ＳＦ（すなわち、ｆｕｌｌ  ＳＦ）で一つのＰＲＢ対に含まれるＲＥの個数（ｎＥＰＤＣＣＨ）は１６８個である。仮に、ｐＳＦが１個のスロットで構成される場合は８４個のＲＥを有することができ、ｐＳＦが１個のスロットより大きい大きさに設定される場合にも１０４個以下のＲＥで構成される可能性が高い。
【０３６５】
このような場合、ＲＥの個数ｎＥＰＤＣＣＨ＜１０４の場合にはＣａｓｅ１が適用されることができる。例えば、ｎＥＰＤＣＣＨ＜１０４の場合、端末はＣａｓｅ１と見なしてＥＰＤＣＣＨをデコードすることができる。ＴＳ  ３６．２１３規格文書のテーブル９．１．４−１ａ、９．１．４−１ｂ、９．１．４−２ａ、９．１．４−２ｂ、９．１．４−３ａ、９．１．４−３ｂ、９．１．４−４ａ、９．４．４−４ｂ、９．１．４−５ａ及び／又は９．１．４−５ｂを参照すると、Ｃａｓｅ１が適用される場合、他のＣａｓｅに比べてＥＰＤＣＣＨ結合レベルが“１、２、４、８（、１６）”より大きい“２、４、８、１６（、３２）”が適用される。すなわち、基地局はＣａｓｅ２又は３が適用される場合よりＥＰＤＣＣＨ結合レベルが２倍になるようにＥＰＤＣＣＨを構成して送信することができる。
【０３６６】
したがって、ＬＡＡシステムにおいてｐＳＦの場合にｐＳＦを構成するＲＥの個数（ｎＥＰＤＣＣＨ）が特定の個数（例えば、１０４個）以下の場合、基地局はＥＰＤＣＣＨに対してＣａｓｅ１を適用して（すなわち、ＥＰＤＣＣＨ結合レベルを上げて）構成し、端末に送信することができる。端末は、ｐＳＦが構成された場合、Ｃａｓｅ１が適用されたものに基づいてＥＰＤＣＣＨに対するブラインドデコーディングを遂行することができる。
【０３６７】
本実施例の他の態様として、上述した４．２．１節及び４．２．３節の方法において、ｐＳＦの長さによってその選択を異にするように構成されることができる。例えば、基地局は、ｐＳＦの長さがＺシンボルより大きければＰＤＣＣＨを用いてセルフスケジューリングを遂行し、Ｚシンボル以下であればＥＰＤＣＣＨを用いてセルフスケジューリングを遂行するように設定することができる。
【０３６８】
４．２．３．７節の方法はＰＳｔａｒｔであるｐＳＦに適用される。
【０３６９】
本実施例のさらに他の態様として、上述した４．２．１節及び４．２．３節の方法において、（Ｅ）ＰＤＣＣＨの開始シンボルの設定はｐＳＦではない完全なＳＦ（すなわち、プールＳＦ）の場合にも同様に適用することができる。例えば、完全なＳＦの５番目のＯＦＤＭシンボル（１ｓｔ  ｓｌｏｔ、ｌ＝４）からＰＤＣＣＨを構成し、ＰＤＣＣＨ領域ではない残りのＯＦＤＭシンボルをＰＤＳＣＨに設定することができる。
【０３７０】
４．２．３．８  スケジューリング方式制限方法
【０３７１】
上述した４．２節で説明したように端末がセルフスケジューリングを受けるように構成される場合、基地局がｐＳＦに対してセルフスケジューリングを遂行するに際して、該当ｐＳＦに対する制御チャネルの位置をｅＮＢが知らせるか、その位置をＵＥが検出するために実装の複雑度の増加する問題があり得る。
【０３７２】
したがって、該当端末は、ｐＳＦに対してセルフスケジューリングは許されずにクロスキャリアスケジューリングのみが許されるように構成されることができる。仮に、基地局がｐＳＦを送信する時点にセルフスケジューリングを遂行しなければならなければ、該当ｐＳＦにＰＤＳＣＨは含まれないこともある。例えば、該当ｐＳＦは単にチャネルを占有するためのダミー信号で構成されるか、同期獲得、ＡＧＣ設定、及び／又はセル識別のための用途にのみ構成されることができる。すなわち、端末にセルフスケジューリングが構成された場合には、該当端末はｐＳＦの受信を期待しないことができる。
【０３７３】
４．３  ハイブリッドスケジューリング
【０３７４】
以下ではチャネル環境又はシステム要求事項によってクロスキャリアスケジューリングとセルフスケジューリングを一緒に用いるハイブリッドスケジューリング方式について説明する。
【０３７５】
ＤＬバーストの最初のＳＦは、その長さの可変性によって、ＵＣｅｌｌでセルフスケジュールするときに制御チャネルの位置が一定でないので、最初のＳＦに対するセルフスケジューリングはｅＮＢとＵＥの側面で実装が難しいことがあり得る。また、ＵＣｅｌｌの個数が増えれば、ＰＣｅｌｌでクロスキャリアスケジューリングのための負担（ｏｖｅｒｈｅａｄ）が大きく増加することができる。
【０３７６】
したがって、ＤＬバーストの最初のＳＦ（又は、ｐＳＦ）にはクロスキャリアスケジューリングを適用し、残りのＳＦにはセルフスケジューリングを適用するように構成することができる。
【０３７７】
ＬＴＥ−ＡシステムのＣＡ状況では基地局がＲＲＣシグナリングによって該当セルがクロスキャリアスケジューリング又はセルフスケジューリングを行うか否かを端末に知らせた。しかし、本発明の実施例では、一つのＤＬバーストに対して一部のＳＦはクロスキャリアスケジューリングを、残りの一部のＳＦはセルフキャリアスケジューリングを遂行することができる。これをハイブリッドスケジューリングと呼ぶことにする。
【０３７８】
４．３．１  プレスケジューリング
【０３７９】
図１５で、ｐＳＦ開始に先立つＳＦ  ＃Ｎ＋１の時点に基地局がクロスキャリアスケジューリングを行うことをプレスケジューリングに定義した。図１５を参照すると、ＳＦ  ＃Ｎ＋１で送信されるＰＤＳＣＨに対するスケジューリングはＰＣｅｌｌ上のＳＦ  ＃Ｎ＋１で遂行され、残りのＳＦはＵＣｅｌｌでセルフスケジューリング方式でスケジュールされることができる。
【０３８０】
ＳＦ  ＃Ｎ＋１の時点にプレスケジュールされたと言っても、ＳＦ  ＃Ｎ＋１の間にチャネルがアイドルでなければ、基地局はＳＦ  ＃Ｎ＋１でｐＳＦを送信することができなく、ＳＦ  ＃Ｎ＋２の時点にまたプレスケジューリングを遂行することができる。このような問題を解決するために、ｅＮＢはＵＥにプレスケジューリングと別個のシグナリングによってＤＬバーストが実際に始まったことを知らせることができる。
【０３８１】
例えば、図１５で、ｅＮＢはＳＦ  ＃Ｎ＋２の時点にＤＬバーストが始まったことをＰＣｅｌｌ又はＵＣｅｌｌを介して端末に明示的に知らせることができる。より詳細に、ＤＬバースト開始通知メッセージはセル特定サーチスペース（ＣＳＳ）を介して端末に送信されることができる。
【０３８２】
ＵＥはＤＬバーストの開始を知らせるＤＬバースト開始通知メッセージを受信するまではクロスキャリアスケジューリングを期待し、ＤＬバーストの開始を知らせるメッセージを受信したＳＦを含み、該当ＤＬバーストが終わるまでセルフスケジューリングを期待することができる。この際、ＵＥがクロスキャリアスケジューリング又はセルフキャリアスケジューリングを期待するというのは、ＵＥがＰＤＣＣＨ及び／又はＥＰＤＣＣＨをデコードするためにＰセル又はＵセルのサーチスペースをモニター及びデコードすることを意味する。
【０３８３】
この際、ＤＬバーストの長さは物理層シグナリング又は上位層シグナリングによって端末に設定することができる。
【０３８４】
本実施例の他の態様として、図１５で、ｅＮＢはＳＦ  ＃Ｎ＋２の時点にＤＬバースト上の最初のＳＦ（例えば、ｐＳＦ）の長さについての情報をＰＣｅｌｌを介して又はＵＣｅｌｌを介して明示的に端末に知らせることができる。例えば、基地局はＣＳＳを介して該当情報を端末に送信することができる。
【０３８５】
仮に、ＤＬバースト上の最初のＳＦの長さがＷシンボルより大きければ、最初のＳＦはクロスキャリアスケジューリングによって、Ｗ以下であれば最初のＳＦはセルフスケジューリング方式でスケジュールされることができる。この際、ＵＥはＤＬバースト上の最初のＳＦの長さについての情報を受信するまではクロスキャリアスケジューリングを期待するように構成される。ＵＥは、ＣＳＳを介して受信されたＤＬバースト上の最初のＳＦの長さが分かり、ＳＦの長さによって違うスケジューリング方式が適用されることが分かる。例えば、ＤＬバースト上の最初のＳＦの長さがＷシンボルより大きければ端末はクロスキャリアスケジューリングを期待し、ＤＬバースト上の残りのＳＦに対してはセルフスケジューリングを期待することができる。一方、端末がＣＳＳを介して分かることになったＤＬバースト上の最初のＳＦの長さがＷシンボル以下であればＤＬバースト上のＳＦに対してはセルフスケジューリングを期待することができる。
【０３８６】
４．３．２  ポストスケジューリング
【０３８７】
図１５で、ｐＳＦ開始時点より遅くクロスキャリアスケジューリングを行うことをポストスケジューリングに定義した。この際、ＳＦ  ＃Ｎ＋１のＰＤＳＣＨ伝送に対するスケジューリングはＰＣｅｌｌ上のＳＦ  ＃Ｎ＋２で、残りのＳＦに対するスケジューリングはＵＣｅｌｌでセルフスケジュールされることができる。
【０３８８】
４．３．１節と同様に、ｅＮＢはＵＥにポストスケジューリングと別個のシグナリングによってＤＬバーストが実際に始まったことを明示的に知らせることができる。ＵＥはいつもＰＣｅｌｌ上のクロスキャリアスケジューリングとＵＣｅｌｌ上のセルフスケジューリングを全て期待することができる。端末がＰＣｅｌｌ上にＤＬバーストの開始を知らせるメッセージを受信すれば、端末はその次のＳＦからＤＬバーストが終わるまではＵＣｅｌｌ上のセルフスケジューリングのみ期待し、ＰＣｅｌｌ上のクロスキャリアスケジューリングは期待しないこともできる。この際、ＤＬバーストの長さは物理層シグナリング又は上位層シグナリングによって設定することができる。
【０３８９】
４．３．３  特定のＵセルに対するハイブリッドスケジューリング
【０３９０】
端末は特定のＵＣｅｌｌに対していつもクロスキャリアスケジューリング及びセルフスケジューリングを同時に期待するように設定することができる。
【０３９１】
４．３．１節、４．３．２節又は４．３．３節のスケジューリング方法において、基地局は特定のＵＣｅｌｌに対していつもクロスキャリアスケジューリング及び／又はセルフキャリアスケジューリングを遂行することができ、基地局が指定した時点から（又は指定した区間内で）クロスキャリアスケジューリング及び／又はセルフキャリアスケジューリングを遂行するように構成されることができる。
【０３９２】
４．３．４  サーチスペース
【０３９３】
前記４．３節で説明したハイブリッドスケジューリング方法において、特定の時点に一つのＵＣｅｌｌに対するスケジューリンググラントが一つのＵセルだけではない多数のＵセルの中で一つ以上のセルで送信されることができることを仮定した。例えば、特定ＵＥの観点でＳＦ  ＃Ｎ時点にＰＣｅｌｌだけでなくＵＣｅｌｌ１でＵＣｅｌｌ１に対するスケジューリンググラントがｅＮＢから送信されると期待することができる。若しくは、端末はＳＦ  ＃Ｎ時点にＰＣｅｌｌだけでなくＵＣｅｌｌ２でＵＣｅｌｌ１に対するスケジューリンググラントがｅＮＢから送信されると期待することができる。すなわち、以下では、一つのＵセルに対するスケジューリングが複数のＣｅｌｌから設定することができる環境でＰＤＣＣＨサーチスペース構成及びＵＥのＰＤＣＣＨブラインドデコーディング（ＢＤ）方法について説明する。
【０３９４】
スケジュールされたセル（Ｓｃｈｅｄｕｌｅｄ  ｃｅｌｌ）のスケジューリングのためのＰＤＣＣＨサーチスペースは、他のセルに対して複数のスケジュールを遂行するスケジューリングセル（ｓｃｈｅｄｕｌｉｎｇ  ｃｅｌｌ）の全てに同時に構成されることができる。また、ＵＥは、複数のスケジューリングセル上のサーチスペースに対して同時に、スケジュールされたセルに対するスケジューリング検出のためのＰＤＣＣＨブラインドデコーディングを試みることができる。この際、ＵＥの特定のスケジュールされたセルに対するＢＤ遂行回数は次のように設定することができる。
【０３９５】
ＬＴＥ−Ａシステムにおいて、特定のスケジュールされたセルに対するＢＤ回数がＮ回であり、スケジューリングセルの個数をＫ（＞１）個であると仮定するとき、ＵＥは該当スケジュールされたセルに対するＢＤ回数をＮより大きく設定することができる。例えば、該当スケジュールされたセルに対するＢＤ回数をＫ＊Ｎ個に設定することができる。若しくは、ＵＥの立場で特定のスケジュールされたセルに対するＢＤ回数が増加してＵＥ実装複雑度が増加する問題を考慮し、スケジューリングセルの個数が複数になるとき、ＢＤ回数がＮより小さいか同じになるように設定することができる。
【０３９６】
以下では、この実施例の他の態様として、スケジューリングセルが複数個になる場合にもＢＤ回数をＮに維持させる方法について説明する。
【０３９７】
一番単純には、スケジューリングセル（等）間のＢＤ回数を均等に分割することができる。例えば、スケジューリングセルの個数が２個の場合、各スケジューリングセルに対するＢＤ回数はＮ／２に設定することができる。このような方法を適用する場合、結合レベル（ＡＬ：Ａｇｇｒｅｇａｔｉｏｎ  Ｌｅｖｅｌ）別のＢＤ回数が多数のスケジューリングセルの間に同一に設定されると定義することができる。例えば、ＡＬ｛１、２、４、８｝に対するＢＤ回数がそれぞれ｛６、６、２、２｝回であり、Ｋ＝２である場合、各スケジューリングセルのＡＬ別のＢＤ回数は｛３、３、１、１｝回に設定することができる。
【０３９８】
若しくは、スケジューリングセル（等）間のＢＤ回数を不均等に設定することもできる。例えば、システム帯域幅が大きいスケジューリングセルにもっと多いＢＤ回数を設定するかあるいは免許帯域スケジューリングセル（Ｐセル）にもっと多いＢＤ回数を設定することもできる。例えば、ＡＬ｛１、２、４、８｝に対するＢＤ回数がそれぞれ｛６、６、２、２｝であり、Ｋ＝２である場合、システム帯域幅が大きいスケジューリングセル又は免許帯域のスケジューリングセルのＡＬ別のＢＤ回数は｛４、４、２、２｝回に設定し、残りのスケジューリングセルの場合、ＡＬ別のＤＢ回数は｛２、２、０、０｝に設定することができる。これは、システム帯域幅が大きいスケジューリングセル又は免許帯域のスケジューリングセルに対して高いＡＬのＢＤ回数がより多く設定されると解釈することができる。
【０３９９】
スケジューリングセルの個数が複数であり、全ＢＤ回数がＮより大きいか小さいＭに設定されるとき、スケジューリングセル間のＤＢ回数（Ｍ）を均等にあるいは不均等に設定する方法は前記提案方法を活用することができる。
【０４００】
以下では、本発明の実施例のさらに他の態様として、複数のスケジューリングセルの一部又は全部がＴＤＤセルの場合、ＢＤ回数の割当て方法について説明する。
【０４０１】
ＴＤＤ  ＤＬ／ＵＬ構成によって、特定時点にＤＬ  ＳＦであるスケジューリングセルの個数が１個又は２個以上であることがあり得る。仮に、特定時点にＤＬ  ＳＦであるスケジューリングセルの個数がＫ個であると仮定するとき、ＵＥは該当スケジュールされたセルに対するＢＤ回数をＫ＊Ｎ個に設定することができる。
【０４０２】
若しくは、特定時点にＤＬ  ＳＦであるスケジューリングセル（等）の個数が変わってもＵＥの立場で行うＢＤの回数はいつも一定になるように設定することができる。例えば、特定時点にＤＬ  ＳＦであるスケジューリングセル（等）の個数が１個であれば該当セルでＮ回のＢＤを遂行し、特定時点にＤＬ  ＳＦであるスケジューリングセル（等）の個数が２個以上であれば前記提案した方法によってセル別にＢＤ回数を分割し、ＢＤ回数の総和をＮに維持させることができる。
【０４０３】
若しくは、特定時点にＤＬ  ＳＦであるスケジューリングセル（等）の個数によってＢＤ回数を設定する複雑度を減らすために、複数のスケジューリングセルが許されるＳＦを＃０、＃１、＃５、＃６に制限することができる。すなわち、現在のＬＴＥ−ＡシステムのＴＤＤ  ＤＬ／ＵＬ構成上でいつもＤＬ  ＳＦに設定されるＳＦの場合にのみ複数のスケジューリングセルを許し、ＢＤ回数をセル別に設定し、残りのＳＦの場合にはセルフスケジューリングのみ許すように構成されることができる。
【０４０４】
下りリンク伝送だけでなく、上りリンク伝送に対しても特定のスケジューリングセルに対するスケジューリンググラントが複数のセルから送信されることができる。この際、スケジュールされたセル上のＰＵＳＣＨ伝送に対するＰＨＩＣＨの場合、複数のスケジューリングセルの中で該当ＰＵＳＣＨに対するスケジューリンググラントが実際に送信されたスケジューリングセル上に送信されることができる。
【０４０５】
４．４  ｐＳＦに対するＣＳＩ測定及び報告方法
【０４０６】
以下では、ｐＳＦのＣＳＩ測定のための有効性（ｖａｌｉｄｉｔｙ）について説明する。以下の実施例は４．１節〜４．３節で説明したスケジューリング方式が適用される場合に一緒に又は単独で適用可能な実施例である。
【０４０７】
４．４．１  ＳＦ形態による有効性設定
【０４０８】
一定でないｐＳＦの長さに対してＵＥとｅＮＢの間に不一致（ｍｉｓｍａｔｃｈ）が発生し得る。この際、仮にｐＳＦがＣＳＩ参照リソース（ＣＳＩ  ｒｅｆｅｒｅｎｃｅ  ｒｅｓｏｕｒｃｅ）に指定されれば、ＵＥとｅＮＢ間のｐＳＦ長さ情報の不一致によってＵＥは誤ったＣＱＩ値を基地局にフィードバックすることがあり得る。これを防止するために、ｐＳＦは有効下りリンクサブフレーム（ｖａｌｉｄ  ｄｏｗｎｌｉｎｋ  ＳＦ）と見なされることができない。また、完全なＳＦのみが有効下りリンクサブフレームと見なされることができる。
【０４０９】
例えば、基地局はｐＳＦにＣＳＩ−ＲＳリソースを割り当てないことができ、端末はｐＳＦに対しては有効サブフレームと見なさないので、ｐＳＦをＣＳＩ測定及び報告のための参照リソースとして使わない。よって、端末はＤＬバースト（又は、ＴｘＯＰ区間、ＲＲＰ区間など）に含まれた完全なＳＦに対してのみＣＳＩを測定し、周期的又は非周期的方式で基地局に報告することができる。もちろん、端末は、ＣＳＩ報告周期でＤＬバーストがなくても以前に測定したＣＳＩを基地局に報告することができる。
【０４１０】
４．４．１節で、ｐＳＦは最初の一部のＯＦＤＭシンボルが空いたままで送信されるＰＳｔａｒｔ  ＳＦ、最後の一部のＯＦＤＭシンボルが空いたままで送信されるＰＥｎｄ  ＳＦを含むことができる。
【０４１１】
４．４．２  ｐＳＦの長さによる有効性設定
【０４１２】
競争に基づく任意接続方式で動作する非免許帯域の特性上、特定のｅＮＢの該当帯域に対する占有割合が低いこともある。このような状況でｐＳＦまで有効下りリンクＳＦから除かれれば、端末が活用するＣＳＩ参照リソースの個数が多くないから、正確なＣＱＩを測定して報告することができないことがあり得る。したがって、ｐＳＦを有効下りリンクＳＦと見なすことができる。
【０４１３】
Ｄ−２ａ）ｐＳＦの長さによって該当ＳＦの有効性が決定されることができる。例えば、ｐＳＦの長さが７６８０Ｔｓより大きい場合にのみ有効下りリンクＳＦと見なされることができる。この際、７６８０Ｔｓの大きさはＬＴＥ−Ａシステムで定義される特別ＳＦの最小単位である。
【０４１４】
Ｄ−２ｂ）ＤＬバーストの開始ｐＳＦ（又は、終了ｐＳＦ）のサポート可否はＵＥ性能（及び／又はｅＮＢ性能）として設定することができる。この際、基地局は開始ｐＳＦ（又は、終了ｐＳＦ）受信が可能であるというＵＥ性能シグナリング（ＵＥ  ｃａｐａｂｉｌｉｔｙ  ｓｉｇｎａｌｉｎｇ）を送信したＵＥ及び／又は基地局性能シグナリング（ｅＮＢ  ｃａｐａｂｉｌｉｔｙ  ｓｉｇｎａｌｉｎｇ）を受信したＵＥに限って開始ｐＳＦ（又は終了ｐＳＦ）が有効であると見なすことができる。
【０４１５】
このようなｐＳＦはＤＬバーストの開始ＳＦ及び／又は終了ＳＦでも構成されることができる。この際、４．４．１節及び４．４．２節で説明した方法はＤＬバーストの開始ＳＦのみならず終了ＳＦに対しても適用可能である。
【０４１６】
４．５  フローティングＴＴＩ
【０４１７】
以下では、フローティングＴＴＩ構造について説明する。図２０の例示のように、ＳＦ境界ではない時点に基地局のＬＢＴ動作（ＣＣＡ動作又はＣＳ動作）が完了しても、ｐＳＦではないいつも完全な大きさのＳＦが構成されることができる。例えば、基地局はいつも１ｍｓ程度のＴＴＩを維持しながらＳＦを送信することができる。これをフローティングＴＴＩ構造であると定義することができる。
【０４１８】
４．５．１  開始位置制限
【０４１９】
４．２．２節で説明したようにＰＤＣＣＨの長さが１ＯＦＤＭシンボルより大きい場合、フローティングＴＴＩの開始位置に対する制約が必要であり得る。ＤＭ−ＲＳに基づいてＰＤＳＣＨデコーディングを試みる伝送モード（ＴＭ）を使うＵＥに対し、図２１のようにフローティングＴＴＩが送信されれば、端末のＤＭ−ＲＳによるチャネル推定に問題が発生し得る。図２１はフローティングＴＴＩが構成されるとき、開始位置を制限する方法を説明するための図である。
【０４２０】
例えば、時間軸上にコード分割多重化（ＣＤＭ：ｃｏｄｅ  ｄｉｖｉｓｉｏｎ  ｍｕｌｔｉｐｌｅｘｉｎｇ）した構造を有するＤＭ−ＲＳを考慮するとき、図２１のようにＤＭ−ＲＳが連続したＯＦＤＭシンボルではなくて１ｍｓ程度だけ離れた構造では二つのＤＭ−ＲＳ間のチャネル情報が一致しなくて直交性（ｏｒｔｈｏｇｏｎａｌｉｔｙ）が保証されないことがあり、これによって端末のチャネル推定性能が低下することができる。
【０４２１】
これを解決するために、ＤＭ−ＲＳが連続したＯＦＤＭシンボルに送信されることができるようにフローティングＴＴＩの開始位置が制限されることができる。例えば、図２１で６番目のＯＦＤＭシンボル及び１３番目のＯＦＤＭシンボルではフローティングＴＴＩが始まらないように設定することができる。図２１で６番目のＯＦＤＭシンボルから１３番目のＯＦＤＭシンボルはＳＦ  ＃Ｎに含まれたシンボルであり、０番目〜５番目のＯＦＤＭシンボルはＳＦ  ＃Ｎ＋１に含まれたシンボルである。
【０４２２】
本実施例の他の態様として、端末のバッファリング性能を考慮して一部のＳＦで開始位置が制限されることができる。フローティングＴＴＩの構造上、いつも端末の最小伝送単位（例えば、１ｍｓ）のバッファリングを必要とする。しかし、一部の端末の場合、１ｍｓバッファリングがサポートされないこともある。例えば、１スロット程度のバッファリングのみがサポートされる端末を考慮する場合、フローティングＴＴＩの開始位置は最初のＯＦＤＭシンボル又は二番目のＯＦＤＭシンボル以後にのみ制限されることができる。
【０４２３】
４．５．２  ＤＬバーストの最後のフローティングＴＴＩの長さ
【０４２４】
基地局のＬＢＴ動作が完了した時点がＯＦＤＭシンボル境界と正確に一致しない場合、基地局は該当時点から次のＯＦＤＭシンボル境界まで予約信号を送信することができる。また、伝送ノードが一度チャネルを占有したとき、占有可能な最大時間が限定されていることがあり得る。図２２はＤＬバーストの最後のフローティングＴＴＩの長さを設定する方法の一つを説明するための図である。
【０４２５】
図２２のように基地局はＳＦ  ＃Ｎの三番目のＯＦＤＭシンボルの中間からチャネル占有のための予約信号（ｒｅｓｅｒｖａｔｉｏｎ  ｓｉｇｎａｌ）を送信した後、四番目のＯＦＤＭシンボルからフローティングＴＴＩが始まり、伝送ノードの占有可能な最大時間が２ｍｓであると仮定する。この際、最後のＴＴＩの最後のＯＦＤＭシンボル（例えば、ＳＦ  ＃Ｎ＋２の三番目のＯＦＤＭシンボル）は送信できないことがあり得る。
【０４２６】
仮に、４．５．１節のようにフローティングＴＴＩの開始位置に制限があれば、予約信号の長さは一つのＯＦＤＭシンボルより長いことがあり得る。これにより、ＤＬバーストを構成する最後のフローティングＴＴＩの長さは図２１に示したＴＴＩより短くなることができる。
【０４２７】
仮に、ＵＥは該当フローティングＴＴＩが上位層シグナリング又は物理層シグナリングによってＤＬバーストを構成する最後のフローティングＴＴＩであることが分かれば、基地局は最後のＴＴＩに対する最初のＯＦＤＭシンボル位置だけでなく該当ＴＴＩを構成するＯＦＤＭシンボルの個数（又は、終了ＯＦＤＭシンボルの位置）を端末に知らせることが好ましい。
【０４２８】
一方、ＵＥは該当フローティングＴＴＩがＤＬバーストを構成する最後のフローティングＴＴＩであることが分からなければ、ｅＮＢは各フローティングＴＴＩに対するスケジューリンググラントごとに最初のＯＦＤＭシンボルの位置のみならず該当ＴＴＩを構成するＯＦＤＭシンボルの個数（又は終了ＯＦＤＭシンボルの位置）を端末に知らせることが好ましい。
【０４２９】
仮に、予約信号が基地局及び端末で前もって知っている信号（ｋｎｏｗｎ  ｓｅｑｕｅｎｃｅ）で構成され、端末がＤＬバーストを構成するフローティングＴＴＩの個数を上位層シグナリング又は物理層シグナリングによって知っている場合に限り、端末はＤＬバースト上の最後のフローティングＴＴＩの長さを黙示的に類推することができる。
【０４３０】
例えば、予約信号が２ＯＦＤＭシンボルにわたって入って来たし、ＤＬバーストを構成するフローティングＴＴＩが２個であることを知っているＵＥが二番目のフローティングＴＴＩでスケジューリンググラントを受信したとすれば、１４ＯＦＤＭシンボルではなくて１２ＯＦＤＭシンボルで構成されたフローティングＴＴＩであると仮定してデコーディングを遂行することができる。
【０４３１】
４．５．３  フローティングＴＴＩでのＥＰＤＣＣＨ伝送方法
【０４３２】
ＰＤＣＣＨを介してセルフスケジュールされるＵＥはいつもＳＦの最初のＯＦＤＭシンボルから始まるＰＤＣＣＨからフローティングＴＴＩの開始時点が分かる。
【０４３３】
しかし、フローティングＴＴＩの場合、ＥＰＤＣＣＨの開始シンボルが一定でないこともあるので、ＥＰＤＣＣＨを介してセルフスケジュールされるＵＥはＥＰＤＣＣＨを正常に受信するためには全ての開始位置候補（ｓｔａｒｔｉｎｇ  ｐｏｓｉｔｉｏｎ  ｃａｎｄｉｄａｔｅ）に対してＥＰＤＣＣＨデコーディング遂行しなければならない。これは端末の実装複雑度を大きく増加させる。
【０４３４】
これを解決するために、本発明の実施例では、基地局が端末にＰＣｅｌｌの共用サーチスペースを活用してＥＰＤＣＣＨの開始位置を指示することができる。若しくは、４．５．２節で記述したように最後のＴＴＩの終了位置が変わることを考慮し、ＥＰＤＣＣＨが終わる位置も端末に明示的に指示することができる。
【０４３５】
４．６  ＰＤＣＣＨ領域及びＰＤＳＣＨ開始シンボル設定方法
【０４３６】
４．６．１  ＰＤＣＣＨ領域設定方法
【０４３７】
ＵＣｅｌｌでＰＣＦＩＣＨが定義されなければ、Ｕセルに対するＰＤＣＣＨ領域は上位層シグナリングによって端末に設定することができる。このような設定値はセルフキャリアスケジューリング及び／又はクロスキャリアスケジューリングの場合に適用することができる。若しくは、このような設定値はＵＥ特定（ＵＥ−ｓｐｅｃｉｆｉｃ）に適用するかセル特定（ｃｅｌｌ−ｓｐｅｃｉｆｉｃ）に適用することができる。
【０４３８】
この際、ＰＤＳＣＨ開始シンボルは上位層シグナリングによって設定されたＰＤＣＣＨ領域によって決定されることができる。例えば、ＰＤＣＣＨ領域は２ＯＦＤＭシンボルに設定されており、ｐＳＦの開始時点は０番目のＯＦＤＭシンボル又は３番目のＯＦＤＭシンボルに設定されていれば、ＵＥは、ｐＳＦが０番目のＯＦＤＭシンボルで始まればＰＤＳＣＨは２番目のＯＦＤＭシンボルで始まり、ｐＳＦが３番目のＯＦＤＭシンボルで始まればＰＤＳＣＨは５番目のＯＦＤＭシンボルで始まると仮定することができる。
【０４３９】
４．６．２  ＰＤＳＣＨ開始シンボル設定
【０４４０】
ＤＬバーストに構成されるＰＤＳＣＨの開始シンボルが上位層シグナリングによって端末に設定することができる。この際、設定された値はセルフキャリアスケジューリング及び／又はクロスキャリアスケジューリングに適用することができる。また、該当値は端末特定（ＵＥ−ｓｐｅｃｉｆｉｃ）の値又はセル特定（ｃｅｌｌ−ｓｐｅｃｉｆｉｃ）の値に設定することができる。この際、ＰＤＳＣＨの開始シンボルは可能なｐＳＦの開始位置によって多くの値を有することができ、ＰＤＣＣＨ領域はＰＤＳＣＨの開始シンボルによって黙示的に決定することができる。例えば、ＰＤＳＣＨの開始シンボルが３番目のＯＦＤＭシンボルに設定されれば、ＰＤＣＣＨ領域はＰＣＦＩＣＨがなくても０番目のＯＦＤＭ  ｓｙｍｂｏｌから２番目のＯＦＤＭシンボルまで３個のＯＦＤＭシンボルで構成されることをＵＥは仮定することができる。
【０４４１】
４．６．３  上位層信号シグナリング方法
【０４４２】
ＰＤＣＣＨ領域とＰＤＳＣＨ開始シンボルは共に上位層シグナリングによって設定することができる。設定された値はセルフキャリアスケジューリング及び／又はクロスキャリアスケジューリングの場合に適用することができる。また、該当値はいずれも端末特定の値又はセル特定の値であってもよい。若しくは、値の一部は端末特定の値であり、値の残りはセル特定の値であってもよい。この際、ＰＤＣＣＨ領域以後にのみＰＤＳＣＨ開始シンボルを構成するように制限されることができる。若しくは、ＵＥはＰＤＣＣＨ領域とＰＤＳＣＨ開始シンボルが重畳するシグナリングを期待しないことができる。
【０４４３】
４．７  ｐＳＦ運用のための基地局及び端末の動作
【０４４４】
前述したように、ｐＳＦ構造をｅＮＢがどのように適用するかによってＵＥの動作が変わることができる。本発明の実施例において、説明の便宜上、ＤＬバーストを構成するサブフレームの初めの一部のＯＦＤＭシンボルが空いたままで送信されるｐＳＦを‘ＰＳｔａｒｔ’、最後の一部のＯＦＤＭシンボルが空いたままで送信されるｐＳＦを‘ＰＥｎｄ’、完全なＳＦを‘Ｆｕｌｌ’に定義して説明する。
【０４４５】
また、ＤＬバーストはＤＬ伝送バースト（ＤＬ  Ｔｘ  ｂｕｒｓｔ）と呼ぶことができ、ＴｘＯＰ区間、ＲＲＰ区間と同一の意味として使うことができる。この際、ＤＬバーストは予約信号が送信される区間まで含む概念であってもよい。
【０４４６】
４．７．１  Ｇ１）ＰＳｔａｒｔとＦｕｌｌのみ運用する方法
【０４４７】
ｅＮＢはＰＳｔａｒｔとＦｕｌｌのみを運用するが、スケジューリングすべきＵＥのタイプによって次のようにＰＳｔａｒｔの長さを変えて設定することができる。
【０４４８】
Ｇ１−Ａ）クロスキャリアスケジューリング端末の場合、Ｆｕｌｌでのみスケジュールされることを期待することができる。
【０４４９】
Ｇ１−Ｂ）セルフキャリアスケジューリング端末でありながらＰＤＣＣＨを介してスケジュールされるように設定されたＵＥはＰＳｔａｒｔ及びＦｕｌｌが共にスケジュールされることを期待することができる。この際、ＰＳｔａｒｔの最初のＯＦＤＭシンボルは全てのＯＦＤＭシンボルが許されることができ、一部のＯＦＤＭシンボルでのみ始まることができるように制限されることができる。例えば、二番目のＣＲＳアンテナポート０が送信される五番目のＯＦＤＭシンボルでのみＰＳｔａｒｔが始まるように制限されることができる。若しくは、二番目のスロット境界でのみＰＳｔａｒｔが始まることができるように制限されることもできる。
【０４５０】
端末はＣＲＳ及び／又はＰＤＣＣＨデコーディングの成否によって実際のＰＳｔａｒｔの開始時点を決定することができる。若しくは、端末はＰＳｔａｒｔの開始時点をプリアンブル（又は、ｉｎｉｔｉａｌ  ｓｉｇｎａｌ）の位置及び／又はシーケンスによって決定することができる。
【０４５１】
Ｇ１−Ｃ）セルフキャリアスケジューリングＵＥでありながらＥＰＤＣＣＨを介してスケジュールされるように設定されたＵＥはＰＳｔａｒｔ及びＦｕｌｌが共にスケジュールされることを期待することができる。若しくは、ＰＳｔａｒｔでＥＰＤＣＣＨをデコードすることができるかが端末性能（ＵＥ  ｃａｐａｂｉｌｉｔｙ）として定義され、ｅＮＢは該当性能がサポート可能であるとシグナルされた端末に対してのみＰＳｔａｒｔ  ＥＰＤＣＣＨを介してスケジュールするように設定することができる。若しくは、ｅＮＢはＵＥ別に（又は、ｃｅｌｌ共通に）ＰＳｔａｒｔでＥＰＤＣＣＨを介したスケジューリング可否に対して上位層シグナル（例えば、ＲＲＣ）によって構成することができる。若しくは、ＰＳｔａｒｔでＥＰＤＣＣＨがサポートされないように構成することができる。この際、ＰＳｔａｒｔの最初のＯＦＤＭ  ｓｙｍｂｏｌはＧ１−Ｂ）の場合のように制約があり得て、Ｇ１−Ｂ）に相応するＵＥの最初のＯＦＤＭシンボルとＧ１−Ｃ）に相応するＵＥの最初のＯＦＤＭシンボルは違うことができる。
【０４５２】
例えば、Ｇ１−Ｂ）に相応するＵＥの最初のＯＦＤＭシンボルが二番目のスロット境界に相当し、Ｇ１−Ｃ）に相応するＵＥの最初のＯＦＤＭシンボルが三番目のＯＦＤＭシンボルであれば、ｅＮＢはスケジューリングすべきＵＥが何のＵＥであるかあるいはＬＢＴ終了時点がいつであるかによって基地局はＧ１−Ｂ）方式を適用するかあるいはＧ１−Ｃ）方式を適用するかを決定することができる。
【０４５３】
Ｇ１−Ｃ）方式の場合、端末がＰＳｔａｒｔであるかＦｕｌｌであるかを区別することができる方法は次の一つであってもよい。
【０４５４】
（１）方式１：基地局が明示的なシグナリングによって端末にＳＦのタイプを指示することができる。端末には二つ以上のＥＰＤＣＣＨ集合が設定されることができる。この際、長さが小さいＥＰＤＣＣＨの場合、端末が該当ＳＦがＦｕｌｌであるかＰＳｔａｒｔであるかを区分することができないことがあり得る。よって、基地局は該当ＳＦがＦｕｌｌであるかＰＳｔａｒｔであるか及び／又は該当ＳＦの大きさを端末に明示的に指示することができる。
【０４５５】
（２）方式２：二つのＥＰＤＣＣＨ集合の一方をＰＳｔａｒｔ用途に、他方をＦｕｌｌ用途に前もって設定して置き、ＵＥはどのＥＰＤＣＣＨ集合がデコードされるかによって該当ＳＦがＰＳｔａｒｔであるかＦｕｌｌであるかが分かる。
【０４５６】
（３）方式３：端末がＢＤによってＰＳｔａｒｔであるかあるいはＦｕｌｌであるかを区別することができる。例えば、二つのＥＰＤＣＣＨ集合のそれぞれに対してＰＳｔａｒｔ用途のＥＰＤＣＣＨ（相対的に短い長さのＥＰＤＣＣＨ）とＦｕｌｌ用途のＥＰＤＣＣＨ（相対的に長い長さのＥＰＤＣＣＨ）が前もって設定されており、端末がどの長さのＥＰＤＣＣＨに対してデコーディングが成功したかによって端末は該当ＳＦがＰＳｔａｒｔであるかＦｕｌｌであるかを区別することができる。
【０４５７】
（４）方式４：端末はＤＬバーストで送信されるプリアンブルによって該当ＳＦがＰＳｔａｒｔであるかＦｕｌｌであるかを区別することができる。例えば、二つのＥＰＤＣＣＨ集合のそれぞれに対してＰＳｔａｒｔ用途のＥＰＤＣＣＨ（相対的に短い長さのＥＰＤＣＣＨ）とＦｕｌｌ用途のＥＰＤＣＣＨ（相対的に長い長さのＥＰＤＣＣＨ）が前もって設定されている場合、端末はプリアンブルの位置及び／又はプリアンブルシーケンスによって該当ＳＦがＰＳｔａｒｔであるかＦｕｌｌであるかを区別することができる。
【０４５８】
４．７．２  ＰＳｔａｒｔに割り当てられるＤＭ−ＲＳパターン
【０４５９】
以下では、ＰＳｔａｒｔを構成するＯＦＤＭシンボルの個数が７個であるとき、ＤＭ−ＲＳ及びＥＰＤＣＣＨを構成する方法について説明する。
【０４６０】
図２３はＰＳｔａｒｔでＤＭ−ＲＳ及びＥＰＤＣＣＨを構成する方法を説明するための図である。
【０４６１】
端末にＰＳｔａｒｔが構成される場合、ＤＭ−ＲＳパターンは図２３の（ａ）、（ｂ）及び（ｃ）の一つの形態に構成されることができる。この際、ＣＲＳはＬＴＥ−Ａシステムにおいて構成されるＣＲＳパターンをそのまま活用することができるが、ＤＭ−ＲＳパターンは図２３の（ａ）、（ｂ）及び（ｃ）の一つを適用することができる。
【０４６２】
ＰＳｔａｒｔでＥＰＤＣＣＨ開始位置は図２３で８番目、９番目又は１０番目のＯＦＤＭシンボルの一つとなることができ、ＥＰＤＣＣＨ終了位置は図２３で１２番目及び１３番目のＯＦＤＭの一つとなることができる。この際、端末に送信されるＰＤＳＣＨの伝送効率を考慮すると、ＰＳｔａｒｔ上にＤＭ−ＲＳ及び／又はＣＳＩ−ＲＳ／ＣＳＩ−ＩＭは構成されないように設定することができる。
【０４６３】
４．７．３  Ｇ２）ＦｕｌｌとＰＥｎｄのみを運用する方法
【０４６４】
以下では、基地局がＦｕｌｌとＰＥｎｄのみを運用する方法について説明する。
【０４６５】
Ｇ２−Ａ）クロスキャリアスケジューリングＵＥの場合、Ｆｕｌｌ及びＰＥｎｄが共にスケジュールされることを期待することができる。この際、該当ＳＦがＰＥｎｄであるかを知らせる指示子又はＰＥｎｄの長さを知らせる指示子のための追加のシグナリングが必要であり得る。例えば、該当ＳＦがＰＥｎｄであるか（又は、ＰＥｎｄの長さ）を知らせる指示はＰＤＣＣＨを介して送信されることができる。
【０４６６】
Ｇ２−Ｂ）ＰＤＣＣＨによってセルフスケジュールされるように設定されたＵＥはＦｕｌｌ又はＰＥｎｄが共にスケジュールされることを期待することができる。この際、該当ＳＦがＰＥｎｄであるかを知らせる指示子又はＰＥｎｄの長さを知らせる指示子のための追加のシグナリングが必要であり得る。例えば、ＰＥｎｄであるか（又は、ＰＥｎｄの長さ）を知らせる指示はＰＣｅｌｌ上の共用シグナル（ｃｏｍｍｏｎ  ｓｉｇｎａｌ）によって又はＬＡＡ  ＳＣｅｌｌ上のＰＣＦＩＣＨを介して又はＰＤＣＣＨを介して端末に送信されることができる。
【０４６７】
Ｇ２−Ｃ）セルフキャリアスケジューリングＵＥでありながらＥＰＤＣＣＨを介してスケジュールされるように設定された端末はＦｕｌｌのみがスケジュールされることを期待することができる。若しくは、該当端末はＦｕｌｌ及びＰＥｎｄが共にスケジュールされることを期待することができる。若しくは、ＰＥｎｄでＥＰＤＣＣＨをデコードすることができるかが端末性能（ＵＥｃａｐａｂｉｌｉｔｙ）に定義されている場合、ｅＮＢは該当端末性能があるとシグナルされたＵＥに対してのみＰＥｎｄのＥＰＤＣＣＨを介してスケジュールするように設定することができる。若しくは、ｅＮＢはＵＥ別に（又はｃｅｌｌ共通に）上位層シグナリング（例えば、ＲＲＣシグナリング）によってＰＥｎｄでＥＰＤＣＣＨを介してスケジューリングされるかを指示することができる。
【０４６８】
この際、該当ＳＦがＦｕｌｌであるかＰＥｎｄであるかをＵＥが区別する方法は次の一つであってもよい。
【０４６９】
（１）方式１：基地局はＰＣｅｌｌ上の共用シグナルによって又はＬＡＡ  ＳＣｅｌｌ上のＰＣＦＩＣＨを介してＦｕｌｌであるかＰＥｎｄであるかを端末に指示することができる。例えば、ＵＥはＰＥｎｄ用途に設定されたＥＰＤＣＣＨ集合に対してデコーディングを試みることができる。若しくは、端末はＰＣｅｌｌ上の共用信号によってあるいはＬＡＡ  ＳＣｅｌｌ上のＰＣＦＩＣＨを介して該当ＳＦがＰＥｎｄであることを認知することができる。このような端末は該当ＳＦに対して（ＥＰＤＣＣＨデコーディングではない）ＰＤＣＣＨデコーディングを遂行するように設定することができる。
【０４７０】
（２）方式２：基地局は明示的シグナリングによって指示することができる。すなわち、基地局は該当ＳＦがＦｕｌｌであるかＰＥｎｄであるか又は該当ＳＦの大きさを明示的に端末に指示することができる。
【０４７１】
（３）方式３：二つのＥＰＤＣＣＨ集合の一方をＰＥｎｄ用途、他方をＦｕｌｌ用途に前もって設定して置き、ＵＥはどのＥＰＤＣＣＨ集合がデコードされるかによって該当ＳＦがＰＥｎｄであるかＦｕｌｌであるかが分かる。
【０４７２】
（４）方式４：端末はＢＤによって該当ＳＦがＦｕｌｌであるかＰＥｎｄであるかを区別することができる。例えば、二つのＥＰＤＣＣＨ集合のそれぞれに対してＦｕｌｌ用途のＥＰＤＣＣＨ（相対的に長い長さのＥＰＤＣＣＨ）とＰＥｎｄ用途のＥＰＤＣＣＨ（相対的に短い長さのＥＰＤＣＣＨ）を共に設定して置き、どの長さのＥＰＤＣＣＨに対してデコーディングが成功したかによって該当ＳＦがＦｕｌｌであるかＰＥｎｄであるかを区別することができる。
【０４７３】
（５）方式５：基地局はＤＭ−ＲＳパターン別にＥＰＤＣＣＨを設定することができる。例えば、ＰＥｎｄが特別ＳＦであるＤｗＰＴＳ構造に従うとすると、ＰＥｎｄの長さによって図２４のように４種のＤＭ−ＲＳパターンが構成されることができる。図２４はＤＭ−ＲＳパターン別にＥＰＤＣＣＨが構成される方法を説明するための図である。図２４は一例示であり、他の特別ＳＦの構造が用いられるか、あるいは新形態のＤＭ−ＲＳパターンが構成されることができる。
【０４７４】
方式５で、基地局は各ＤＭ−ＲＳパターンをサポートするＤｗＰＴＳの終了ＯＦＤＭシンボル（ｅｎｄ  ＯＦＤＭ  ｓｙｍｂｏｌ）の最小ＯＦＤＭシンボルでＥＰＤＣＣＨが終わるように設定することができる。例えば、ＤＬバーストの終了ｐＳＦを構成するＯＦＤＭシンボルの個数が１１〜１３個である場合は図２４（ｂ）のようなＤＭ−ＲＳパターンに従い、ＬＴＥ−Ａシステム（Ｒｅｌ−１２）においてＤｗＰＴＳの長さが１１ＯＦＤＭシンボルであるとき、ＤｗＰＴＳ構成３又は８に定義されたＥＰＤＣＣＨ構成（例えば、Ｎｕｍｂｅｒ  ｏｆ  ＥＲＥＧｓ  ｐｅｒ  ＥＣＣＥ、ｓｕｐｐｏｒｔｅｄ  ＥＰＤＣＣＨ  ｆｏｒｍａｔｓ、  ＥＰＤＣＣＨ  ｃａｎｄｉｄａｔｅｓ  ｍｏｎｉｔｏｒｅｄ  ｂｙ  ａ  ＵＥなど）に従うように設定することができる。
【０４７５】
方式５の他の例として、ＤＬバーストの終了ｐＳＦ（ＰＥｎｄ）を構成するＯＦＤＭシンボルの個数が９〜１０個である場合は図２４（ｃ）のようなＤＭ−ＲＳパターンに従い、既存のＲｅｌ−１２  ＬＴＥシステムにおいてＤｗＰＴＳの長さが９ＯＦＤＭシンボルであるとき、ＤｗＰＴＳ構成１又は６に定義されたＥＰＤＣＣＨ構成に従うように設定することができる。
【０４７６】
方式５のさらに他の例として、ＤＬバーストのＰＥｎｄを構成するＯＦＤＭシンボルの個数が６〜８個である場合は図２４（ｄ）のようなＤＭ−ＲＳパターンに従い、既存のＲｅｌ−１２  ＬＴＥシステムにおいてＤｗＰＴＳの長さが６ＯＦＤＭシンボルであるとき、ＤｗＰＴＳ構成９に定義されたＥＰＤＣＣＨ構成に従うように設定することができる。
【０４７７】
この際、基地局は前もって設定されたＤＭ−ＲＳパターンの個数だけ（又はそれ以下の個数だけ）のＥＰＤＣＣＨ集合を構成することができ、端末はどのＥＰＤＣＣＨ集合をデコードするかによってＤＭ−ＲＳパターンを決定することができる。
【０４７８】
若しくは、基地局は各ＤＭ−ＲＳパターン別に（又は、一部のＤＭ−ＲＳパターンに対して）最大２個のＥＰＤＣＣＨ集合を設定することができ、ＵＥは明示的なシグナリング又はブラインドデコーディングによって認知したＤＭ−ＲＳパターンによって適切なＥＰＤＣＣＨ集合に対するデコーディングを試みることができる。
【０４７９】
このように、図２４に示したようにＳＦごとに４種のＤＭ−ＲＳパターン候補に対してＥＰＤＣＣＨデコーディング（又は、ＤＭ−ＲＳ  ＢＤ）を試みる場合、ＵＥ実装の側面で複雑度が非常に大きくなることができる。これを解決するために、以下に提案する方法の少なくとも一つ以上の方法を活用することができる。
【０４８０】
（Ａ）方式５−１：Ｆｕｌｌ  ＳＦ又はｐＳＦを知らせる共用シグナリングと組合せ
【０４８１】
共用シグナリングによって該当ＳＦがＦｕｌｌ  ＳＦであることを認知した端末は図２４（ａ）のようなＤＭ−ＲＳパターンを仮定し、ｐＳＦであることを認知したＵＥは図２４の（ｂ）、（ｃ）又は（ｄ）の中でどのＤＭ−ＲＳパターンが送信されるかを検出することによって該当ＰＥｎｄをデコードすることができる。
【０４８２】
（Ｂ）方式５−２：ＤＭ−ＲＳパターンを知らせる共用シグナリングと組合せ
【０４８３】
共用シグナリングによって該当ＳＦがどのＤＭ−ＲＳパターンであるかを検出した端末は図２４の（ａ）〜（ｄ）の中で特定のＤＭ−ＲＳパターンを仮定し、各ＤＭ−ＲＳパターンに対応して設定されたＥＰＤＣＣＨ集合に対するデコーディングを試みることができる。
【０４８４】
例えば、図２４（ｂ）のようなＤＭ−ＲＳパターンが送信されることが共用シグナリングによって端末に知られた場合、該当端末はＥＰＤＣＣＨ終了シンボルが１１番目のＯＦＤＭシンボルに（又はそれ以下のＯＦＤＭシンボルに）設定されたＥＰＤＣＣＨ集合（等）に対するデコーディングを遂行することができる。
【０４８５】
（Ｃ）方式５−３：ＳＦが何個のＯＦＤＭシンボルで構成されるかを知らせる共用シグナリングと組合せ
【０４８６】
共用シグナリングによって該当ＳＦの終了ＯＦＤＭシンボルが何番目のＯＦＤＭ  ｓｙｍｂｏｌであるかが分かることになったＵＥは、該当ＯＦＤＭシンボルで終わるように設定されるか、該当ＯＦＤＭシンボルより短く終わるように設定されるか及び／又は該当ＯＦＤＭシンボルより短く終わるように設定されたＥＰＤＣＣＨ集合の中で一番遅く終わるように設定されたＥＰＤＣＣＨ集合に対してデコーディングを遂行することができる。
【０４８７】
（Ｄ）方式５−４：特定のＤＭ−ＲＳパターンを排除する方式
【０４８８】
ＬＡＡシステムのＳＣｅｌｌで一部のＤＭ−ＲＳパターンは使わないように前もって設定することができる。若しくは、上位層シグナリングによって特定のＵセル又は特定の端末は一部のＤＭ−ＲＳパターンを使わないように設定することができる。
【０４８９】
例えば、６個のＯＦＤＭ  ｓｙｍｂｏｌで構成されたＤｗＰＴＳ構造を有するｐＳＦがＬＡＡシステムの特定のＳＣｅｌｌ又は特定のＵＥに許されなければ、図２４（ｄ）のようなＤＭ−ＲＳパターンは使わないように前もって設定することができる。すなわち、端末は該当ＤＭ−ＲＳパターンはデコーディング時に仮定しないように設定することができる。
【０４９０】
他の例として、端末はＦｕｌｌ  ＳＦであると言っても、図２４の（ｂ）又は（ｃ）のようなＤＭ−ＲＳパターンを仮定してデコードするように設定することができる。
【０４９１】
さらに他の例として、１１個〜１３個のＯＦＤＭシンボルで構成されたｐＳＦの場合、図２４（ｂ）のＤＭ−ＲＳパターンを使うものではなくて、図２４（ｃ）のＤＭ−ＲＳパターンを使うように設定することができる。
【０４９２】
（Ｅ）方式５−５：特定のＤＭ−ＲＳパターンの変形
【０４９３】
６ＯＦＤＭシンボルで構成されたＤｗＰＴＳ構造をＬＡＡ  ＳＣｅｌｌでサポートしなく、その代わりに７ＯＦＤＭシンボルで構成された新しいＤｗＰＴＳ構成を導入し、該当ＤｗＰＴＳの場合、図２４の（ｃ）のようなＤＭ−ＲＳパターンを仮定するように設定することができる。
【０４９４】
若しくは、図２４の（ｄ）のようなＤＭ−ＲＳパターンを使う場合、既存のとは違うＤＭ−ＲＳシーケンスを使うように設定することができる。例えば、図２４の（ｄ）に示したＤＭ−ＲＳのスクランブリングシーケンス（ｓｃｒａｍｂｌｉｎｇ  ｓｅｑｕｅｎｃｅ）を初期化するための疑似ランダムシーケンス生成器（ｐｓｅｕｄｏ−ｒａｎｄｏｍ  ｓｅｑｕｅｎｃｅ  ｇｅｎｅｒａｔｏｒ）のパラメータの一つであるｎｓ値を０〜１９ではない他の値（例えば、ｐｒｅｄｅｆｉｎｅｄ  ｏｒ  ｃｏｎｆｉｇｕｒｅｄ  ｏｆｆｓｅｔ  ｖａｌｕｅ＋ｎｓ）に設定するかあるいはＮＩＤｃｅｌｌ（又は、ｎＩＤ、ｉＥＰＤＣＣＨ）値を上位層シグナリングによって特定の値に前もって設定しておくことができる。基地局及び／又は端末はこのように構成された特定のＤＭ−ＲＳパターンに基づいて該当サブフレームがＦｕｌｌであるかＰＥｎｄであるかを区分することができる。
【０４９５】
４．７．４  Ｇ３）ＰＳｔａｒｔ、Ｆｕｌｌ及びＰＥｎを全て運用する方法
【０４９６】
Ｇ３−Ａ）クロスキャリアスケジューリング端末の場合、端末はＧ２−Ａ）方式のようにＦｕｌｌ又はＰＥｎｄでのみスケジュールされることを期待することができる。
【０４９７】
Ｇ３−Ｂ）セルフキャリアスケジューリング端末でありながらＰＤＣＣＨを介してスケジュールされるように設定されたＵＥはＧ１−Ｂ）方式のようにＰＳｔａｒｔ及びＦｕｌｌでのみスケジュールされることを期待することができる。若しくは、該当端末はＧ２−Ｂ）方式のようにＦｕｌｌ又はＰＥｎｄでのみスケジュールされることを期待することができる。若しくは、該当端末はＰＳｔａｒｔ、Ｆｕｌｌ及びＰＥｎｄの全てでスケジュールされることを期待することができる。
【０４９８】
この際、該当端末はＳＦ境界でＣＲＳ及び／又はＰＤＣＣＨデコーディングを遂行し、デコーディングが成功すればＤＣＩ情報（又はＰＣＦＩＣＨ）を活用して該当ＳＦがＦｕｌｌであるかＰＥｎｄであるかを区別することができる。
【０４９９】
仮に、端末がＳＦ境界でデコーディングに失敗すれば、ＰＳｔａｒｔの最初のＯＦＤＭシンボルでさらにＣＲＳ及び／又はＰＤＣＣＨデコーディングを遂行することができる。ＣＳＲ及び／又はＰＤＣＣＨデコーディングに成功すれば、端末はＰＳｔａｒｔが始まることを認知することができる。
【０５００】
他の例として、端末がプリアンブルの位置及び／又はプリアンブルのシーケンスによってＳＦ境界から該当ＳＦが始まることを認知すれば、該当端末はＳＦ境界でＣＲＳ及び／又はＰＤＣＣＨデコーディングを遂行し、デコーディングに成功すればＤＣＩ情報（又は、ＰＣＦＩＣＨ）を活用して該当ＳＦがＦｕｌｌであるかＰＥｎｄであるかを区別することができる。
【０５０１】
仮に、端末がプリアンブルの位置及び／又はシーケンスによってＰＳｔａｒｔであることを認知すれば、該当端末はＰＳｔａｒｔの最初のＯＦＤＭシンボルでさらにＣＲＳ及び／又はＰＤＣＣＨデコーディングを遂行することができる。該当端末はデコーディングに成功すればＰＳｔａｒｔが始まることを認知することができる。
【０５０２】
Ｇ３−Ｃ）セルフキャリアスケジューリング端末でありながらＥＰＤＣＣＨを介してスケジュールされるように設定された端末はＧ１−Ｃ）方式のようにＰＳｔａｒｔ及びＦｕｌｌのみがスケジュールされることを期待することができる。若しくは、該当端末はＧ２−Ｃ）方式のようにＦｕｌｌ及びＰＥｎｄのみがスケジュールされることを期待することができる。若しくは、該当端末はＰＳｔａｒｔ、Ｆｕｌｌ及びＰＥｎの全てがスケジュールされることを期待することができる。若しくは、該当端末はＰＳｔａｒｔ及び／又はＰＥｎｄでＥＰＤＣＣＨをデコードすることができるかがＵＥ性能に定義され、ｅＮＢは該当端末がこのような性能を持っているとシグナルされた端末に対してのみＰＳｔａｒｔ及び／又はＰＥｎｄのＥＰＤＣＣＨを介してスケジュールするように設定することができる。若しくは、ｅＮＢはＵＥ別に及び／又はＵセル共通にＰＳｔａｒｔ及び／又はＰＥｎｄでＥＰＤＣＣＨを介したスケジューリング可否に対して上位層シグナリングによって構成可能である。
【０５０３】
若しくは、特定ＵＥの観点でＰＳｔａｒｔとＰＥｎｄの両方に対してＥＰＤＣＣＨがサポートされず、ＰＳｔａｒｔ及びＰＥｎｄの一方又はＦｕｌｌ  ＳＦでのみＥＰＤＣＣＨがサポートされるように制限されることができる。この際、該当ＵＥが該当ＳＦがＰＳｔａｒｔであるか、ＦｕｌｌであるかあるいはＰＥｎｄであるかを区別する方法は次の一つであってもよい。
【０５０４】
（Ａ）方式１：端末はＰＣｅｌｌ上の共用シグナルによる指示又はＬＡＡ  ＳＣｅｌｌ上のＰＣＦＩＣＨを介して該当ＳＦがＦｕｌｌであるかＰＥｎｄであるかを先に区別することができる。仮に、該当ＳＦがＰＥｎｄであればＧ−２Ｃ）方式の（Ａ）方式１を適用することができる。仮に、該当ＳＦがＦｕｌｌ又はＰＥｎｄではないと判断されれば、該当端末は該当ＳＦがＰＳｔａｒｔであると仮定し、Ｇ−１Ｃ）方式の（Ａ）〜（Ｄ）方式４を適用することができる。
【０５０５】
（Ｂ）方式２：基地局は明示的シグナリングによって該当ＳＦのタイプを端末に指示することができる。例えば、４．２節で提案した４種のＥＰＤＣＣＨタイプの中で（４）番目のＥＰＤＣＣＨ（すなわち、最初の一部のＯＦＤＭシンボルと最後の一部のＯＦＤＭシンボルが満たされないＥＰＤＣＣＨフォーマット）のみを許し、基地局は該当ＥＰＤＣＣＨ上で該当ＳＦがＰＳｔａｒｔであるかＦｕｌｌであるかあるいはＰＥｎｄであるかを指示するか、あるいは該当ＳＦの長さを指示することができる。
【０５０６】
（Ｃ）方式３：システム上で三つのＥＰＤＣＣＨ集合を定義し、各ＥＰＤＣＣＨ集合別に用途を前もって設定しておくことができる。この際、ＵＥはどのＥＰＤＣＣＨ集合をデコードするかによって該当ＳＦがＰＳｔａｒｔであるかＦｕｌｌであるかあるいはＰＥｎｄであるかが分かる。
【０５０７】
（Ｄ）方式４：明示的シグナリングと黙示的にシグナリングの組合せ
【０５０８】
ｉ）方式４Ａ：システム上で二つのＥＰＤＣＣＨ集合の一方はＦｕｌｌ用途に、他方はＰＳｔａｒｔ又はＰＥｎｄ用途に設定することができる。基地局は該当ＳＦがＰＳｔａｒｔであるかＰＥｎｄであるかを又はＳＦの長さを該当ＥＰＤＣＣＨ上で指示することができる。
【０５０９】
ｉｉ）方式４Ｂ：システム上で二つのＥＰＤＣＣＨ集合の一方はＰＳｔａｒｔ用途に、他方はＦｕｌｌ又はＰＥｎｄ用途に設定することができる。基地局は該当ＳＦがＦｕｌｌであるかＰＥｎｄであるかを又はＳＦの長さを該当ＥＰＤＣＣＨ上で端末に指示することができる。
【０５１０】
ｉｉｉ）方式４Ｃ：システム上で二つのＥＰＤＣＣＨ集合の一方はＰＥｎｄ用途に、他方はＦｕｌｌ又はＰＳｔａｒｔ用途に設定することができる。基地局は該当ＳＦがＦｕｌｌであるかＰＳｔａｒｔであるかを又はＳＦの長さを該当ＥＰＤＣＣＨ上で端末に指示する。
【０５１１】
ｉｖ）方式４Ｄ：システム上で二つのＥＰＤＣＣＨ集合の一方はＦｕｌｌ又はＰＳｔａｒｔ用途に設定し、他方はＦｕｌｌ又はＰＥｎｄ用途に設定することができる。基地局は該当ＳＦがＦｕｌｌであるかＰＳｔａｒｔであるかあるいはＦｕｌｌであるかＰＥｎｄであるかをＥＰＤＣＣＨ上で指示することができる。若しくは、基地局は該当ＳＦの長さを各ＥＰＤＣＣＨ上でさらに指示することができる。
【０５１２】
ｖ）方式４Ｅ：システム上で三つのＥＰＤＣＣＨの一つはＦｕｌｌ用途に、他の一つはＰＳｔａｒｔ又はＦｕｌｌ用途に、さらに他の一つはＦｕｌｌ又はＰＥｎｄ用途に設定することができる。この際、基地局は該当ＳＦがＦｕｌｌであるかＰＳｔａｒｔであるかあるいはＦｕｌｌであるかＰＥｎｄであるかを各ＥＰＤＣＣＨ上で端末に指示することができる。若しくは、端末は該当ＳＦの長さを各ＥＰＤＣＣＨ上でさらに端末に指示することができる。
【０５１３】
ｖｉ）方式４Ｆ：システム上で三つのＥＰＤＣＣＨ集合の一つはＦｕｌｌ用途に、他の一つはＰＳｔａｒｔ又はＦｕｌｌ用途に、さらに他の一つはＰＥｎｄ用途に設定することができる。基地局は該当ＳＦがＦｕｌｌであるかＰＳｔａｒｔであるかを又は該当ＳＦの長さを該当ＥＰＤＣＣＨを介して端末に指示することができる。
【０５１４】
ｖｉｉ）方式４Ｇ：システム上で三つのＥＰＤＣＣＨ集合の一つはＦｕｌｌ用途に、他の一つはＰＳｔａｒｔ用途に、さらに他の一つはＦｕｌｌ又はＰＥｎｄ用途に設定することができる。基地局は該当ＳＦがＦｕｌｌであるかＰＥｎｄであるかを又はＳＦの長さを該当ＥＰＤＣＣＨを介して端末に指示することができる。
【０５１５】
４．７．５  ＥＰＤＣＣＨを介したＳＦタイプ指示方法
【０５１６】
上述した４．７．１節、４．７．３節及び４．７．４節で提案した方法において、基地局はＥＰＤＣＣＨに新しいフィールドを追加して該当ＳＦのタイプを端末に指示することができる。例えば、新しいフィールドは（１）ＰＳｔａｒｔであるかＦｕｌｌであるか、（２）ＦｕｌｌであるかＰＥｎｄであるか、又は（３）ＰＳｔａｒｔであるか、ＦｕｌｌであるかあるいはＰＥｎｄであるかを示すことができる。また、基地局は該当ＥＰＤＣＣＨを介して送信される新しいフィールドを定義して該当ＳＦの長さなどを端末に指示することができる。
【０５１７】
他の方法としては、セルフキャリアスケジューリングＵＥ又はＰＵＣＣＨ  ＨＡＲＱ−ＡＣＫフィードバックのためにＰＵＣＣＨフォーマット３伝送が設定されたＵＥに対し、基地局はＬＴＥ−ＡシステムのＤＣＩフォーマットに含まれるＡＲＯ（ＨＡＲＱ−ＡＣＫ  ｒｅｓｏｕｒｃｅ  ｏｆｆｓｅｔ）フィールドをＳＦのタイプを指示するための用途に借用することができる。すなわち、該当端末がＡＲＯを受信するとき、元のＡＲＯが指示する内容ではない該当ＳＦのタイプを認識することができる。
【０５１８】
さらに他の方法として、クロスキャリアスケジューリングＵＥでありながらＰＵＣＣＨ  ＨＡＲＱ−ＡＣＫフィードバックのためにチャネル選択のためのＰＵＣＣＨフォーマット１ａ／１ｂが設定されたＵＥに対し、基地局はＤＣＩフォーマットに含まれるＴＰＣ（Ｔｒａｎｓｍｉｔ  Ｐｏｗｅｒ  Ｃｏｎｔｒｏｌ）フィールドをＳＦのタイプを指示するための用途に借用することができる。
【０５１９】
さらに他の方法として、セルフキャリアスケジューリングＵＥであるかあるいはＰＵＣＣＨ  ＨＡＲＱ−ＡＣＫフィードバックのためにＰＵＣＣＨフォーマット３伝送が設定されたＵＥのＡＲＯフィールド又はクロスキャリアスケジューリングＵＥでありながらＰＵＣＣＨ  ＨＡＲＱ−ＡＣＫフィードバックのためにチャネル選択のためのＰＵＣＣＨフォーマット１ａ／１ｂが設定されたＵＥに送信されるＴＰＣフィールドは他の用途にも使われることができる。
【０５２０】
例えば、基地局は該当ＳＦ（又は、ＤＬ  Ｔｘ  ｂｕｒｓｔ）の参照信号電力値（又は、参照信号に対するデータ電力の比又はデータ電力値）を端末に指示することができる。他の例として、基地局は該当ＳＦに対するディスカバリー参照信号（ｄｉｓｃｏｖｅｒｙ  Ｒｅｆｅｒｅｎｃｅ  Ｓｉｇｎａｌ）伝送可否及び／又はＰＤＳＣＨレートマッチングパターン（ＰＤＳＣＨ  ｒａｔｅ  ｍａｔｃｈｉｎｇ  ｐａｔｔｅｒｎ）を端末に指示することができる。
【０５２１】
４．７．６  ＥＰＤＣＣＨサーチスペース及びＢＤ
【０５２２】
前記提案したＧ１）〜Ｇ３）の方法において、ＥＰＤＣＣＨの場合（４．７．１節、４．７．３節及び４．７．４節参照）、既存のＬＴＥシステムで定義されたＥＰＤＣＣＨサーチスペースに対するブラインドデコーディング（ＢＤ）より多いＢＤが端末に要求されないようにするために、ＥＰＤＣＣＨ集合候補（ＥＰＤＣＣＨ  ｓｅｔ  ｃａｎｄｉｄａｔｅ）別に端末がＢＤを分けて遂行するように設定することができる。
【０５２３】
このような方法は、上述したＧ１−Ｃ）の方法の方式３／４及びＧ２−Ｃ）の方法の方式４／５のようにシステム上にＦｕｌｌ用途のＥＰＤＣＣＨ（相対的に長い長さのＥＰＤＣＣＨ）とｐＳＦ用途のＥＰＤＣＣＨ（相対的に短い長さのＥＰＤＣＣＨ）を共に設定して置き、端末がどの長さのＥＰＤＣＣＨに対してデコーディングが成功したかによって該当ＳＦがＦｕｌｌであるかｐａｒｔｉａｌ  ＳＦであるかを区別するときに適用することができる。
【０５２４】
より詳細に説明すれば、既存のＬＴＥシステムにおいて端末がＥＰＤＣＣＨに対して行うサーチスペースに対するＢＤ回数をＮであると仮定するとき、Ｆｕｌｌ用途のＥＰＤＣＣＨ（相対的に長い長さのＥＰＤＣＣＨ）に対して端末がＢＤをＮ回、ｐＳＦ用途のＥＰＤＣＣＨ（相対的に短い長さのＥＰＤＣＣＨ）に対しても端末がＢＤをＮ回遂行するように設定することができる。しかし、このような場合、ＵＥ実装の複雑度が増加することができる。
【０５２５】
これを解決するために、端末がＦｕｌｌ用途のＥＰＤＣＣＨを検出するために行うＢＤ回数とｐＳＦ用途のＥＰＤＣＣＨに対して行うＢＤ回数の総和をＮ回に維持するように設定することができる。
【０５２６】
例えば、端末はＦｕｌｌ用途のＥＰＤＣＣＨに対して行うＢＤ回数をＮ／２回に、ｐＳＦ用途のＥＰＤＣＣＨに対して行うＢＤ回数をＮ／２回に均等に分けて遂行するように構成されることができる。他の例として、端末はＦｕｌｌ用途のＥＰＤＣＣＨに対して行うＢＤ回数をｐＳＦに対するＥＰＤＣＣＨに対して行うＢＤ回数より多く遂行するように構成するか、その反対に構成することができる。
【０５２７】
４．７．７  ｐＳＦ位置通知方法
【０５２８】
上述したＧ１）〜Ｇ３）の方法において、ＰＳｔａｒｔ及び／又はＰＥｎｄの位置は上位層シグナリングによって基地局及び／又は端末に前もって設定することができる。仮に、Ｆｕｌｌ及びＰＥｎｄでのみスケジュールされるように期待するＵＥがあれば、該当ＵＥは前もって設定されたＦｕｌｌ及びＰＥｎｄ位置でのみスケジューリングを期待することができる。
【０５２９】
４．７．８  スケジューリング制限方法
【０５３０】
前記提案した方法Ｇ２）及び方法Ｇ３）のようにｅＮＢがＰＥｎｄを運用する場合、ＤＭ−ＲＳに基づく伝送モード（ＴＭ）を使うＵＥに対するスケジューリング制限（ｓｃｈｅｄｕｌｉｎｇ  ｒｅｓｔｒｉｃｔｉｏｎ）を設定することができる。
【０５３１】
例えば、ｅＮＢはＥＰＤＣＣＨが構成されたセルフスケジューリングＵＥ又はＤＭ−ＲＳに基づくＴＭが構成されたＵＥに該当ＰＥｎｄに対してスケジューリングを遂行しないこともできる。この際、ｅＮＢがＰＥｎｄを運用しても、該当ＰＥｎｄ上でＤＭ−ＲＳを端末に送信しないように設定することができる。
【０５３２】
より詳細に説明すれば、ＤＭ−ＲＳに基づくＴＭが構成されたＵＥに対してＰＣｅｌｌの共用シグナリング、ＰＣＩＦＣＨ又はＰＤＣＣＨが構成されたセルフ／クロススケジューリング端末の場合、ＰＤＣＣＨなどを介して該当ＳＦがＰＥｎｄであることを指示することができる場合、該当端末が該当ＳＦに対するスケジューリンググラントを受信すれば、該当スケジューリンググラントはこれ以上有効ではないと見なすことができる。
【０５３３】
若しくは、端末は該当ＳＦの長さによってスケジューリンググラントの有効性を異なるように解釈することができる。例えば、ＵＥはどのＳＦの長さがＸＯＦＤＭシンボル以上でありながらＰＥｎｄである場合には、該当ＳＦのスケジューリンググラントは有効であると判断することができ、ＸＯＦＤＭシンボル未満でありながらＰＥｎｄである場合は、該当ＳＦのスケジューリンググラントが有効ではないと判断することができる。
【０５３４】
４．７．９  ＣＳＩ構成制限方法
【０５３５】
ＥＰＤＣＣＨが構成されたセルフスケジューリング端末がどのＳＦでスケジューリンググラントを受信し、仮に該当ＳＦに構成されたＣＳＩ−ＲＳ／ＣＳＩ−ＩＭが存在する場合にも、ＵＥは該当ＳＦに有効なＣＳＩ−ＲＳ／ＣＳＩ−ＩＭなどが存在しないと仮定することができる。より詳細に説明すれば、該当ＳＦがＰＥｎｄであり、該当ＳＦに構成されたＣＳＩ−ＲＳ／ＣＳＩ−ＩＭが存在するとしても、端末は該当ＳＦに有効なＣＳＩ−ＲＳ／ＣＳＩ−ＩＭなどが存在しないと仮定してＣＳＩなどを測定することができる。
【０５３６】
若しくは、該当ＳＦがＰＥｎｄであると言っても、該当ＳＦの長さによって他の端末の動作を定義することができる。例えば、ＰＥｎｄである場合に適用可能なＣＳＩ−ＲＳ／ＣＳＩ−ＩＭ構成が別に決定されていれば、端末はＰＥｎｄであると判断されるＳＦに対しては該当ＣＳＩ−ＲＳ／ＣＳＩ−ＩＭ構成を適用することができる。
【０５３７】
このような方法はＥＰＤＣＣＨが構成されたセルフスケジューリング端末に限られず、一般的に適用可能である。例えば、該当ＳＦにＣＲＳが存在することを認知したかスケジューリング情報があることを認知したＵＥであるとしても、該当ＳＦがＰＥｎｄ（又は、ＰＳｔａｒｔ）であれば、該当ＳＦに構成されたＣＳＩ−ＲＳ／ＣＳＩ−ＩＭがあると言っても該当ＳＦに有効なＣＳＩ−ＲＳ／ＣＳＩ−ＩＭなどが存在しないと仮定することができる。
【０５３８】
若しくは、ＰＥｎｄ（又は、ＰＳｔａｒｔ）である場合に適用可能なＣＳＩ−ＲＳ／ＣＳＩ−ＩＭ構成が別に設定される場合、端末はＰＥｎｄ（又は、ＰＳｔａｒｔ）であると判断されるＳＦに対してはＣＳＩ−ＲＳ／ＣＳＩ−ＩＭ構成を適用することができる。
【０５３９】
４．７．１０  予約信号伝送方法
【０５４０】
ＬＡＡシステムのＳＣｅｌｌでデータ伝送のための時点が制限されているとき（例えば、ＳＦ  ｂｏｕｎｄａｒｙ）、ＬＢＴ終了時点（又は、ＣＣＡ終了時点、ＣＳ終了時点など）と実際のデータ伝送時点の間にタイミングギャップが存在し得る。特に、ＬＡＡ  ＳＣｅｌｌは該当ｅＮＢとＵＥが独占的に使うことができなく、ＣＳに基づく競争によって用いなければならないので、このようなタイミングギャップの間に他のシステムが情報伝送を試みることもできる。よって、一例として、基地局はＬＡＡ  ＳＣｅｌｌでタイミングギャップの間に他のシステムが情報伝送を試みることを防止するために予約信号を送信することが好ましい。
【０５４１】
しかし、予約信号を余りにも長い時間の間に送信する場合、ＬＴＥシステムの性能が低下するだけでなくＷｉＦｉシステムにも予約信号が干渉として作用することができるため、ＷｉＦｉシステムの性能も低下する。
【０５４２】
このような問題を解決するために、システム上で予約信号伝送に対する最大値（すなわち、Ｋｍｓ）を設定しておくことができる。例えば、Ｋ＝１ｍｓ（１ＳＦ）又はＫ＝０．５ｍｓ（１ｓｌｏｔ）に設定することができる。この際、ＡＧＣ／ｆｉｎｅ  ｓｙｎｃｈｒｏｎｉｚａｔｉｏｎ／ｃｅｌｌ  ｉｄｅｎｔｉｆｉｃａｔｉｏｎなどの目的で各ＤＬ  ＴＸバーストの前側にＰＳＳ／ＳＳＳ／ＣＲＳなどで構成されたプリアンブルがＺ  ＯＦＤＭシンボル長（例えば、Ｚ＞＝１）の間に送信されなければならないとき、Ｋ時間値はＺを含んで設定するかあるいはＺを除いた時間に設定することができる。
【０５４３】
また、連続したＤＬ  ＴＸバーストが送信されるとき、浪費されるＳＦを最小化するために、ＤＬ  ＴＸバーストの最後のＳＦ又はＤＬ  ＴＸバーストの最初のＳＦの一部のＯＦＤＭシンボルの間にＴＸギャップを前もって設定しておくことができる。仮に、ＴＸギャップの間にＬＢＴが完了することができれば、１ＳＦが全部浪費されることを避けることができるという利点がある。Ｕセルの場合、所定の時間が占有された以後には、基地局はさらにＬＢＴを遂行しなければならない。よって、ＴＸギャップは基地局が所定のＳＦを占有するためのＬＢＴ遂行を保証するための時間値に設定することができる。
【０５４４】
このようなＴＸギャップがＷ  ＯＦＤＭシンボルに設定されている場合、予約信号の最大伝送時間値もＷ  ＯＦＤＭシンボルに設定することができる。この際、各ＴＸバーストの前側にＰＳＳ／ＳＳＳ／ＣＲＳなどで構成されたプリアンブルがＺ  ＯＦＤＭシンボルの長さ（例えば、Ｚ＞＝１）の間に送信されなければならないとき、Ｗ  ＯＦＤＭシンボル内にＺ値を含んで設定するかあるいはＺを除いた時間に設定することができる。
【０５４５】
仮に、ＴＸバーストごとにＴＸギャップの大きさが変化する場合、予約信号の最大値も変化するＴＸギャップの大きさと同一であってもよく、使用可能なＴＸギャップの最大値と同一であってもよい。この時の予約信号伝送の最大値もプリアンブルを含む時間に設定するかあるいはプリアンブルを除いた時間に設定することができる。
【０５４６】
前記提案した予約信号の長さの最大値制限は下りリンクだけでなく上りリンクにも同じ方法を適用することができ、下りリンク予約信号の長さの最大値と上りリンク予約信号の長さの最大値は同一に設定することもでき、あるいは独立的に設定することもできる。
【０５４７】
上りリンクの場合、予約信号の長さはＴＸギャップの設定に関係なくてもよく、１ｍｓより大きい長さの予約信号も許されることができる。
【０５４８】
上述した予約信号の長さであるＫｍｓのうちＬＢＴ動作に必要な最小キャリアセンシング（ＣＳ）時間が除かれた時間を予約信号の長さの最大値に設定することもできる。
【０５４９】
４．８  ディスカバリー参照信号伝送のためのｐＳＦ
【０５５０】
４．１節〜４．７節で提案したｐＳＦはＰＤＳＣＨが含まれたＤＬ  ＴＸバーストの場合に適用することができるだけでなく、ディスカバリー参照信号（ＤＲＳ：Ｄｉｓｃｏｖｅｒｙ  Ｒｅｆｅｒｅｎｃｅ  Ｓｉｇｎａｌ）が送信されるｐＳＦにも適用することができる。
【０５５１】
例えば、ＤＬバーストが始まることができる位置（例えば、ＣＲＳアンテナポート０で送信されるＯＦＤＭシンボルの中でＫ個）が前もって設定されていれば、ＤＲＳが送信されるｐＳＦもＤＬ  ＴＸバーストが始まることができる位置に限ってのみ始まることができるように設定することができる。
【０５５２】
若しくは、ＤＲＳが送信されるｐＳＦはＤＬ  ＴＸバーストが始まることができる位置の一部に限ってのみ始まることができるように設定することができる。
【０５５３】
前述した提案方法の実施例も本発明の実現方法の一つとして含まれることができるので、一種の提案方法と見なすことができるのは明らかな事実である。また、前述した提案方式は独立的に実現されることもできるが、一部の提案方式の組合せ（あるいは併合）形態に実現されることもできる。前記提案方法の適用可否についての情報（又は、前記提案方法の規則についての情報）は基地局が端末に前もって定義されたシグナル（例えば、物理層シグナル又は上位層シグナル）によって知らせるように定義されることができる。
【０５５４】
４．９  クロスキャリアスケジューリング時の実施例
【０５５５】
以下で説明する実施例は４．１．５節で説明した方法を図面に基づいて端末と基地局間のシグナリングの観点でより詳細に説明するためのものである。図２５はクロスキャリアスケジューリングが構成された場合、端末がデコードするサブフレームを制限する方法を説明するための図である。
【０５５６】
図２５はＬＡＡシステムに関するもので、ＰセルはＬＴＥ−Ａシステムなどの免許帯域に構成されるセルであり、Ｕセルは非免許帯域に構成されるセルである。端末はＰセルの上位層シグナリングによってクロスキャリアスケジューリングを構成することができる（Ｓ２５１０）。
【０５５７】
この際、端末はＳ２５１０段階で送信されるクロスキャリアスケジューリング情報によって、キャリアアグリゲーションされるセルが分かる。クロスキャリアスケジューリング情報はＵセルを指示するセル識別子（Ｃｅｌｌ  ＩＤ）を含むことができる。
【０５５８】
その後、基地局はＵセル上でキャリアセンシング過程（又はＬＢＴ、ＣＣＡなど）によってＵセルがアイドル状態であるか否かを判断することができる（Ｓ２５２０）。この時、Ｓ２５２０段階では図１４で説明した過程（Ｓ１４１０〜Ｓ１４３０）を遂行することができる。
【０５５９】
Ｕセルがアイドル状態である場合、基地局はＵセルを介して端末にデータを送信するためのスケジューリング情報を含むＰＤＣＣＨ及び／又はＥＰＤＣＣＨを送信することができる（Ｓ２５３０）。
【０５６０】
ただし、先に４．１節で説明した方法において端末にクロスキャリアスケジューリング及びプレスケジューリング方式が構成される場合、端末及び基地局がＵセル上で実際にどの時点にＣＣＡ動作（又は、ＣＳ動作、ＬＢＴ動作）が完了するかを予測することができない。したがって、端末は設定されたＴｘＯＰ区間にｐＳＦが含まれてもｐＳＦにはＰＤＳＣＨがスケジュールされることを期待しないこともできる。例えば、端末はＰＳｔａｒｔのみスケジュールされることを期待せず、Ｆｕｌｌ  ＳＦ又はＰＥｎｄに対してはクロスキャリアスケジューリングを期待することができる。すなわち、端末はＦｕｌｌ  ＳＦ及びＰＥｎｄに対してはＰＤＳＣＨがスケジュールされると把握してデータを受信することができる。また、基地局は端末にクロスキャリアスケジューリングが構成された場合にｐＳＦにＰＤＳＣＨをスケジューリングしないように構成されることができる（Ｓ２５４０）。
【０５６１】
Ｓ２５４０段階でｐＳＦにＰＤＳＣＨがスケジュールされない場合、該当ｐＳＦは同期過程、ＡＧＣ設定及び／又はセル識別のための用途に使われることができる。
【０５６２】
４．１０  セルフキャリアスケジューリング時の実施例
【０５６３】
以下で説明する実施例は４．２節で説明したセルフスケジューリング方式を端末と基地局間のシグナリングの観点で説明するためのものである。
【０５６４】
基地局はＵセルでＣＳ過程を行ってＵセルがアイドル状態であるか否かを判断することができる。ＣＳ過程についての説明は図１４及び３．１節〜３．３節の内容を参照することができる（Ｓ２６１０）。
【０５６５】
Ｕセルがアイドル状態であると判断されれば、基地局はセルフスケジューリングのために送信するＰＤＣＣＨ及び／又はＥＰＤＣＣＨを構成することができる。この時、ＰＤＣＣＨ及び／又はＥＰＤＣＣＨを構成する方法は４．２．１節〜４．２．３．７節を参照することができる。特に、基地局は、ＴｘＯＰ区間（又は、ＤＬバースト区間、ＲＲＰ区間）にｐＳＦが含まれた場合、ＰＤＣＣＨの場合は４．２．１節、ＥＰＤＣＣＨの場合は４．２．３節で説明した方式で構成して送信することができる。ＥＰＤＣＣＨの場合、ＥＰＤＣＣＨを構成するＥＣＣＥ、一つのＥＣＣＥを構成するＥＲＥＧ、ＥＰＤＣＣＨが送信されるサーチスペースなどはｐＳＦを考慮して設定することができる（Ｓ２６２０）。
【０５６６】
端末は、ＰＤＣＣＨ及び／又はＥＰＤＣＣＨを受信するためにＬＡＡシステムで定義するサーチスペースをデコードして各制御情報を獲得することができる。
【０５６７】
その後、基地局はＵセルのＴｘＯＰ区間で各サブフレームをスケジュールするためにＰＤＣＣＨ及び／又はＥＰＤＣＣＨを端末に送信することができ、ＰＤＣＣＨ及び／又はＥＰＤＣＣＨに含まれたスケジューリング情報に基づいて端末にＰＤＳＣＨを送信することができる（Ｓ２６３０、Ｓ２６４０）。
【０５６８】
４．１１  ｐＳＦ構成時のＣＳＩ測定及び報告方法
【０５６９】
以下では、ｐＳＦが端末に構成される場合、ＣＳＩを測定及び報告する方法をシグナリングの観点で説明する。
【０５７０】
図２７はｐＳＦが構成される場合にＣＳＩを測定及び報告する方法を説明するための図である。
【０５７１】
以下の説明は基本的に４．４節で説明した内容に基づいて記述する。図２７を参照すると、基地局はＵセルでＣＳ過程を遂行し、Ｕセルがアイドル状態の場合、ＴｘＯＰ区間などで端末にＰＤＳＣＨを送信する。これについての説明は図１４及び３．１節〜３．３節の内容を参照することができる（Ｓ２７１０、Ｓ２７２０）。
【０５７２】
端末は周期的又は非周期的方式でＣＳＩを測定することができる。この時、端末はＵセルで送信されるＰＤＳＣＨにマッピングされるＣＳＩ−ＲＳリソース及びＣＳＩ−ＩＭリソースとＣＲＳなどに基づいてＣＳＩを測定することができる（Ｓ２７３０）。
【０５７３】
ただし、Ｓ２７２０段階でＴｘＯＰ区間（又は、ＲＲＰ、ＤＬバースト）にｐＳＦが含まれた場合、Ｓ２７３０段階で端末がＣＳＩを測定するとき、ｐＳＦをＣＳＩ測定のための有効な参照リソースとして使うことができるかが問題となる。本発明の実施例では、端末と基地局間のｐＳＦの長さなどに対する不一致問題を解消するために、端末がＣＳＩを測定するときｐＳＦは有効なＳＦと見なさないことができる。これについての説明は４．４．１節を参照する。
【０５７４】
本実施例の他の態様として、ｐＳＦも有効なＳＦと見なすことができるが、これについての詳細な説明は４．４．２節の内容に取り替える。
【０５７５】
非周期的方式でＣＳＩを報告する場合には基地局の要請がなければならないので、Ｓ２７４０ａ又はＳ２７４０ｂ段階を遂行する。すなわち、基地局はＰセル及び／又はＵセルを介して、ＣＳＩ要請フィールドを含むＰＤＣＣＨ及び／又はＥＰＤＣＣＨを端末に送信してＣＳＩを報告することを指示する（Ｓ２７４０ａ、Ｓ２７４０ｂ）。
【０５７６】
ただし、端末が周期的方式でＣＳＩを報告する場合にはＳ２７４０ａ／ｂ段階を遂行しないこともできる。
【０５７７】
端末は周期的に又は非周期的にＣＳＩを測定して基地局に報告することができる（Ｓ２７５０ａ、Ｓ２７５０ｂ）。
【０５７８】
Ｓ２７４０ｂ及びＳ２７５０ｂ段階はセルフキャリアスケジューリング時に遂行することができ、クロスキャリアスケジューリングの場合には遂行しないこともできる。
【０５７９】
５．  実現装置
【０５８０】
図２８で説明する装置は、図１乃至図２７で説明した方法を実現し得る手段である。
【０５８１】
端末（ＵＥ：ＵｓｅｒＥｑｕｉｐｍｅｎｔ）は、上りリンクでは送信端として動作し、下りリンクでは受信端として動作することができる。また、基地局（ｅＮＢ：ｅ−ＮｏｄｅＢ）は、上りリンクでは受信端として動作し、下りリンクでは送信端として動作することができる。
【０５８２】
すなわち、端末及び基地局は、情報、データ及び／又はメッセージの送信及び受信を制御するために、それぞれ、送信器（ｔｒａｎｓｍｉｔｔｅｒ）２８４０、２８５０及び受信器（ｒｅｃｅｉｖｅｒ）２８６０、２８７０を備えることができ、情報、データ及び／又はメッセージを送受信するための一つ以上のアンテナ２８００、２８１０などを有することができる。
【０５８３】
また、端末及び基地局はそれぞれ、上述した本発明の実施例を実行するためのプロセッサ（Ｐｒｏｃｅｓｓｏｒ）２８２０、２８３０、及びプロセッサの処理過程を一時的に又は持続的に記憶し得るメモリ２８８０、２８９０を備えることができる。
【０５８４】
上述した端末及び基地局装置の構成成分及び機能を用いて本発明の実施例を遂行することができる。例えば、基地局のプロセッサはバックオフカウント値を設定し、各ＴＴＩ（又は、ＳＦ）でバックオフ許容区間であるかを判断することができる。仮に、基地局のプロセッサは、バックオフ許容区間であれば送信機及び／又は受信機を制御してＣＳを遂行し、ＣＳが遂行されればバックオフカウント値を１ずつ減らすことができる。その後、バックオフカウント値が０となれば、基地局のプロセッサは予約信号及び／又はデータをＵセルを介して端末に送信するか端末から受信することができる。
【０５８５】
また、上述した端末及び基地局のプロセッサは、上述したクロスキャリアスケジューリング、セルフキャリアスケジューリング、ハイブリッドスケジューリング、ｐＳＦに対するＣＳＩ測定方法、フローティングＴＴＩ構成方法、ＰＤＣＣＨ領域及びＥＰＤＣＣＨ領域構成方法及びこのための動作をサポートするように構成されている。端末及び基地局のプロセッサはこのために送信機及び受信機と機能的に連結され、これらを制御することができる。
【０５８６】
端末及び基地局に含まれた送信モジュール及び受信モジュールは、データ送信のためのパケット変復調機能、高速パケットチャネルコーディング機能、直交周波数分割多元接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）パケットスケジューリング、時分割デュプレックス（ＴＤＤ：Ｔｉｍｅ  Ｄｉｖｉｓｉｏｎ  Ｄｕｐｌｅｘ）パケットスケジューリング及び／又はチャネル多重化機能を実行することができる。また、図２８の端末及び基地局は、低電力ＲＦ（Ｒａｄｉｏ  Ｆｒｅｑｕｅｎｃｙ）／ＩＦ（Ｉｎｔｅｒｍｅｄｉａｔｅ  Ｆｒｅｑｕｅｎｃｙ）モジュールをさらに備えることができる。
【０５８７】
一方、本発明で端末として、個人携帯端末機（ＰＤＡ：Ｐｅｒｓｏｎａｌ  Ｄｉｇｉｔａｌ  Ａｓｓｉｓｔａｎｔ）、セルラーフォン、個人通信サービス（ＰＣＳ：Ｐｅｒｓｏｎａｌ  Ｃｏｍｍｕｎｉｃａｔｉｏｎ  Ｓｅｒｖｉｃｅ）フォン、ＧＳＭ（Ｇｌｏｂａｌ  Ｓｙｓｔｅｍ  ｆｏｒ  Ｍｏｂｉｌｅ）フォン、ＷＣＤＭＡ（Ｗｉｄｅｂａｎｄ  ＣＤＭＡ）フォン、ＭＢＳ（Ｍｏｂｉｌｅ  Ｂｒｏａｄｂａｎｄ  Ｓｙｓｔｅｍ）フォン、ハンドヘルドＰＣ（Ｈａｎｄ−Ｈｅｌｄ  ＰＣ）、ノートパソコン、スマート（Ｓｍａｒｔ）フォン、又はマルチモードマルチバンド（ＭＭ−ＭＢ：Ｍｕｌｔｉ  Ｍｏｄｅ−Ｍｕｌｔｉ  Ｂａｎｄ）端末機などを用いることができる。
【０５８８】
ここで、スマートフォンは、移動通信端末と個人携帯端末機の長所を組み合わせた端末機であって、移動通信端末に、個人携帯端末機の機能である日程管理、ファックス送受信及びインターネット接続などのデータ通信機能を統合した端末機を意味できる。また、マルチモードマルチバンド端末機は、マルチモデムチップを内蔵し、携帯インターネットシステムでも、その他の移動通信システム（例えば、ＣＤＭＡ２０００システム、ＷＣＤＭＡシステムなど）でも動作できる端末機のことを指す。
【０５８９】
本発明の実施例は、様々な手段によって実装することができる。例えば、本発明の実施例は、ハードウェア、ファームウェア（ｆｉｒｍｗａｒｅ）、ソフトウェア又はそれらの結合などによって実装することができる。
【０５９０】
ハードウェアによる実装の場合、本発明の実施例に係る方法は、１つ又はそれ以上のＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）、ＤＳＰ（ｄｉｇｉｔａｌ  ｓｉｇｎａｌ  ｐｒｏｃｅｓｓｏｒ）、ＤＳＰＤ（ｄｉｇｉｔａｌ  ｓｉｇｎａｌ  ｐｒｏｃｅｓｓｉｎｇ  ｄｅｖｉｃｅ）、ＰＬＤ（ｐｒｏｇｒａｍｍａｂｌｅ  ｌｏｇｉｃ  ｄｅｖｉｃｅ）、ＦＰＧＡ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって実装することができる。
【０５９１】
ファームウェアやソフトウェアによる実装の場合、本発明の実施例に係る方法は、以上で説明された機能又は動作を実行するモジュール、手順又は関数などの形態として実装することもできる。例えば、ソフトウェアコードは、メモリユニット２８８０、２８９０に記憶され、プロセッサ２８２０、２８３０によって駆動されてもよい。メモリユニットは、プロセッサの内部又は外部に設けられ、公知の種々の手段によってプロセッサとデータを交換することができる。
【０５９２】
本発明は、本発明の精神及び必須の特徴から逸脱しない範囲で他の特定の形態として具体化されてもよい。したがって、上記の詳細な説明は、いずれの面においても制約的に解釈されてはならず、例示的なものとして考慮されなければならない。本発明の範囲は、添付した請求項の合理的解釈によって決定されなければならず、本発明の等価的範囲における変更はいずれも本発明の範囲に含まれる。また、特許請求の範囲で明示的な引用関係にない請求項を結合して実施例を構成してもよく、出願後の補正によって新しい請求項として含めてもよい。
【産業上の利用可能性】
【０５９３】
本発明の実施例は、様々な無線接続システムに適用可能である。様々な無線接続システムの一例として、３ＧＰＰ（３ｒｄ  Ｇｅｎｅｒａｔｉｏｎ  Ｐａｒｔｎｅｒｓｈｉｐ  Ｐｒｏｊｅｃｔ）、３ＧＰＰ２及び／又はＩＥＥＥ  ８０２．ｘｘ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ  ８０２）システムなどがある。本発明の実施例は、上記の様々な無線接続システムだけでなく、これら様々な無線接続システムを応用したいずれの技術分野にも適用可能である。
【図１】
2020099063.tif 000043
【図２】
2020099063.tif 000044
【図３】
2020099063.tif 000045
【図４】
2020099063.tif 000046
【図５】
2020099063.tif 000047
【図６】
2020099063.tif 000048
【図７】
2020099063.tif 000049
【図８】
2020099063.tif 000050
【図９】
2020099063.tif 000051
【図１０】
2020099063.tif 000052
【図１１】
2020099063.tif 000053
【図１２】
2020099063.tif 000054
【図１３】
2020099063.tif 000055
【図１４】
2020099063.tif 000056
【図１５】
2020099063.tif 000057
【図１６】
2020099063.tif 000058
【図１７】
2020099063.tif 000059
【図１８】
2020099063.tif 000060
【図１９】
2020099063.tif 000061
【図２０】
2020099063.tif 000062
【図２１】
2020099063.tif 000063
【図２２】
2020099063.tif 000064
【図２３】
2020099063.tif 000065
【図２４】
2020099063.tif 000066
【図２５】
2020099063.tif 000067
【図２６】
2020099063.tif 000068
【図２７】
2020099063.tif 000069
【図２８】
2020099063.tif 000070
【手続補正書】
【提出日】令和2年2月3日(2020.2.3)
【手続補正１】
【補正対象書類名】特許請求の範囲
【補正対象項目名】全文
【補正方法】変更
【補正の内容】
【特許請求の範囲】
【請求項１】
非免許帯域をサポートする無線接続システムにおいてＵＥ（user equipment）がＣＳＩ（channel state information）を報告する方法であって、
前記非免許帯域内で下りリンクバーストを受信する段階と、
前記下りリンクバーストに対するＣＳＩ−ＲＳ（channel state information reference signal）を測定する段階と、
前記測定されたＣＳＩ−ＲＳのＣＱＩ（channel quality indicator）値をＢＳ（base station）に報告する段階と、を含み、
前記ＵＥは、前記測定されたＣＳＩ−ＲＳの前記ＣＱＩ値を報告するために、部分サブフレームの前記ＣＱＩ値を除く前記下りリンクバーストの一般サブフレーム内で測定された前記ＣＱＩ値を計算し、
前記部分サブフレームは、少なくとも一つのＯＦＤＭ（orthogonal frequency divisional multiplexing）シンボルが占有されていないサブフレームであり、
前記一般サブフレームは、すべてのＯＦＤＭシンボルが占有されているサブフレームである、方法。
【請求項２】
前記部分サブフレームは、セルフキャリアスケジューリングでスケジュールされ、
前記一般サブフレームは、クロスキャリアスケジューリングでスケジュールされる、請求項１に記載の方法。
【請求項３】
前記ＣＳＩを報告するための要求を前記非免許帯域内で受信する段階をさらに含み、
前記ＣＱＩは、前記要求に応じて、前記非免許帯域内で報告される、請求項１又は２に記載の方法。
【請求項４】
前記ＣＳＩを報告するための要求を免許帯域内で受信する段階をさらに含み、
前記ＣＱＩは、前記要求に応じて前記免許帯域内で報告される、請求項１〜３のいずれか一項に記載の方法。
【請求項５】
前記ＣＱＩは、免許帯域内で周期的に報告される、請求項１〜４のいずれか一項に記載の方法。
【請求項６】
非免許帯域をサポートする無線接続システムにおいてＣＳＩ（channel state information）を報告するＵＥ（user equipment）であって、
メモリと、
前記メモリと連結された少なくとも一つのプロセッサと、を含み、
前記少なくとも一つのプロセッサは、
前記非免許帯域内で下りリンクバーストを受信し、
前記下りリンクバーストに対するＣＳＩ−ＲＳ（channel state information reference signal）を測定し、
前記測定されたＣＳＩ−ＲＳのＣＱＩ（channel quality indicator）値をＢＳ（base station）に報告する、ように設定され、
前記ＵＥは、前記測定されたＣＳＩ−ＲＳの前記ＣＱＩ値を報告するために、部分サブフレームの前記ＣＱＩ値を除く前記下りリンクバーストの一般サブフレーム内で測定された前記ＣＱＩ値を計算し、
前記部分サブフレームは、少なくとも一つのＯＦＤＭ（orthogonal frequency divisional multiplexing）シンボルが占有されていないサブフレームであり、
前記一般サブフレームは、すべてのＯＦＤＭシンボルが占有されているサブフレームである、ＵＥ。
【請求項７】
前記部分サブフレームは、セルフキャリアスケジューリングでスケジュールされ、
前記一般サブフレームは、クロスキャリアスケジューリングでスケジュールされる、請求項６に記載のＵＥ。
【請求項８】
前記少なくとも一つのプロセッサは、前記ＣＳＩを報告するための要求を前記非免許帯域内で受信するようにさらに構成され、
前記ＣＱＩは、前記要求に応じて、前記非免許帯域内で報告される、請求項６又は７に記載のＵＥ。
【請求項９】
前記少なくとも一つのプロセッサは、前記ＣＳＩを報告するための要求を免許帯域内で受信するようにさらに設定され、
前記ＣＱＩは、前記要求に応じて前記免許帯域内で報告される、請求項６〜８のいずれか一項に記載のＵＥ。
【請求項１０】
前記ＣＱＩは、免許帯域内で周期的に報告される、請求項６〜９のいずれか一項に記載のＵＥ。
【請求項１１】
無線接続システムにおいてＢＳ（base station）がＣＳＩ（channel state information）を受信する方法であって、
非免許帯域内で下りリンクバーストをＵＥ（user equipment）に送信する段階と、
前記下りリンクバーストに対するＣＳＩ−ＲＳ（channel state information reference signal）のＣＱＩ（channel quality indicator）値を前記ＵＥから受信する段階と、を含み、
前記ＣＳＩ−ＲＳの前記ＣＱＩ値のために、部分サブフレームの前記ＣＱＩ値を除く前記下りリンクバーストの一般サブフレーム内で測定された前記ＣＱＩ値は、計算され、
前記部分サブフレームは、少なくとも一つのＯＦＤＭ（orthogonal frequency divisional multiplexing）シンボルが占有されていないサブフレームであり、
前記一般サブフレームは、すべてのＯＦＤＭシンボルが占有されているサブフレームである、方法。